(57)【要約】  様々なトーンプランに従ってワイヤレスメッセージを供給するための方法および装置は、１９６０個のデータトーンを有する２０４８トーンプランに従ってメッセージを生成するように構成されたシステムを含むことができる。２０４８トーンプランは、９８０個のデータトーンをそれぞれ有する２つの同等の１０２４トーンプランを含む。システムは、さらに、２つの同等の１０２４トーンプランのうちの１つに従ってデータを２つのデータ部分に分割するためにセグメントパーシングを実施することができる。各部分は、２つの８０ＭＨｚ帯域幅のうちの１つを介した送信のために用いられる。システムは、さらに、２つのデータ部分の各々に対して低密度パリティチェック（ＬＤＰＣ）トーンマッピングを別々に実施することができる。システムは、さらに、２つの８０ＭＨｚ帯域幅を含む１６０ＭＨｚ帯域幅上での送信のためにメッセージを供給することができる。
2017529751.tif 000002
【特許請求の範囲】
【請求項１】
ワイヤレス通信を実施するように構成された装置であって、
命令を記憶するメモリと、
前記メモリに結合され、
１９６０個のデータトーンを有する２０４８トーンプランに従ってメッセージを生成することと、前記２０４８トーンプランが、９８０個のデータトーンをそれぞれ有する２つの同等の１０２４トーンプランを備える、
前記２つの同等の１０２４トーンプランのうちの１つに従ってデータを２つのデータ部分に分割するためにセグメントパーシングを実施することと、各部分は、２つの８０ＭＨｚ帯域幅のうちの１つを介した送信のために用いられる、
前記２つのデータ部分の各々に対して低密度パリティチェック（ＬＤＰＣ）トーンマッピングを別々に実施することと、
前記２つの８０ＭＨｚ帯域幅を備える１６０ＭＨｚ帯域幅上での送信のために前記メッセージを供給することと
を行うために前記命令を実行するように構成された処理システムと
を備える、装置。
【請求項２】
前記２つの同等の１０２４トーンプランの各々が、前記２つの８０ＭＨｚ帯域幅の各々に対応する５つの直流トーンを備える、請求項１に記載の装置。
【請求項３】
前記２０４８トーンプランが、前記１６０ＭＨｚ帯域幅に対応する２３個の直流トーンと、２つの８０ＭＨｚセグメントの各々に対応する５つの追加のヌルトーンとを備える、請求項１に記載の装置。
【請求項４】
前記２つのデータ部分の各々に対してＬＤＰＣトーンマッピングを別々に実施することが、２０のＬＤＰＣトーンマッピング距離を使用することを備える、請求項１に記載の装置。
【請求項５】
４つまたはそれ以上の空間ストリームを介して前記メッセージを送信するように構成された送信機をさらに備える、請求項１に記載の装置。
【請求項６】
前記装置が移動局であり、ここにおいて、前記処理システムが、前記移動局をサービスするアクセスポイントに、前記移動局の送信機およびアンテナを通して前記メッセージを送信するように構成されることによって、送信のために前記メッセージを供給するように構成された、請求項１に記載の装置。
【請求項７】
前記装置がアクセスポイントであり、ここにおいて、前記処理システムが、前記アクセスポイントによってサービスされる移動局に、前記アクセスポイントの送信機およびアンテナを通して前記メッセージを送信するように構成されることによって、送信のために前記メッセージを供給するように構成された、請求項１に記載の装置。
【請求項８】
１９６０個のデータトーンを有する２０４８トーンプランに従ってメッセージを生成することと、前記２０４８トーンプランが、９８０個のデータトーンをそれぞれ有する２つの同等の１０２４トーンプランを備える、
前記２つの同等の１０２４トーンプランのうちの１つに従ってデータを２つのデータ部分に分割するためにセグメントパーシングを実施することと、各部分は、２つの８０ＭＨｚ帯域幅のうちの１つを介した送信のために用いられる、
前記２つのデータ部分の各々に対して低密度パリティチェック（ＬＤＰＣ）トーンマッピングを別々に実施することと、
前記２つの８０ＭＨｚ帯域幅を備える１６０ＭＨｚ帯域幅上での送信のために前記メッセージを供給することと
を備える、ワイヤレス通信の方法。
【請求項９】
前記２つの同等の１０２４トーンプランの各々が、２つの８０ＭＨｚセグメントの各々に対応する５つの直流トーンを備える、請求項８に記載の方法。
【請求項１０】
前記２０４８トーンプランが、前記１６０ＭＨｚ帯域幅に対応する２３個の直流トーンと、２つの８０ＭＨｚセグメントの各々に対応する５つの追加のヌルトーンとを備える、請求項８に記載の方法。
【請求項１１】
前記２つのデータ部分の各々に対してＬＤＰＣトーンマッピングを別々に実施することが、２０のＬＤＰＣトーンマッピング距離を使用することを備える、請求項８に記載の方法。
【請求項１２】
４つまたはそれ以上の空間ストリームを介して前記メッセージを送信することをさらに備える、請求項８に記載の方法。
【請求項１３】
前記方法が移動局によって実施され、前記方法が、前記移動局をサービスするアクセスポイントに、前記移動局の送信機およびアンテナを通して前記メッセージを送信することをさらに備える、請求項８に記載の方法。
【請求項１４】
前記方法がアクセスポイントによって実施され、前記方法が、前記アクセスポイントによってサービスされる移動局に、前記アクセスポイントの送信機およびアンテナを通して前記メッセージを送信することをさらに備える、請求項８に記載の方法。
【請求項１５】
１９６０個のデータトーンを有する２０４８トーンプランに従ってメッセージを生成するための手段と、前記２０４８トーンプランが、９８０個のデータトーンをそれぞれ有する２つの同等の１０２４トーンプランを備える、
前記２つの同等の１０２４トーンプランのうちの１つに従ってデータを２つのデータ部分に分割するためにセグメントパーシングを実施するための手段と、各部分は、２つの８０ＭＨｚ帯域幅のうちの１つを介した送信のために用いられる、
前記２つのデータ部分の各々に対して低密度パリティチェック（ＬＤＰＣ）トーンマッピングを別々に実施するための手段と、
前記２つの８０ＭＨｚ帯域幅を備える１６０ＭＨｚ帯域幅上での送信のために前記メッセージを供給するための手段と
を備える、ワイヤレス通信のための装置。
【請求項１６】
前記２つの同等の１０２４トーンプランの各々が、２つの８０ＭＨｚセグメントの各々に対応する５つの直流トーンを備える、請求項１５に記載の装置。
【請求項１７】
前記２０４８トーンプランが、前記１６０ＭＨｚ帯域幅に対応する２３個の直流トーンと、２つの８０ＭＨｚセグメントの各々に対応する５つの追加のヌルトーンとを備える、請求項１５に記載の装置。
【請求項１８】
前記２つのデータ部分の各々に対してＬＤＰＣトーンマッピングを別々に実施するための手段が、２０のＬＤＰＣトーンマッピング距離を使用するための手段を備える、請求項１５に記載の装置。
【請求項１９】
４つまたはそれ以上の空間ストリームを介して前記メッセージを送信するための手段をさらに備える、請求項１５に記載の装置。
【請求項２０】
前記装置が移動局を備え、前記装置が、前記移動局をサービスするアクセスポイントに、前記移動局の送信機およびアンテナを通して前記メッセージを送信するための手段をさらに備える、請求項１５に記載の装置。
【請求項２１】
前記装置がアクセスポイントを備え、前記装置が、前記アクセスポイントによってサービスされる移動局に、前記アクセスポイントの送信機およびアンテナを通して前記メッセージを送信するための手段をさらに備える、請求項１５に記載の装置。
【請求項２２】
実行されたとき、装置に、
１９６０個のデータトーンを有する２０４８トーンプランに従ってメッセージを生成することと、前記２０４８トーンプランが、９８０個のデータトーンをそれぞれ有する２つの同等の１０２４トーンプランを備える、
前記２つの同等の１０２４トーンプランのうちの１つに従ってデータを２つのデータ部分に分割するためにセグメントパーシングを実施することと、各部分は、２つの８０ＭＨｚ帯域幅のうちの１つを介した送信のために用いられる、
前記２つのデータ部分の各々に対して低密度パリティチェック（ＬＤＰＣ）トーンマッピングを別々に実施することと、
前記２つの８０ＭＨｚ帯域幅を備える１６０ＭＨｚ帯域幅上での送信のために前記メッセージを供給することと
を行わせるコードを備える非一時的コンピュータ可読媒体。
【請求項２３】
前記２つの同等の１０２４トーンプランの各々が、２つの８０ＭＨｚセグメントの各々に対応する５つの直流トーンを備える、請求項２２に記載の媒体。
【請求項２４】
前記２０４８トーンプランが、前記１６０ＭＨｚ帯域幅に対応する２３個の直流トーンと、２つの８０ＭＨｚセグメントの各々に対応する５つの追加のヌルトーンとを備える、請求項１５に記載の装置。
【請求項２５】
前記２つのデータ部分の各々に対してＬＤＰＣトーンマッピングを別々に実施することが、２０のＬＤＰＣトーンマッピング距離を使用することを備える、請求項１５に記載の装置。
【請求項２６】
実行されたとき、前記装置に、４つまたはそれ以上の空間ストリームを介して前記メッセージを送信させるコードをさらに備える、請求項２２に記載の媒体。
【請求項２７】
前記装置が移動局を備え、前記媒体が、実行されたとき、前記装置に、前記移動局をサービスするアクセスポイントに、前記移動局の送信機およびアンテナを通して前記メッセージを送信させるコードをさらに備える、請求項２２に記載の媒体。
【請求項２８】
前記装置がアクセスポイントを備え、前記媒体が、実行されたとき、前記装置に、前記アクセスポイントによってサービスされる移動局に、前記アクセスポイントの送信機およびアンテナを通して前記メッセージを送信させるコードをさらに備える、請求項２２に記載の媒体。
【発明の詳細な説明】
【技術分野】
【０００１】
[0001]本開示のいくつかの態様は、一般にワイヤレス通信に関し、より詳細には、様々なトーンプランに従ってメッセージを供給するための方法および装置に関する。
【背景技術】
【０００２】
[0002]多くの電気通信システムでは、通信ネットワークは、いくつかの対話している空間的に分離されたデバイスの間でメッセージを交換するために使用される。ネットワークは、たとえば、メトロポリタンエリア、ローカルエリア、またはパーソナルエリアであり得る地理的範囲に従って分類され得る。そのようなネットワークはそれぞれ、ワイドエリアネットワーク（ＷＡＮ）、メトロポリタンエリアネットワーク（ＭＡＮ）、ローカルエリアネットワーク（ＬＡＮ）、またはパーソナルエリアネットワーク（ＰＡＮ）と呼ばれることがある。ネットワークはまた、様々なネットワークノードとデバイスとを相互接続するために使用されるスイッチング／ルーティング技法（たとえば、回線交換対パケット交換）、送信のために採用される物理媒体のタイプ（たとえば、ワイヤード対ワイヤレス）、および使用される通信プロトコルのセット（たとえば、インターネットプロトコルスイート、ＳＯＮＥＴ（同期光ネットワーキング：Synchronous Optical Networking）、イーサネット（登録商標）など）によって異なる。
【０００３】
[0003]ワイヤレスネットワークは、しばしば、ネットワーク要素がモバイルであり、したがって動的接続性の必要を有するときに、またはネットワークアーキテクチャが、固定ではなくアドホックなトポロジーで形成される場合に好適である。ワイヤレスネットワークは、無線、マイクロ波、赤外線、光などの周波数帯域中の電磁波を使用して、非誘導伝搬モードで無形物理媒体を採用する。ワイヤレスネットワークは、有利には、固定ワイヤードネットワークと比較して、ユーザモビリティと迅速なフィールド展開とを可能にする。
【０００４】
[0004]ワイヤレスネットワーク中のデバイスは、互いの間で情報を送信／受信することができる。デバイス送信は互いに干渉することがあり、いくつかの送信は他の送信を選択的に阻止することがある。多くのデバイスが通信ネットワークを共有する場合、輻輳および非効率的なリンク使用が生じることがある。したがって、ワイヤレスネットワークにおける通信効率を改善するためのシステム、方法、および非一時的コンピュータ可読媒体が必要である。
【発明の概要】
【０００５】
[0005]添付の特許請求の範囲内のシステム、方法およびデバイスの様々な実装形態は、それぞれいくつかの態様を有し、それらのうちの単一の態様が、単独で、本明細書で説明する望ましい属性を担当するとは限らない。添付の特許請求の範囲を限定することなしに、いくつかの顕著な特徴について本明細書で説明する。
【０００６】
[0006]本明細書で説明する主題の１つまたは複数の実装形態の詳細を添付の図面および以下の説明に記載する。他の特徴、態様、および利点は、説明、図面、および特許請求の範囲から明らかになるであろう。以下の図の相対寸法は一定の縮尺で描かれていないことがあることに留意されたい。
【０００７】
[0007]本開示の一態様は、ワイヤレス通信を実施するように構成された装置を提供する。本装置は、命令を記憶するメモリを含む。本装置は、メモリに結合され、１９６０個のデータトーンを有する２０４８トーンプランに従ってメッセージを生成するために命令を実行するように構成されたプロセッサまたは処理システムをさらに含む。２０４８トーンプランは、９８０個のデータトーンをそれぞれ有する２つの同等の１０２４トーンプランを含む。プロセッサは、２つの同等の１０２４トーンプランのうちの１つに従ってデータを２つのデータ部分に分割するためにセグメントパーシングを実施するようにさらに構成される。各部分は、２つの８０ＭＨｚ帯域幅のうちの１つを介した送信のために用いられる。プロセッサは、２つのデータ部分の各々に対して低密度パリティチェック（ＬＤＰＣ：low density parity check）トーンマッピングを別々に実施するようにさらに構成される。プロセッサは、２つの８０ＭＨｚ帯域幅を含む１６０ＭＨｚ帯域幅上での送信のためにメッセージを供給するようにさらに構成される。別の態様は、ワイヤレス通信の方法を提供する。本方法は、１９６０個のデータトーンを有する２０４８トーンプランに従ってメッセージを生成することを含む。２０４８トーンプランは、９８０個のデータトーンをそれぞれ有する２つの同等の１０２４トーンプランを含む。本方法は、２つの同等の１０２４トーンプランのうちの１つに従ってデータを２つのデータ部分に分割するためにセグメントパーシングを実施することをさらに含む。各部分は、２つの８０ＭＨｚ帯域幅のうちの１つを介した送信のために用いられる。本方法は、２つのデータ部分の各々に対して低密度パリティチェック（ＬＤＰＣ）トーンマッピングを別々に実施することをさらに含む。本方法は、２つの８０ＭＨｚ帯域幅を含む１６０ＭＨｚ帯域幅上での送信のためにメッセージを供給することをさらに含む。別の態様は、ワイヤレス通信のための装置を提供する。本装置は、１９６０個のデータトーンを有する２０４８トーンプランに従ってメッセージを生成するための手段を含む。２０４８トーンプランは、９８０個のデータトーンをそれぞれ有する２つの同等の１０２４トーンプランを含む。本装置は、２つの同等の１０２４トーンプランのうちの１つに従ってデータを２つのデータ部分に分割するためにセグメントパーシングを実施するための手段をさらに含む。各部分は、２つの８０ＭＨｚ帯域幅のうちの１つを介した送信のために用いられる。本装置は、２つのデータ部分の各々に対して低密度パリティチェック（ＬＤＰＣ）トーンマッピングを別々に実施するための手段をさらに含む。本装置は、２つの８０ＭＨｚ帯域幅を含む１６０ＭＨｚ帯域幅上での送信のためにメッセージを供給するための手段をさらに含む。別の態様は、非一時的コンピュータ可読媒体を提供する。本媒体は、実行されたとき、装置に、１９６０個のデータトーンを有する２０４８トーンプランに従ってメッセージを生成させるコードを含む。２０４８トーンプランは、９８０個のデータトーンをそれぞれ有する２つの同等の１０２４トーンプランを含む。本媒体は、実行されたとき、装置に、２つの同等の１０２４トーンプランのうちの１つに従ってデータを２つのデータ部分に分割するためにセグメントパーシングを実施させるコードをさらに含む。各部分は、２つの８０ＭＨｚ帯域幅のうちの１つを介した送信のために用いられる。本媒体は、実行されたとき、装置に、２つのデータ部分の各々に対して低密度パリティチェック（ＬＤＰＣ）トーンマッピングを別々に実施させるコードをさらに含む。本媒体は、実行されたとき、装置に、２つの８０ＭＨｚ帯域幅を含む１６０ＭＨｚ帯域幅上での送信のためにメッセージを供給させるコードをさらに含む。
【図面の簡単な説明】
【０００８】
【図１】[0008]本開示の態様が採用され得るワイヤレス通信システムの一例を示す図。
【図２】[0009]図１のワイヤレス通信システム内で採用され得るワイヤレスデバイスにおいて利用され得る様々な構成要素を示す図。
【図３】[0010]一実施形態による、例示的な２Ｎトーンプランを示す図。
【図４】[0011]単一のユーザがあるときの、様々な実施形態による、６４トーンプラン、１２８トーンプラン、２５６トーンプラン、５１２トーンプラン、および１０２４トーンプランについての上限を示す図。
【図５Ａ】[0012]様々な実施形態による、６４トーン５ＭＨｚトーンプランについての上限を示す図。
【図５Ｂ】[0013]いくつかの既存のトーンプランを含む、他の可能なトーンプランに対する実現可能な５ＭＨｚトーンプランのいずれかからの利得を示す図。
【図６Ａ】[0014]様々な実施形態による、１２８トーン１０ＭＨｚトーンプランについての上限を示す図。
【図６Ｂ】[0015]いくつかの既存のトーンプランを含む、他の可能なトーンプランに対する実現可能な１０ＭＨｚトーンプランのいずれかからの利得を示す図。
【図７Ａ】[0016]様々な実施形態による、１９２トーン１５ＭＨｚトーンプランについての上限を示す図。
【図７Ｂ】[0017]いくつかの既存のトーンプランを含む、他の可能なトーンプランに対する実現可能な１５ＭＨｚトーンプランのいずれかからの利得を示す図。
【図８Ａ】[0018]様々な実施形態による、２５６トーン２０ＭＨｚトーンプランについての上限を示す図。
【図８Ｂ】[0019]いくつかの既存のトーンプランを含む、他の可能なトーンプランに対する実現可能な２０ＭＨｚトーンプランのいずれかからの利得を示す図。
【図９Ａ】[0020]様々な実施形態による、３８４トーン３０ＭＨｚトーンプランについての上限を示す図。
【図９Ｂ】[0021]いくつかの既存のトーンプランを含む、他の可能なトーンプランに対する実現可能な３０ＭＨｚトーンプランのいずれかからの利得を示す図。
【図１０Ａ】[0022]様々な実施形態による、５１２トーン４０ＭＨｚトーンプランについての上限を示す図。
【図１０Ｂ】[0023]いくつかの既存のトーンプランを含む、他の可能なトーンプランに対する実現可能な４０ＭＨｚトーンプランのいずれかからの利得を示す図。
【図１１Ａ】[0024]様々な実施形態による、７６８トーン６０ＭＨｚトーンプランについての上限を示す図。
【図１１Ｂ】[0025]いくつかの既存のトーンプランを含む、他の可能なトーンプランに対する実現可能な６０ＭＨｚトーンプランのいずれかからの利得を示す図。
【図１２Ａ】[0026]様々な実施形態による、１０２４トーン８０ＭＨｚトーンプランについての上限を示す図。
【図１２Ｂ】[0027]いくつかの既存のトーンプランを含む、他の可能なトーンプランに対する実現可能な８０ＭＨｚトーンプランのいずれかからの利得を示す図。
【図１３Ａ】[0028]様々な実施形態による、１２８０トーン１００ＭＨｚトーンプランについての上限を示す図。
【図１３Ｂ】[0029]いくつかの既存のトーンプランを含む、他の可能なトーンプランに対する実現可能な１００ＭＨｚトーンプランのいずれかからの利得を示す図。
【図１４Ａ】[0030]様々な実施形態による、１５３６トーン１２０ＭＨｚトーンプランについての上限を示す図。
【図１４Ｂ】[0031]いくつかの既存のトーンプランを含む、他の可能なトーンプランに対する実現可能な１２０ＭＨｚトーンプランのいずれかからの利得を示す図。
【図１５Ａ】[0032]様々な実施形態による、１７９２トーン１４０ＭＨｚトーンプランについての上限を示す図。
【図１５Ｂ】[0033]いくつかの既存のトーンプランを含む、他の可能なトーンプランに対する実現可能な１４０ＭＨｚトーンプランのいずれかからの利得を示す図。
【図１６】[0034]一実施形態による、直交周波数分割多元接続（ＯＦＤＭＡ）トーンプランのためのインターリービングパラメータを生成するように動作可能であるシステムを示す図。
【図１７】[0035]ワイヤレス通信を送信および受信するために、図１６のワイヤレスデバイスなど、ワイヤレスデバイスにおいて実装され得る例示的な多入力多出力（ＭＩＭＯ）システムを示す図。
【図１８】[0036]６４トーンプラン実施形態による、様々なデータトーン数のための候補インターリーバパラメータを示すチャート。
【図１９】[0037]１２８トーンプラン実施形態による、様々なデータトーン数のための候補インターリーバパラメータを示すチャート。
【図２０】[0038]１９２トーンプラン実施形態による、様々なデータトーン数のための候補インターリーバパラメータを示すチャート。
【図２１】[0039]２５６トーンプラン実施形態による、様々なデータトーン数のための候補インターリーバパラメータを示すチャート。
【図２２】[0040]３８４トーンプラン実施形態による、様々なデータトーン数のための候補インターリーバパラメータを示すチャート。
【図２３】[0041]５１２トーンプラン実施形態による、様々なデータトーン数のための候補インターリーバパラメータを示すチャート。
【図２４】[0042]７６８トーンプラン実施形態による、様々なデータトーン数のための候補インターリーバパラメータを示すチャート。
【図２５Ａ】[0043]１０２４トーンプラン実施形態による、様々なデータトーン数のための候補インターリーバパラメータを示すチャート。
【図２５Ｂ】[0044]１０２４トーンプラン実施形態による、様々なデータトーン数のための別の候補インターリーバパラメータを示すチャート。
【図２６】[0045]１２８０トーンプラン実施形態による、様々なデータトーン数のための候補インターリーバパラメータを示すチャート。
【図２７】[0046]１５３６トーンプラン実施形態による、様々なデータトーン数のための候補インターリーバパラメータを示すチャート。
【図２８】[0047]１７９２トーンプラン実施形態による、様々なデータトーン数のための候補インターリーバパラメータを示すチャート。
【図２９】[0048]図１のワイヤレス通信システム１００内で採用され得るワイヤレス通信の例示的な方法のためのフローチャート。
【図３０】[0049]図１のワイヤレス通信システム１００内で採用され得るワイヤレス通信の別の例示的な方法のためのフローチャート。
【図３１】[0050]図１のワイヤレス通信システム１００内で採用され得るワイヤレス通信の別の例示的な方法のためのフローチャート。
【図３２】[0051]図１のワイヤレス通信システム１００内で採用され得るワイヤレス通信の別の例示的な方法のためのフローチャート。
【図３３】[0052]図１のワイヤレス通信システム１００内で採用され得るワイヤレス通信の別の例示的な方法のためのフローチャート。
【図３４】[0053]いくつかの異なる送信におけるデータトーン数についての上限の図。
【図３５】[0054]様々な実施形態による、３２トーン２．５ＭＨｚトーンプランについての上限を示す図。
【図３６】[0055]様々な実施形態による、６４トーン５ＭＨｚトーンプランについての上限を示す図。
【図３７】[0056]様々な実施形態による、１２８トーン１０ＭＨｚトーンプランについての上限を示す図。
【図３８】[0057]様々な実施形態による、１９２トーン１５ＭＨｚトーンプランについての上限を示す図。
【図３９】[0058]様々な実施形態による、２５６トーン２０ＭＨｚトーンプランについての上限を示す図。
【図４０】[0059]様々な実施形態による、３８４トーン３０ＭＨｚトーンプランについての上限を示す図。
【図４１Ａ】[0060]様々な実施形態による、５１２トーン４０ＭＨｚトーンプランについての上限を示す図。
【図４１Ｂ】[0061]いくつかの既存のトーンプランを含む、他の可能なトーンプランに対する実現可能な４０ＭＨｚトーンプランのいずれかからの利得を示す図。
【図４２】[0062]いくつかの既存のトーンプランを含む、他の可能なトーンプランに対する実現可能な６０ＭＨｚトーンプランのいずれかからの利得を示す図。
【図４３】[0063]いくつかの既存のトーンプランを含む、他の可能なトーンプランに対する実現可能な８０ＭＨｚトーンプランのいずれかからの利得を示す図。
【図４４】[0064]いくつかの既存のトーンプランを含む、他の可能なトーンプランに対する実現可能な１００ＭＨｚトーンプランのいずれかからの利得を示す図。
【図４５】[0065]いくつかの既存のトーンプランを含む、他の可能なトーンプランに対する実現可能な１２０ＭＨｚトーンプランのいずれかからの利得を示す図。
【図４６】[0066]いくつかの既存のトーンプランを含む、他の可能なトーンプランに対する実現可能な１４０ＭＨｚトーンプランのいずれかからの利得を示す図。
【図４７】[0067]３２トーンプラン実施形態による、様々なデータトーン数のための候補インターリーバパラメータを示すチャート。
【図４８】[0068]３８４トーンプラン実施形態による、様々なデータトーン数のためのいくつかの候補インターリーバパラメータを示すチャート。
【図４９】[0069]５１２トーンプラン実施形態による、様々なデータトーン数のためのいくつかの候補インターリーバパラメータを示すチャート。
【図５０】[0070]１０２４トーンプラン実施形態による、様々なデータトーン数のためのいくつかの候補インターリーバパラメータを示すチャート。
【図５１】[0071]１０２４トーンプラン実施形態による、様々なデータトーン数のためのさらなる候補インターリーバパラメータを示す追加のチャート。
【図５２】[0072]１２８０トーンプラン実施形態による、様々なデータトーン数のための候補インターリーバパラメータを示すチャート。
【図５３】[0073]１５３６トーンプラン実施形態による、様々なデータトーン数のための候補インターリーバパラメータを示すチャート。
【図５４】[0074]１７９２トーンプラン実施形態による、様々なデータトーン数のための候補インターリーバパラメータを示すチャート。
【図５５】[0075]図１のワイヤレス通信システム１００内で採用され得るワイヤレス通信の例示的な方法のためのフローチャート。
【発明を実施するための形態】
【０００９】
[0076]添付の図面を参照しながら、新規のシステム、装置、および方法の様々な態様について以下でより十分に説明する。ただし、教示開示は、多くの異なる形態で実施され得、本開示全体にわたって提示されるいずれかの特定の構造または機能に限定されるものと解釈されるべきではない。むしろ、これらの態様は、本開示が周到で完全になり、本開示の範囲を当業者に十分に伝えるように与えられる。本明細書の教示に基づいて、本開示の範囲は、本発明の他の態様とは無関係に実装されるにせよ、本発明の他の態様と組み合わせられるにせよ、本明細書で開示する新規のシステム、装置、および方法のいかなる態様をもカバーするものであることを、当業者は諒解されたい。たとえば、本明細書に記載する態様をいくつ使用しても、装置は実装され得、または方法は実施され得る。さらに、本発明の範囲は、本明細書に記載する本発明の様々な態様に加えてまたはそれらの態様以外に、他の構造、機能、または構造および機能を使用して実施されるそのような装置または方法をカバーするものとする。本明細書で開示するいかなる態様も請求項の１つまたは複数の要素によって実施され得ることを理解されたい。
【００１０】
[0077]本明細書では特定の態様について説明するが、これらの態様の多くの変形および置換は本開示の範囲内に入る。好適な態様のいくつかの利益および利点について説明するが、本開示の範囲は特定の利益、使用、または目的に限定されるものではない。むしろ、本開示の態様は、様々なワイヤレス技術、システム構成、ネットワーク、および伝送プロトコルに広く適用可能であるものとし、それらのうちのいくつかを例として、図において、および好適な態様についての以下の説明において示す。発明を実施するための形態および図面は、本開示を限定するものではなく説明するものにすぎず、本開示の範囲は添付の特許請求の範囲およびそれの均等物によって定義される。
デバイスを実装すること
[0078]ワイヤレスネットワーク技術は、様々なタイプのワイヤレスローカルエリアネットワーク（ＷＬＡＮ）を含むことができる。ＷＬＡＮは、広く使用されるネットワーキングプロトコルを採用して、近接デバイスを互いに相互接続するために使用され得る。本明細書で説明する様々な態様は、Ｗｉ−Ｆｉ（登録商標）、またはより一般的には、ワイヤレスプロトコルのＩＥＥＥ８０２．１１ファミリーの任意のメンバーなど、任意の通信規格に適用され得る。
【００１１】
[0079]いくつかの態様では、ワイヤレス信号は、直交周波数分割多重（ＯＦＤＭ）、直接シーケンススペクトラム拡散（ＤＳＳＳ：direct−sequence spread spectrum）通信、ＯＦＤＭとＤＳＳＳ通信との組合せ、または他の方式を使用して、高効率８０２．１１プロトコルに従って送信され得る。
【００１２】
[0080]いくつかの実装形態では、ＷＬＡＮは、ワイヤレスネットワークにアクセスする構成要素である様々なデバイスを含む。たとえば、２つのタイプのデバイス、すなわちアクセスポイント（「ＡＰ」）および（局または「ＳＴＡ」とも呼ばれる）クライアントがあり得る。概して、ＡＰはＷＬＡＮのためのハブまたは基地局として働き、ＳＴＡはＷＬＡＮのユーザとして働く。たとえば、ＳＴＡは、ラップトップコンピュータ、携帯情報端末（ＰＤＡ）、モバイルフォンなどであり得る。一例では、ＳＴＡは、インターネットまたは他のワイドエリアネットワークへの一般的接続性を取得するためにＷｉ−Ｆｉ（たとえば、８０２．１１ａｘなどのＩＥＥＥ８０２．１１プロトコル）準拠ワイヤレスリンクを介してＡＰに接続する。いくつかの実装形態では、ＳＴＡはＡＰとして使用されることもある。
【００１３】
[0081]本明細書で説明する技法は、直交多重化方式に基づく通信システムを含む様々なブロードバンドワイヤレス通信システムのために使用され得る。そのような通信システムの例としては、空間分割多元接続（ＳＤＭＡ）、時分割多元接続（ＴＤＭＡ）、直交周波数分割多元接続（ＯＦＤＭＡ）システム、シングルキャリア周波数分割多元接続（ＳＣ−ＦＤＭＡ）システムなどがある。ＳＤＭＡシステムは、複数のユーザ端末に属するデータを同時に送信するために十分に異なる方向を利用することができる。ＴＤＭＡシステムは、送信信号を異なるタイムスロットに分割することによって、複数のユーザ端末が同じ周波数チャネルを共有することを可能にすることができ、各タイムスロットは異なるユーザ端末に割り当てられる。ＴＤＭＡシステムは、ＧＳＭ（登録商標）または当技術分野で知られている何らかの他の規格を実装することができる。ＯＦＤＭＡシステムは、全システム帯域幅を複数の直交サブキャリアに区分する変調技法である、直交周波数分割多重化（ＯＦＤＭ）を利用する。これらのサブキャリアは、トーン、ビンなどと呼ばれることもある。ＯＦＤＭでは、各サブキャリアは独立してデータで変調され得る。ＯＦＤＭシステムは、ＩＥＥＥ８０２．１１または当技術分野で知られている何らかの他の規格を実装することができる。ＳＣ−ＦＤＭＡシステムは、システム帯域幅にわたって分散されたサブキャリア上で送信するためのインターリーブＦＤＭＡ（ＩＦＤＭＡ）、隣接するサブキャリアのブロック上で送信するための局所ＦＤＭＡ（ＬＦＤＭＡ）、または隣接するサブキャリアの複数のブロック上で送信するための拡張ＦＤＭＡ（ＥＦＤＭＡ）を利用することができる。概して、変調シンボルは、ＯＦＤＭでは周波数領域で、ＳＣ−ＦＤＭＡでは時間領域で送られる。ＳＣ−ＦＤＭＡシステムは、３ＧＰＰ（登録商標）−ＬＴＥ（登録商標）（第３世代パートナーシッププロジェクトロングタームエボリューション（3rd Generation Partnership Project Long Term Evolution））または他の規格を実装することができる。
【００１４】
[0082]本明細書の教示は、様々なワイヤードまたはワイヤレス装置（たとえば、ノード）に組み込まれ得る（たとえば、その装置内で実装されるか、またはその装置によって実施され得る）。いくつかの態様では、本明細書の教示に従って実装されるワイヤレスノードはアクセスポイントまたはアクセス端末を備えることができる。
【００１５】
[0083]アクセスポイント（「ＡＰ」）は、ノードＢ、無線ネットワークコントローラ（「ＲＮＣ」）、ｅノードＢ、基地局コントローラ（「ＢＳＣ」）、基地トランシーバ局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、または何らかの他の用語を備えるか、それらのいずれかとして実装されるか、あるいはそれらのいずれかとして知られていることがある。
【００１６】
[0084]また、局「ＳＴＡ」は、ユーザ端末、アクセス端末（「ＡＴ」）、加入者局、加入者ユニット、移動局、リモート局、リモート端末、ユーザエージェント、ユーザデバイス、ユーザ機器、または何らかの他の用語を備えるか、それらのいずれかとして実装されるか、あるいはそれらのいずれかとして知られていることがある。いくつかの実装形態では、アクセス端末は、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続能力を有するハンドヘルドデバイス、またはワイヤレスモデムに接続された何らかの他の好適な処理デバイスを備えることができる。したがって、本明細書で教示する１つまたは複数の態様は、電話（たとえば、セルラーフォンまたはスマートフォン）、コンピュータ（たとえば、ラップトップ）、ポータブル通信デバイス、ヘッドセット、ポータブルコンピューティングデバイス（たとえば、個人情報端末）、エンターテインメントデバイス（たとえば、音楽またはビデオデバイス、あるいは衛星ラジオ）、ゲームデバイスまたはシステム、全地球測位システムデバイス、あるいはワイヤレス媒体を介して通信するように構成された他の好適なデバイスに組み込まれ得る。
【００１７】
[0085]図１に、本開示の態様が採用され得るワイヤレス通信システム１００の一例を示す。ワイヤレス通信システム１００は、ワイヤレス規格、たとえば８０２．１１ａｘ規格に従って動作することができる。ワイヤレス通信システム１００は、ＳＴＡ１０６Ａ〜１０６Ｄと通信するＡＰ１０４を含むことができる。
【００１８】
[0086]様々なプロセスおよび方法は、ＡＰ１０４とＳＴＡ１０６Ａ〜１０６Ｄとの間の、ワイヤレス通信システム１００における送信のために使用され得る。たとえば、信号は、ＯＦＤＭ／ＯＦＤＭＡ技法に従って、ＡＰ１０４とＳＴＡ１０６Ａ〜１０６Ｄとの間で送信および受信され得る。そうである場合、ワイヤレス通信システム１００はＯＦＤＭ／ＯＦＤＭＡシステムと呼ばれることがある。代替的に、信号は、ＣＤＭＡ技法に従って、ＡＰ１０４とＳＴＡ１０６Ａ〜１０６Ｄとの間で送信および受信され得る。そうである場合、ワイヤレス通信システム１００はＣＤＭＡシステムと呼ばれることがある。
【００１９】
[0087]ＡＰ１０４からＳＴＡ１０６のうちの１つまたは複数への送信を可能にする通信リンクはダウンリンク（ＤＬ）１０８と呼ばれることがあり、ＳＴＡ１０６Ａ〜１０６Ｄのうちの１つまたは複数からＡＰ１０４への送信を可能にする通信リンクはアップリンク（ＵＬ）１１０と呼ばれることがある。代替的に、ダウンリンク１０８は順方向リンクまたは順方向チャネルと呼ばれることがあり、アップリンク１１０は逆方向リンクまたは逆方向チャネルと呼ばれることがある。
【００２０】
[0088]ＡＰ１０４は、基本サービスエリア（ＢＳＡ）１０２においてワイヤレス通信カバレージを与えることができる。ＡＰ１０４は、ＡＰ１０４に関連付けられ、通信のためにＡＰ１０４を使用するＳＴＡ１０６Ａ〜１０６Ｄとともに、基本サービスセット（ＢＳＳ）と呼ばれることがある。ワイヤレス通信システム１００は、中央ＡＰ１０４を有しないことがあり、むしろ、ＳＴＡ１０６Ａ〜１０６Ｄ間のピアツーピアネットワークとして機能することができることに留意されたい。したがって、本明細書で説明するＡＰ１０４の機能は、代替的にＳＴＡ１０６Ａ〜１０６Ｄのうちの１つまたは複数によって実施され得る。
【００２１】
[0089]図２に、ワイヤレス通信システム１００内で採用され得るワイヤレスデバイス２０２において利用され得る様々な構成要素を示す。ワイヤレスデバイス２０２は、本明細書で説明する様々な方法を実装するように構成され得るデバイスの一例である。たとえば、ワイヤレスデバイス２０２は、ＡＰ１０４を備えるか、またはＳＴＡ１０６Ａ〜１０６Ｄのうちの１つを備えることができる。
【００２２】
[0090]ワイヤレスデバイス２０２は、ワイヤレスデバイス２０２の動作を制御するプロセッサ２０４を含むことができる。プロセッサ２０４は中央処理ユニット（ＣＰＵ）と呼ばれることもある。読取り専用メモリ（ＲＯＭ）とランダムアクセスメモリ（ＲＡＭ）の両方を含むことができるメモリ２０６は、プロセッサ２０４に命令とデータとを供給する。メモリ２０６の一部分は不揮発性ランダムアクセスメモリ（ＮＶＲＡＭ）をも含むことができる。プロセッサ２０４は、一般に、メモリ２０６内に記憶されたプログラム命令に基づいて論理演算と算術演算とを実施する。メモリ２０６中の命令は、本明細書で説明する方法を実装するように実行可能であり得る。
【００２３】
[0091]プロセッサ２０４は、１つまたは複数のプロセッサを用いて実装された処理システムを備えるか、またはその処理システムの構成要素であり得る。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態機械、ゲート論理、個別ハードウェア構成要素、専用ハードウェア有限状態機械、あるいは情報の計算または他の操作を実施することができる任意の他の好適なエンティティの任意の組合せを用いて実装され得る。
【００２４】
[0092]処理システムは、ソフトウェアを記憶するための機械可読媒体をも含むことができる。ソフトウェアは、ソフトウェア、ファームウェア、ミドルウェア、マイクロコード、ハードウェア記述言語などの名称にかかわらず、任意のタイプの命令を意味すると広く解釈されたい。命令は、（たとえば、ソースコード形式、バイナリコード形式、実行可能コード形式、または任意の他の好適なコード形式の）コードを含むことができる。命令は、１つまたは複数のプロセッサによって実行されたとき、本明細書で説明する様々な機能を処理システムに実施させる。
【００２５】
[0093]ワイヤレスデバイス２０２はまた、ワイヤレスデバイス２０２と遠隔ロケーションとの間のデータの送信および受信を可能にするために送信機２１０と受信機２１２とを含むことができるハウジング２０８を含むことができる。送信機２１０と受信機２１２とは組み合わせられてトランシーバ２１４になり得る。アンテナ２１６は、ハウジング２０８に取り付けられ、トランシーバ２１４に電気的に結合され得る。ワイヤレスデバイス２０２はまた、たとえば、ＭＩＭＯ通信中に利用され得る、複数の送信機、複数の受信機、複数のトランシーバ、および／または複数のアンテナを含むことができる（図示せず）。
【００２６】
[0094]ワイヤレスデバイス２０２は、トランシーバ２１４によって受信された信号のレベルを検出し、定量化するために使用され得る信号検出器２１８をも含むことができる。信号検出器２１８は、そのような信号を、総エネルギー、シンボルごとのサブキャリア当たりのエネルギー、電力スペクトル密度および他の信号として検出することができる。ワイヤレスデバイス２０２は、信号を処理する際に使用するためのデジタル信号プロセッサ（ＤＳＰ）２２０をも含むことができる。ＤＳＰ２２０は、送信のためにデータユニットを生成するように構成され得る。いくつかの態様では、データユニットは物理レイヤデータユニット（ＰＰＤＵ：physical layer data unit）を備えることができる。いくつかの態様では、ＰＰＤＵはパケットと呼ばれる。
【００２７】
[0095]ワイヤレスデバイス２０２は、いくつかの態様では、ユーザインターフェース２２２をさらに備えることができる。ユーザインターフェース２２２は、キーパッド、マイクロフォン、スピーカー、および／またはディスプレイを備えることができる。ユーザインターフェース２２２は、ワイヤレスデバイス２０２のユーザに情報を伝達し、および／またはユーザからの入力を受信する、任意の要素または構成要素を含むことができる。
【００２８】
[0096]ワイヤレスデバイス２０２の様々な構成要素は、バスシステム２２６によって互いに結合され得る。バスシステム２２６は、たとえば、データバスを含むことができ、ならびに、データバスに加えて、電力バス、制御信号バス、およびステータス信号バスを含むことができる。ワイヤレスデバイス２０２の構成要素は、何らかの他の機構を使用して、互いに結合されるか、あるいは互いに対する入力を受け付けるかまたは供給し得ることを、当業者は諒解されよう。
【００２９】
[0097]図２には、いくつかの別個の構成要素が示されているが、構成要素のうちの１つまたは複数が組み合わせられるか、または共通に実装され得ることを、当業者は認識されよう。たとえば、プロセッサ２０４は、プロセッサ２０４に関して上記で説明した機能を実装するためだけでなく、信号検出器２１８および／またはＤＳＰ２２０に関して上記で説明した機能を実装するためにも使用され得る。さらに、図２に示された構成要素の各々は、複数の別個の要素を使用して実装され得る。
【００３０】
[0098]上記で説明したように、ワイヤレスデバイス２０２は、ＡＰ１０４またはＳＴＡ１０６を備えることができ、通信を送信および／または受信するために使用され得る。ワイヤレスネットワークにおけるデバイス間で交換される通信は、パケットまたはフレームを備えることができるデータユニットを含むことができる。いくつかの態様では、データユニットは、データフレーム、制御フレーム、および／または管理フレームを含むことができる。データフレームは、ＡＰおよび／またはＳＴＡから他のＡＰおよび／またはＳＴＡにデータを送信するために使用され得る。制御フレームは、様々な動作を実施するために、およびデータを確実に配信するために、データフレームとともに使用され得る（たとえば、データの受信を肯定応答すること、ＡＰのポーリング、エリアクリアリング動作、チャネル取得、キャリア検知維持機能など）。管理フレームは、（たとえば、ワイヤレスネットワークに加わり、そのネットワークから離れるなどのための）様々な監視機能のために使用され得る。
【００３１】
[0099]本開示のいくつかの態様は、ＡＰ１０４が、効率を改善するために最適化された方法でＳＴＡ１０６Ａ〜１０６Ｄ送信を割り振ることを可能にすることをサポートする。高効率ワイヤレス（ＨＥＷ）局、（８０２．１１ａｘなどの）８０２．１１高効率プロトコルを利用する局、および（８０２．１１ｂなどの）より古いまたはレガシー８０２．１１プロトコルを使用する局の両方は、ワイヤレス媒体にアクセスする際に、互いに競合または協調することがある。いくつかの実施形態では、本明細書で説明する高効率８０２．１１プロトコルは、ＨＥＷおよびレガシー局が、（トーンマップと呼ばれることもある）様々なＯＦＤＭＡトーンプランに従って相互動作することを可能にすることができる。いくつかの実施形態では、ＨＥＷ局は、ＯＦＤＭＡにおける多元接続技法を使用することなどによって、より効率的な様式でワイヤレス媒体にアクセスすることができる。したがって、集合住宅または人口密度の高い公共空間の場合、高効率８０２．１１プロトコルを使用するＡＰおよび／またはＳＴＡは、アクティブなワイヤレスデバイスの数が増加するときでも、レイテンシの低減およびネットワークスループットの増加を経験し、それにより、ユーザエクスペリエンスを改善することができる。
【００３２】
[00100]いくつかの実施形態では、ＡＰ１０４は、ＨＥＷ  ＳＴＡのための様々なＤＬトーンプランに従ってワイヤレス媒体上で送信することができる。たとえば、図１に関して、ＳＴＡ１０６Ａ〜１０６ＤはＨＥＷ  ＳＴＡであり得る。いくつかの実施形態では、ＨＥＷ  ＳＴＡは、レガシーＳＴＡのシンボル持続時間の４倍のシンボル持続時間を使用して通信することができる。したがって、送信される各シンボルは、持続時間が４倍長いことがある。より長いシンボル持続時間を使用するとき、個々のトーンの各々は、送信されるべき帯域幅の１／４程度のみを必要とし得る。たとえば、様々な実施形態では、１ｘシンボル持続時間は４ｍｓであり得、４ｘシンボル持続時間は１６ｍｓであり得る。ＡＰ１０４は、通信帯域幅に基づいて、１つまたは複数のトーンプランに従ってＨＥＷ  ＳＴＡ１０６Ａ〜１０６Ｄにメッセージを送信することができる。いくつかの態様では、ＡＰ１０４は、ＯＦＤＭＡを使用して同時に複数のＨＥＷ  ＳＴＡに送信するように構成され得る。
効率的なトーンプラン設計
[00101]図３に、一実施形態による、例示的な２Ｎトーンプラン３００を示す。一実施形態では、トーンプラン３００は、２Ｎ点ＦＦＴを使用して生成された、周波数領域におけるＯＦＤＭトーンに対応する。トーンプラン３００は、−Ｎ〜Ｎ−１でインデックス付けされた２Ｎ個のＯＦＤＭトーンを含む。トーンプラン３００は、ガードトーン３１０の２つのセットと、データ／パイロットトーン３２０の２つのセットと、直流（ＤＣ）トーン３３０のセットとを含む。様々な実施形態では、ガードトーン３１０およびＤＣトーン３３０はヌルであり得る。様々な実施形態では、トーンプラン３００は、別の好適な数のパイロットトーンを含み、および／または他の好適なトーンロケーションにあるパイロットトーンを含む。
【００３３】
[00102]図３には２Ｎトーンプラン３００が示されているが、Ｎの任意の値についての同様のトーンプラン（特に、３２トーンプラン、４８トーンプラン、６４トーンプラン、９６トーンプラン、１２８トーンプラン、１９２トーンプラン、２５６トーンプラン、３２０トーンプラン、３８４トーンプラン、４４８トーンプラン、５１２トーンプラン、７６８トーンプラン、１０２４トーンプラン、１２８０トーンプラン、１５３６トーンプラン、１７９２トーンプラン、および２０４８トーンプランなど）が使用され得る。様々な実施形態では、各トーンプランは、たとえば、５ＭＨｚ、１０ＭＨｚ、２０ＭＨｚ、４０ＭＨｚ、８０ＭＨｚ、および１６０ＭＨｚなどの通信帯域幅に対応することができる。
【００３４】
[00103]いくつかの態様では、様々なＩＥＥＥ８０２．１１プロトコルと比較して、４ｘシンボル持続時間を使用する送信のために、ＯＦＤＭＡトーンプランが与えられ得る。たとえば、４ｘシンボル持続時間は、持続時間がそれぞれ１６ｍｓであるいくつかのシンボルを使用し得る。いくつかの態様では、ＯＦＤＭＡトーンプランは、１２個のデータトーンの最小ＯＦＤＭＡ割振りを使用し得る。たとえば、ＵＬ  ＯＦＤＭＡ送信を送信しているかまたはＤＬ  ＯＦＤＭＡ送信を受信している各デバイスは、少なくとも１２個のデータトーンを割り当てられ得る。したがって、ＵＬ  ＯＦＤＭＡ割振りサイズとＤＬ  ＯＦＤＭＡ割振りサイズの両方は、１２個のトーン、ならびにＩＥＥＥ８０２．１１ａｈ規格に記載されている既存のサイズ（２３個のトーン、５３個のトーン、１０８個のトーン、および２３４個のトーン）であり得る。さらに、ＯＦＤＭＡ割振りの数は、送信ごとに８つまたは１６個の割振りにおいてなどに上限を定められ得る。各ユーザは、これらの割振りのうちの最大２つ上で受信または送信し得る。この上限は、シグナリングオーバーヘッドを制限し得る。さらに、１２個のトーンの倍数と等価なサイズをもつよりフレキシブルなＯＦＤＭＡを設計すること（たとえば、サブバンドごとに１２個のデータトーン、３６個のデータトーン、または７２個のデータトーン）が考えられ得る。
【００３５】
[00104]いくつかの態様では、ＯＦＤＭＡサブバンドは、いくつかの異なるサイズになることがある。たとえば、ＯＦＤＭＡサブバンドは、５ＭＨｚ、１０ＭＨｚ、１５ＭＨｚ、２０ＭＨｚ、３０ＭＨｚ、４０ＭＨｚ、６０ＭＨｚ、８０ＭＨｚ、１００ＭＨｚ、１２０ＭＨｚ、または１４０ＭＨｚの帯域幅を有し得る。これらの異なるサブバンドの各々は、異なるトーンプランを有し得る。トーンプランはまた、いくつかの他の考慮事項を用いて設計され得る。たとえば、１６０ＭＨｚのための２０４８トーンプランは、それぞれ８０ＭＨｚの帯域幅を使用する２つの複製された１０２４トーンプランを使用して構成され得る。
【００３６】
[00105]いくつかの態様では、送信する際の誤差のあるレベルに基づいて、好適であるトーンプランを指定することが望ましいことがある。たとえば、ＷｉＦｉ（登録商標）のいくつかの実装形態は、＋／−２０の１００万分の１（ｐｐｍ）または（許容範囲を合計すると）合計４０ｐｐｍの送信中心周波数誤差を使用し得る。単一のユーザからの４ｘシンボル持続時間を用いる５ＭＨｚ送信では、この４０ｐｐｍ誤差要件は、７つのＤＣトーンの使用を必要とし得る。複数のデバイスが同時に送信する場合、要件は、各デバイスの誤差が互いに加法的であり得るので、最高８０ｐｐｍであり得る。したがって、８０ｐｐｍ（＋／−４０ｐｐｍ）シナリオでは、１１個のＤＣトーンが必要とされ得る。周波数事前補正および／または１０ｐｐｍなど、より細かいｐｐｍ要件が使用される場合、３つまたは５つのＤＣトーンが、４ｘシンボル持続時間送信のために使用され得る。したがって、使用されるＤＣトーンの数は、送信において可能にされるキャリア周波数オフセットのレベルに少なくとも部分的に基づき得る。
【００３７】
[00106]いくつかの態様では、パッキング効率は、ＯＦＤＭＡ送信のための異なる場合において異なり得る。たとえば、（ＦＦＴトーン数での）ＯＦＭＤＡ割振り帯域幅は、（ＦＦＴサイズでの）異なる総帯域幅に基づいて変動し得る。たとえば、帯域幅の５ＭＨｚ部分は、その５ＭＨｚ部分が単一のユーザによって送信されている場合、またはそれが、異なる総帯域幅を用いるＯＦＤＭＡ送信の一部において送信されている場合、異なる数のデータトーンを搬送することが可能であり得る。
【００３８】
[00107]パイロットまたはガードトーン数も、送信のタイプに応じて変動し得る。たとえば、ＤＬ送信は、ＤＬ送信を受信する各デバイスが送信デバイスからの同じパイロットトーンを使用し得るので、送信ビームフォーミングが使用されない場合、共通パイロットトーンを使用し得る。しかしながら、いくつかのデバイスによって送信されているＵＬ送信は、各送信デバイスのための専用パイロットトーンを必要とし得る。さらに、ＵＬ送信は、異なるデバイスからの送信が互いに完全に直交するとは限らないので、異なるＯＦＤＭＡユーザ間にいくつかのガードトーンを有することを選好し得る。ＤＬ送信では、これは問題でないことがあり、これらの追加のガードトーンは必要とされないことがある。さらに、ＤＬ送信はワイドバンドマスクに従い得、ＵＬ送信は各ＳＴＡのためのサブバンドマスクに従うべきである。したがって、必要とされるガードトーン数は、ＵＬ送信とＤＬ送信との間で変動し得る。
【００３９】
[00108]さらに、有用であるために、トーンプランはまた、あるＢＣＣ（バイナリ畳み込みコード（binary convolutional code））インターリービング、ＬＤＰＣ（低密度パリティチェック）トーンマッピング距離設計を満たし、ならびにいくつかの異なる可能な変調およびコーディング方式（ＭＣＳ：modulation and coding scheme）に有効である必要があり得る。概して、トーンプランを選定する際に、所望の帯域幅の各々のための最小数のＤＣ、ガード、およびパイロットトーンを用いてデータトーン数（Ｎｄａｔａ）の上限を最初に取得することが有益であり得る。次に、いつサブバンド帯域幅がＯＦＤＭＡ割振りであるか、またはサブバンド帯域幅が単一のユーザ（ＳＵ：single user）のための全帯域幅であるとき、各サブバンド帯域幅のためのデータトーン数Ｎｄａｔａの上限を取得することが有益であり得る。
【００４０】
[00109]次に、上限といくつかの他の基準とを条件とする、実現可能なデータトーン数（Ｎｄａｔａ）を決定することが有用であり得る。最初に、Ｎｄａｔａの約数が、ＢＣＣインターリービング深度ＮCOLのために使用され得る。次に、Ｎｄａｔａの約数はＬＤＰＣトーンマッピング距離ＤTMとして使用されることもあり、それらは既存のトーンプランのためのものの中間にある。最終的に、ＭＣＳの除外組合せの数、およびデータストリームの数が比較的小さく保たれるである有益であり得る。概して、このトーンマッピングの後に残りのトーンがある場合、それらは、余分のＤＣ、ガード、またはパイロットトーンとして使用され得る。たとえば、残りのトーンは、キャリア周波数オフセット（ＣＦＯ：carrier frequency offset）要件を満たすためにＤＣトーンとして使用され、ＤＬ／ＵＬスペクトルマスク要件を満たすために、およびＵＬ送信における異なるＳＴＡ間の干渉を最小限に抑えるために余分のガードトーンとして使用され得、残りのトーンは、十分なパイロットトーンが各ＯＦＤＭＡユーザに与えられることを保証するために追加のパイロットトーンとして使用され得る。残りのトーンのこれらの様々な使用のために、いくつかの残りのトーンを有することが望ましいことがある。概して、本明細書の提案するトーンプランの各々は、それらのパイロットトーン数要件を条件として、ＵＬ  ＯＦＤＭＡ送信またはＤＬ  ＯＦＤＭＡ送信のいずれかのために使用され得る。
【００４１】
[00110]図４に、単一のユーザがあるときの、様々な実施形態による、６４トーンプラン、１２８トーンプラン、２５６トーンプラン、５１２トーンプラン、および１０２４トーンプランについての上限を示す。特に、図４は、使用される帯域幅による、１つ、３つ、５つ、７つ、または１１個のＤＣトーンを有する実施形態における６４トーンプラン、１２８トーンプラン、２５６トーンプラン、５１２トーンプラン、および１０２４トーンプランのためのデータトーン数（Ｎｄａｔａ）に対する上限を示す。これらの上限はまた、可能なガードトーンおよびパイロットトーンの最小数を使用する。たとえば、ＦＦＴサイズが６４であり、１つのＤＣトーン、７つのガードトーン、および４つのパイロットトーンがある場合、これは、データトーンとして使用され得る５２個の他のトーンを残す。
【００４２】
[00111]図５Ａに、様々な実施形態による、６４トーン５ＭＨｚトーンプランについての上限を示す。たとえば、単一のユーザでは、１つのＤＣトーンが使用される場合、５２個のデータトーンがあり得る。３つのＤＣトーンが使用される場合、単一のユーザのために５０個のデータトーンがあり得る。５つのＤＣトーンが使用される場合、単一のユーザのために４８個のデータトーンがあり得る。７つのＤＣトーンが使用される場合、単一のユーザのために４６個のデータトーンがあり得る。異なる総帯域幅を用いるＯＦＤＭＡ送信では、使用し得るデータトーン数は異なり得る。２０ＭＨｚ  ＯＦＤＭＡ送信では、３つのＤＣトーンがあるときの５ＭＨｚ部分におけるデータトーン数は、Ｆｌｏｏｒ（２３４／４）＝５８であり得る。この計算において、２３４は、図４に示されているように、３つのＤＣトーンをもつ２０ＭＨｚ送信におけるＮｄａｔａの上限である。したがって、２０ＭＨｚ送信の４つの５ＭＨｚ部分の各々は、最高１／４の端数切捨てのデータトーンを有し得る。２０ＭＨｚ  ＯＦＤＭＡ送信では、５つのＤＣトーンがあるときの５ＭＨｚ部分におけるデータトーン数は、Ｆｌｏｏｒ（２３２／４）＝５８であり得る。２０ＭＨｚ  ＯＦＤＭＡ送信では、７つのＤＣトーンがあるときの５ＭＨｚ部分におけるデータトーン数は、Ｆｌｏｏｒ（２３０／４）＝５７であり得る。
【００４３】
[00112]４０ＭＨｚ  ＯＦＤＭＡ送信では、３つのＤＣトーンがあるときの５ＭＨｚ部分におけるデータトーン数は、Ｆｌｏｏｒ（４８６／８）＝６０であり得る。４０ＭＨｚ  ＯＦＤＭＡ送信では、５つのＤＣトーンがあるときの５ＭＨｚ部分におけるデータトーン数は、Ｆｌｏｏｒ（４８４／８）＝６０であり得る。４０ＭＨｚ  ＯＦＤＭＡ送信では、７つのＤＣトーンがあるときの５ＭＨｚ部分におけるデータトーン数は、Ｆｌｏｏｒ（４８２／８）＝６０であり得る。４０ＭＨｚ  ＯＦＤＭＡ送信では、１１個のＤＣトーンがあるときの５ＭＨｚ部分におけるデータトーン数は、Ｆｌｏｏｒ（４７８／８）＝５９であり得る。
【００４４】
[00113]８０または１６０ＭＨｚ  ＯＦＤＭＡ送信では、３つのＤＣトーンがあるときの５ＭＨｚ部分におけるデータトーン数は、Ｆｌｏｏｒ（９９８／１６）＝６２であり得る。８０または１６０ＭＨｚ  ＯＦＤＭＡ送信では、５つのＤＣトーンがあるときの５ＭＨｚ部分におけるデータトーン数は、Ｆｌｏｏｒ（９９６／１６）＝６２であり得る。８０または１６０ＭＨｚ  ＯＦＤＭＡ送信では、７つのＤＣトーンがあるときの５ＭＨｚ部分におけるデータトーン数は、Ｆｌｏｏｒ（９９４／１６）＝６２であり得る。８０または１６０ＭＨｚ  ＯＦＤＭＡ送信では、１１個のＤＣトーンがあるときの５ＭＨｚ部分におけるデータトーン数は、Ｆｌｏｏｒ（９９０／１６）＝６１であり得る。したがって、６４トーン送信のための統合された上限は、６２個のデータトーンであり得る。これは、リストされた構成のいずれかにおける、可能な最高データトーン数である。
【００４５】
[00114]図５Ｂに、いくつかの既存のトーンプランを含む、他の可能なトーンプランに対する実現可能な５ＭＨｚトーンプランのいずれかからの利得を示す。たとえば、５０個のデータトーンを使用することは、４８個のデータトーンに対して４．１７％の利得を表すが、５２個のデータトーンに対して３．８５％の損失を表し得る。５４個のデータトーンを使用することは、４８個のデータトーンに対する１２．５％の利得、および５２個のデータトーンに対する３．８５％の利得を表し得る。５６個のデータトーンを使用することは、４８個のデータトーンに対する１６．６７％の利得、および５２個のデータトーンに対する７．６９％の利得を表し得る。５８個のデータトーンを使用することは、４８個のデータトーンに対する２０．８３％の利得、および５２個のデータトーンに対する１１．５４％の利得を表し得る。６０個のデータトーンを使用することは、４８個のデータトーンに対する２５％の利得、および５２個のデータトーンに対する１５．３８％の利得を表し得る。６２個のデータトーンを使用することは、４８個のデータトーンに対する２９．１７％の利得、および５２個のデータトーンに対する１９．２３％の利得を表し得る。
【００４６】
[00115]図６Ａに、様々な実施形態による、１２８トーン１０ＭＨｚトーンプランについての上限を示す。たとえば、単一のユーザでは、３つのＤＣトーンが使用される場合、１０８個のデータトーンがあり得る。５つのＤＣトーンが使用される場合、単一のユーザのために１０６個のデータトーンがあり得る。７つのＤＣトーンが使用される場合、単一のユーザのために１０４個のデータトーンがあり得る。異なる総帯域幅を用いるＯＦＤＭＡ送信では、使用し得るデータトーン数は異なり得る。２０ＭＨｚ  ＯＦＤＭＡ送信では、３つのＤＣトーンがあるときの１０ＭＨｚ部分におけるデータトーン数は、Ｆｌｏｏｒ（２３４／２）＝１１７であり得る。２０ＭＨｚ  ＯＦＤＭＡ送信では、５つのＤＣトーンがあるときの１０ＭＨｚ部分におけるデータトーン数は、Ｆｌｏｏｒ（２３２／２）＝１１６であり得る。２０ＭＨｚ  ＯＦＤＭＡ送信では、７つのＤＣトーンがあるときの１０ＭＨｚ部分におけるデータトーン数は、Ｆｌｏｏｒ（２３０／２）＝１１５であり得る。
【００４７】
[00116]４０ＭＨｚ  ＯＦＤＭＡ送信では、３つのＤＣトーンがあるときの１０ＭＨｚ部分におけるデータトーン数は、Ｆｌｏｏｒ（４８６／４）＝１２１であり得る。４０ＭＨｚ  ＯＦＤＭＡ送信では、５つのＤＣトーンがあるときの１０ＭＨｚ部分におけるデータトーン数は、Ｆｌｏｏｒ（４８４／４）＝１２１であり得る。４０ＭＨｚ  ＯＦＤＭＡ送信では、７つのＤＣトーンがあるときの１０ＭＨｚ部分におけるデータトーン数は、Ｆｌｏｏｒ（４８２／４）＝１２０であり得る。４０ＭＨｚ  ＯＦＤＭＡ送信では、１１個のＤＣトーンがあるときの１０ＭＨｚ部分におけるデータトーン数は、Ｆｌｏｏｒ（４７８／４）＝１１９であり得る。
【００４８】
[00117]８０または１６０ＭＨｚ  ＯＦＤＭＡ送信では、３つのＤＣトーンがあるときの１０ＭＨｚ部分におけるデータトーン数は、Ｆｌｏｏｒ（９９８／８）＝１２４であり得る。８０または１６０ＭＨｚ  ＯＦＤＭＡ送信では、５つのＤＣトーンがあるときの１０ＭＨｚ部分におけるデータトーン数は、Ｆｌｏｏｒ（９９６／８）＝１２４であり得る。８０または１６０ＭＨｚ  ＯＦＤＭＡ送信では、７つのＤＣトーンがあるときの１０ＭＨｚ部分におけるデータトーン数は、Ｆｌｏｏｒ（９９４／８）＝１２４であり得る。８０または１６０ＭＨｚ  ＯＦＤＭＡ送信では、１１個のＤＣトーンがあるときの１０ＭＨｚ部分におけるデータトーン数は、Ｆｌｏｏｒ（９９０／８）＝１２３であり得る。したがって、１２８トーン送信のための統合された上限は、１２４個のデータトーンであり得る。これは、リストされた構成のいずれかにおける、可能な最高データトーン数である。
【００４９】
[00118]図６Ｂに、いくつかの既存のトーンプランを含む、他の可能なトーンプランに対する実現可能な１０ＭＨｚトーンプランのいずれかからの利得を示す。たとえば、１１０個のデータトーンを使用することは、１０８個のデータトーンに対する１．８５％の利得を表し得る。１１２個のデータトーンを使用することは、１０８個のデータトーンに対する３．７０％の利得を表し得る。１１４個のデータトーンを使用することは、１０８個のデータトーンに対する５．５６％の利得を表し得る。１１６個のデータトーンを使用することは、１０８個のデータトーンに対する７．４１％の利得を表し得る。１１８個のデータトーンを使用することは、１０８個のデータトーンに対する９．２６％の利得を表し得る。１２０個のデータトーンを使用することは、１０８個のデータトーンに対する１１．１１％の利得を表し得る。１２２個のデータトーンを使用することは、１０８個のデータトーンに対する１２．９６％の利得を表し得る。１２４個のデータトーンを使用することは、１０８個のデータトーンに対する１４．８１％の利得を表し得る。
【００５０】
[00119]図７Ａに、様々な実施形態による、１９２トーン１５ＭＨｚトーンプランについての上限を示す。概して、１５ＭＨｚは、単一のユーザによって使用されないことがある。異なる総帯域幅を用いるＯＦＤＭＡ送信では、使用し得るデータトーン数は異なり得る。２０ＭＨｚ  ＯＦＤＭＡ送信では、３つのＤＣトーンがあるときの１５ＭＨｚ部分におけるデータトーン数は、Ｆｌｏｏｒ（２３４＊３／４）＝１７５であり得る。２０ＭＨｚ  ＯＦＤＭＡ送信では、５つのＤＣトーンがあるときの１５ＭＨｚ部分におけるデータトーン数は、Ｆｌｏｏｒ（２３２＊３／４）＝１７４であり得る。２０ＭＨｚ  ＯＦＤＭＡ送信では、７つのＤＣトーンがあるときの１５ＭＨｚ部分におけるデータトーン数は、Ｆｌｏｏｒ（２３０＊３／４）＝１７２であり得る。
【００５１】
[00120]４０ＭＨｚ  ＯＦＤＭＡ送信では、３つのＤＣトーンがあるときの１５ＭＨｚ部分におけるデータトーン数は、Ｆｌｏｏｒ（４８６＊３／８）＝１８２であり得る。４０ＭＨｚ  ＯＦＤＭＡ送信では、５つのＤＣトーンがあるときの１５ＭＨｚ部分におけるデータトーン数は、Ｆｌｏｏｒ（４８４＊３／８）＝１８１であり得る。４０ＭＨｚ  ＯＦＤＭＡ送信では、７つのＤＣトーンがあるときの１５ＭＨｚ部分におけるデータトーン数は、Ｆｌｏｏｒ（４８２＊３／８）＝１８０であり得る。４０ＭＨｚ  ＯＦＤＭＡ送信では、１１個のＤＣトーンがあるときの１５ＭＨｚ部分におけるデータトーン数は、Ｆｌｏｏｒ（４７８＊３／８）＝１７９であり得る。
【００５２】
[00121]８０または１６０ＭＨｚ  ＯＦＤＭＡ送信では、３つのＤＣトーンがあるときの１５ＭＨｚ部分におけるデータトーン数は、Ｆｌｏｏｒ（９９８＊３／１６）＝１８７であり得る。８０または１６０ＭＨｚ  ＯＦＤＭＡ送信では、５つのＤＣトーンがあるときの１５ＭＨｚ部分におけるデータトーン数は、Ｆｌｏｏｒ（９９６＊３／１６）＝１８６であり得る。８０または１６０ＭＨｚ  ＯＦＤＭＡ送信では、７つのＤＣトーンがあるときの１５ＭＨｚ部分におけるデータトーン数は、Ｆｌｏｏｒ（９９４＊３／１６）＝１８６であり得る。８０または１６０ＭＨｚ  ＯＦＤＭＡ送信では、１１個のＤＣトーンがあるときの１５ＭＨｚ部分におけるデータトーン数は、Ｆｌｏｏｒ（９９０＊３／１６）＝１８５であり得る。したがって、１９２トーン送信のための統合された上限は、１８７個のデータトーンであり得る。これは、リストされた構成のいずれかにおける、可能な最高データトーン数である。
【００５３】
[00122]図７Ｂに、いくつかの既存のトーンプランを含む、他の可能なトーンプランに対する実現可能な１５ＭＨｚトーンプランのいずれかからの利得を示す。たとえば、１６８個のデータトーンを使用することは、１８７個のデータトーンと比較して１０．１６％の損失を表し得る。１７０個のデータトーンを使用することは、１８７個のデータトーンと比較して９．０９％の損失を表し得る。１７２個のデータトーンを使用することは、１８７個のデータトーンと比較して８．０２％の損失を表し得る。１７４個のデータトーンを使用することは、１８７個のデータトーンと比較して６．９５％の損失を表し得る。１７６個のデータトーンを使用することは、１８７個のデータトーンと比較して５．８８％の損失を表し得る。１７８個のデータトーンを使用することは、１８７個のデータトーンと比較して４．８１％の損失を表し得る。１８０個のデータトーンを使用することは、１８７個のデータトーンと比較して３．７４％の損失を表し得る。１８２個のデータトーンを使用することは、１８７個のデータトーンと比較して２．６７％の損失を表し得る。１８４個のデータトーンを使用することは、１８７個のデータトーンと比較して１．６０％の損失を表し得る。１８６個のデータトーンを使用することは、１８７個のデータトーンと比較して０．５３％の損失を表し得る。
【００５４】
[00123]図８Ａに、様々な実施形態による、２５６トーン２０ＭＨｚトーンプランについての上限を示す。たとえば、単一のユーザでは、３つのＤＣトーンが使用される場合、２３４個のデータトーンがあり得る。５つのＤＣトーンが使用される場合、単一のユーザのために２３２個のデータトーンがあり得る。７つのＤＣトーンが使用される場合、単一のユーザのために２３０個のデータトーンがあり得る。異なる総帯域幅を用いるＯＦＤＭＡ送信では、使用し得るデータトーン数は異なり得る。２０ＭＨｚ  ＯＦＤＭＡ送信では、３つのＤＣトーンがあるときの２０ＭＨｚ部分（すなわち、送信全体）におけるデータトーン数は、２３４であり得る。２０ＭＨｚ  ＯＦＤＭＡ送信では、５つのＤＣトーンがあるときの２０ＭＨｚ部分におけるデータトーン数は、２３２であり得る。２０ＭＨｚ  ＯＦＤＭＡ送信では、７つのＤＣトーンがあるときの２０ＭＨｚ部分におけるデータトーン数は、２３０であり得る。
【００５５】
[00124]４０ＭＨｚ  ＯＦＤＭＡ送信では、３つのＤＣトーンがあるときの２０ＭＨｚ部分におけるデータトーン数は、Ｆｌｏｏｒ（４８６／２）＝２４３であり得る。４０ＭＨｚ  ＯＦＤＭＡ送信では、５つのＤＣトーンがあるときの２０ＭＨｚ部分におけるデータトーン数は、Ｆｌｏｏｒ（４８４／２）＝２４２であり得る。４０ＭＨｚ  ＯＦＤＭＡ送信では、７つのＤＣトーンがあるときの２０ＭＨｚ部分におけるデータトーン数は、Ｆｌｏｏｒ（４８２／２）＝２４１であり得る。４０ＭＨｚ  ＯＦＤＭＡ送信では、１１個のＤＣトーンがあるときの２０ＭＨｚ部分におけるデータトーン数は、Ｆｌｏｏｒ（４７８／２）＝２３９であり得る。
【００５６】
[00125]８０または１６０ＭＨｚ  ＯＦＤＭＡ送信では、３つのＤＣトーンがあるときの２０ＭＨｚ部分におけるデータトーン数は、Ｆｌｏｏｒ（９９８／４）＝２４９であり得る。８０または１６０ＭＨｚ  ＯＦＤＭＡ送信では、５つのＤＣトーンがあるときの２０ＭＨｚ部分におけるデータトーン数は、Ｆｌｏｏｒ（９９６／４）＝２４９であり得る。８０または１６０ＭＨｚ  ＯＦＤＭＡ送信では、７つのＤＣトーンがあるときの２０ＭＨｚ部分におけるデータトーン数は、Ｆｌｏｏｒ（９９４／４）＝２４８であり得る。８０または１６０ＭＨｚ  ＯＦＤＭＡ送信では、１１個のＤＣトーンがあるときの２０ＭＨｚ部分におけるデータトーン数は、Ｆｌｏｏｒ（９９０／４）＝２４７であり得る。したがって、２５６トーン送信のための統合された上限は、２４９個のデータトーンであり得る。これは、リストされた構成のいずれかにおける、可能な最高データトーン数である。
【００５７】
[00126]図８Ｂに、いくつかの既存のトーンプランを含む、他の可能なトーンプランに対する実現可能な２０ＭＨｚトーンプランのいずれかからの利得を示す。たとえば、２３６個のデータトーンを使用することは、２３４個のデータトーンに対する０．８５％の利得を表し得る。２３８個のデータトーンを使用することは、２３４個のデータトーンに対する１．７１％の利得を表し得る。２４０個のデータトーンを使用することは、２３４個のデータトーンに対する２．５６％の利得を表し得る。２４２個のデータトーンを使用することは、２３４個のデータトーンに対する３．４２％の利得を表し得る。２４４個のデータトーンを使用することは、２３４個のデータトーンに対する４．２７％の利得を表し得る。２４６個のデータトーンを使用することは、２３４個のデータトーンに対する５．１３％の利得を表し得る。２４８個のデータトーンを使用することは、２３４個のデータトーンに対する５．９８％の利得を表し得る。
【００５８】
[00127]図９Ａに、様々な実施形態による、３８４トーン３０ＭＨｚトーンプランについての上限を示す。４０ＭＨｚ  ＯＦＤＭＡ送信では、３つのＤＣトーンがあるときの３０ＭＨｚ部分におけるデータトーン数は、Ｆｌｏｏｒ（４８６＊３／４）＝３６４であり得る。４０ＭＨｚ  ＯＦＤＭＡ送信では、５つのＤＣトーンがあるときの３０ＭＨｚ部分におけるデータトーン数は、Ｆｌｏｏｒ（４８４＊３／４）＝３６３であり得る。４０ＭＨｚ  ＯＦＤＭＡ送信では、７つのＤＣトーンがあるときの３０ＭＨｚ部分におけるデータトーン数は、Ｆｌｏｏｒ（４８２＊３／４）＝３６１であり得る。４０ＭＨｚ  ＯＦＤＭＡ送信では、１１個のＤＣトーンがあるときの３０ＭＨｚ部分におけるデータトーン数は、Ｆｌｏｏｒ（４７８＊３／４）＝３５８であり得る。
【００５９】
[00128]８０または１６０ＭＨｚ  ＯＦＤＭＡ送信では、３つのＤＣトーンがあるときの３０ＭＨｚ部分におけるデータトーン数は、Ｆｌｏｏｒ（９９８＊３／８）＝３７４であり得る。８０または１６０ＭＨｚ  ＯＦＤＭＡ送信では、５つのＤＣトーンがあるときの３０ＭＨｚ部分におけるデータトーン数は、Ｆｌｏｏｒ（９９６＊３／８）＝３７３であり得る。８０または１６０ＭＨｚ  ＯＦＤＭＡ送信では、７つのＤＣトーンがあるときの３０ＭＨｚ部分におけるデータトーン数は、Ｆｌｏｏｒ（９９４＊３／８）＝３７２であり得る。８０または１６０ＭＨｚ  ＯＦＤＭＡ送信では、１１個のＤＣトーンがあるときの３０ＭＨｚ部分におけるデータトーン数は、Ｆｌｏｏｒ（９９０＊３／８）＝３７１であり得る。したがって、３８４トーン送信のための統合された上限は、３７４個のデータトーンであり得る。これは、リストされた構成のいずれかにおける、可能な最高データトーン数である。
【００６０】
[00129]図９Ｂに、いくつかの既存のトーンプランを含む、他の可能なトーンプランに対する実現可能な３０ＭＨｚトーンプランのいずれかからの利得を示す。たとえば、３５０個のデータトーンを使用することは、３７４個のデータトーンを使用することと比較して６．４２％の損失を表し得る。３５２個のデータトーンを使用することは、３７４個のデータトーンを使用することと比較して５．８８％の損失を表し得る。３５４個のデータトーンを使用することは、３７４個のデータトーンを使用することと比較して５．３５％の損失を表し得る。３５６個のデータトーンを使用することは、３７４個のデータトーンを使用することと比較して４．８１％の損失を表し得る。３５７個のデータトーンを使用することは、３７４個のデータトーンを使用することと比較して４．５５％の損失を表し得る。３５８個のデータトーンを使用することは、３７４個のデータトーンを使用することと比較して４．２８％の損失を表し得る。３６０個のデータトーンを使用することは、３７４個のデータトーンを使用することと比較して３．７４％の損失を表し得る。３６４個のデータトーンを使用することは、３７４個のデータトーンを使用することと比較して２．６７％の損失を表し得る。３６６個のデータトーンを使用することは、３７４個のデータトーンを使用することと比較して２．１４％の損失を表し得る。３６８個のデータトーンを使用することは、３７４個のデータトーンを使用することと比較して１．６０％の損失を表し得る。３７０個のデータトーンを使用することは、３７４個のデータトーンを使用することと比較して１．０７％の損失を表し得る。３７２個のデータトーンを使用することは、３７４個のデータトーンを使用することと比較して０．５３％の損失を表し得る。
【００６１】
[00130]図１０Ａに、様々な実施形態による、５１２トーン４０ＭＨｚトーンプランについての上限を示す。たとえば、単一のユーザでは、３つのＤＣトーンが使用される場合、４８６個のデータトーンがあり得る。５つのＤＣトーンが使用される場合、単一のユーザのために４８４個のデータトーンがあり得る。７つのＤＣトーンが使用される場合、単一のユーザのために４８２個のデータトーンがあり得る。１１個のＤＣトーンが使用される場合、単一のユーザのために４７８個のデータトーンがあり得る。同様に、４０ＭＨｚ総帯域幅を用いるＯＦＤＭＡ送信では、同じデータトーン数が使用され得る。
【００６２】
[00131]８０または１６０ＭＨｚ  ＯＦＤＭＡ送信では、３つのＤＣトーンがあるときの４０ＭＨｚ部分におけるデータトーン数は、Ｆｌｏｏｒ（９９８／２）＝４９９であり得る。８０または１６０ＭＨｚ  ＯＦＤＭＡ送信では、５つのＤＣトーンがあるときの４０ＭＨｚ部分におけるデータトーン数は、Ｆｌｏｏｒ（９９６／２）＝４９８であり得る。８０または１６０ＭＨｚ  ＯＦＤＭＡ送信では、７つのＤＣトーンがあるときの４０ＭＨｚ部分におけるデータトーン数は、Ｆｌｏｏｒ（９９４／２）＝４９７であり得る。８０または１６０ＭＨｚ  ＯＦＤＭＡ送信では、１１個のＤＣトーンがあるときの４０ＭＨｚ部分におけるデータトーン数は、Ｆｌｏｏｒ（９９０／２）＝４９５であり得る。したがって、５１２トーン送信のための統合された上限は、４９９個のデータトーンであり得る。これは、リストされた構成のいずれかにおける、可能な最高データトーン数である。
【００６３】
[00132]図１０Ｂに、いくつかの既存のトーンプランを含む、他の可能なトーンプランに対する実現可能な４０ＭＨｚトーンプランのいずれかからの利得を示す。たとえば、４７０個のデータトーンを使用することは、４６８個のデータトーンに対する０．４３％の利得を表し得る。４７２個のデータトーンを使用することは、４６８個のデータトーンに対する０．８５％の利得を表し得る。４７４個のデータトーンを使用することは、４６８個のデータトーンに対する１．２８％の利得を表し得る。４７６個のデータトーンを使用することは、４６８個のデータトーンに対する１．７１％の利得を表し得る。４７８個のデータトーンを使用することは、４６８個のデータトーンに対する２．１４％の利得を表し得る。４８０個のデータトーンを使用することは、４６８個のデータトーンに対する２．５６％の利得を表し得る。４８４個のデータトーンを使用することは、４６８個のデータトーンに対する３．４２％の利得を表し得る。４８６個のデータトーンを使用することは、４６８個のデータトーンに対する３．８５％の利得を表し得る。４８８個のデータトーンを使用することは、４６８個のデータトーンに対する４．２７％の利得を表し得る。４９０個のデータトーンを使用することは、４６８個のデータトーンに対する４．７０％の利得を表し得る。４９２個のデータトーンを使用することは、４６８個のデータトーンに対する５．１３％の利得を表し得る。４９６個のデータトーンを使用することは、４６８個のデータトーンに対する５．９８％の利得を表し得る。４９８個のデータトーンを使用することは、４６８個のデータトーンに対する６．４１％の利得を表し得る。
【００６４】
[00133]図１１Ａに、様々な実施形態による、７６８トーン６０ＭＨｚトーンプランについての上限を示す。８０または１６０ＭＨｚ  ＯＦＤＭＡ送信では、３つのＤＣトーンがあるときの６０ＭＨｚ部分におけるデータトーン数は、Ｆｌｏｏｒ（９９８＊３／４）＝７４８であり得る。８０または１６０ＭＨｚ  ＯＦＤＭＡ送信では、５つのＤＣトーンがあるときの６０ＭＨｚ部分におけるデータトーン数は、Ｆｌｏｏｒ（９９６＊３／４）＝７４７であり得る。８０または１６０ＭＨｚ  ＯＦＤＭＡ送信では、７つのＤＣトーンがあるときの６０ＭＨｚ部分におけるデータトーン数は、Ｆｌｏｏｒ（９９４＊３／４）＝７４５であり得る。８０または１６０ＭＨｚ  ＯＦＤＭＡ送信では、１１個のＤＣトーンがあるときの６０ＭＨｚ部分におけるデータトーン数は、Ｆｌｏｏｒ（９９０＊３／４）＝７４２であり得る。したがって、７６８トーン送信のための統合された上限は、７４８個のデータトーンであり得る。これは、リストされた構成のいずれかにおける、可能な最高データトーン数である。
【００６５】
[00134]図１１Ｂに、いくつかの既存のトーンプランを含む、他の可能なトーンプランに対する実現可能な６０ＭＨｚトーンプランのいずれかからの利得を示す。たとえば、７３２個のデータトーンを使用することは、４７８個のデータトーンを使用することと比較して２．１４％の損失を表し得る。７３８個のデータトーンを使用することは、４７８個のデータトーンを使用することと比較して１．３４％の損失を表し得る。７４０個のデータトーンを使用することは、４７８個のデータトーンを使用することと比較して１．０７％の損失を表し得る。７４４個のデータトーンを使用することは、４７８個のデータトーンを使用することと比較して０．５３％の損失を表し得る。
【００６６】
[00135]図１２Ａに、様々な実施形態による、１０２４トーン８０ＭＨｚトーンプランについての上限を示す。たとえば、単一のユーザでは、３つのＤＣトーンが使用される場合、９９８個のデータトーンがあり得る。５つのＤＣトーンが使用される場合、単一のユーザのために９９６個のデータトーンがあり得る。７つのＤＣトーンが使用される場合、単一のユーザのために９９４個のデータトーンがあり得る。１１個のＤＣトーンが使用される場合、単一のユーザのために９９０個のデータトーンがあり得る。同様に、８０または１６０ＭＨｚ  ＯＦＤＭＡ送信において、同じ上限が適用され得る。したがって、１０２４トーン送信のための統合された上限は、９９８個のデータトーンであり得る。これは、リストされた構成のいずれかにおける、可能な最高データトーン数である。
【００６７】
[00136]図１２Ｂに、いくつかの既存のトーンプランを含む、他の可能なトーンプランに対する実現可能な８０ＭＨｚトーンプランのいずれかからの利得を示す。たとえば、９４８個のデータトーンを使用することは、９３６個のデータトーンに対する１．２８％の利得を表し得る。９６０個のデータトーンを使用することは、９３６個のデータトーンに対する２．５６％の利得を表し得る。９７２個のデータトーンを使用することは、９３６個のデータトーンに対する４．０６％の利得を表し得る。９８０個のデータトーンを使用することは、９３６個のデータトーンに対する４．７０％の利得を表し得る。９８４個のデータトーンを使用することは、９３６個のデータトーンに対する５．１３％の利得を表し得る。９９０個のデータトーンを使用することは、９３６個のデータトーンに対する５．７７％の利得を表し得る。９９６個のデータトーンを使用することは、９３６個のデータトーンに対する６．４１％の利得を表し得る。
【００６８】
[00137]図１３Ａに、様々な実施形態による、１２８０トーン１００ＭＨｚトーンプランについての上限を示す。１６０ＭＨｚ  ＯＦＤＭＡ送信では、３つのＤＣトーンがあるときの１００ＭＨｚ部分におけるデータトーン数は、Ｆｌｏｏｒ（９９８＊５／４）＝１２４７であり得る。１６０ＭＨｚ  ＯＦＤＭＡ送信では、５つのＤＣトーンがあるときの１００ＭＨｚ部分におけるデータトーン数は、Ｆｌｏｏｒ（９９６＊５／４）＝１２４５であり得る。１６０ＭＨｚ  ＯＦＤＭＡ送信では、７つのＤＣトーンがあるときの１００ＭＨｚ部分におけるデータトーン数は、Ｆｌｏｏｒ（９９４＊５／４）＝１２４２であり得る。１６０ＭＨｚ  ＯＦＤＭＡ送信では、１１個のＤＣトーンがあるときの１００ＭＨｚ部分におけるデータトーン数は、Ｆｌｏｏｒ（９９０＊５／４）＝１２３７であり得る。したがって、１２８０トーン送信のための統合された上限は、１２４７個のデータトーンであり得る。これは、リストされた構成のいずれかにおける、可能な最高データトーン数である。
【００６９】
[00138]図１３Ｂに、いくつかの既存のトーンプランを含む、他の可能なトーンプランに対する実現可能な１００ＭＨｚトーンプランのいずれかからの利得を示す。たとえば、１２００個のデータトーンを使用することは、１２４７個のデータトーンを使用することと比較して３．７７％の損失を表し得る。１２０６個のデータトーンを使用することは、１２４７個のデータトーンを使用することと比較して３．２９％の損失を表し得る。
【００７０】
[00139]図１４Ａに、様々な実施形態による、１５３６トーン１２０ＭＨｚトーンプランについての上限を示す。１６０ＭＨｚ  ＯＦＤＭＡ送信では、３つのＤＣトーンがあるときの１２０ＭＨｚ部分におけるデータトーン数は、Ｆｌｏｏｒ（９９８＊３／２）＝１４９７であり得る。１６０ＭＨｚ  ＯＦＤＭＡ送信では、５つのＤＣトーンがあるときの１２０ＭＨｚ部分におけるデータトーン数は、Ｆｌｏｏｒ（９９６＊３／２）＝１４９４であり得る。１６０ＭＨｚ  ＯＦＤＭＡ送信では、７つのＤＣトーンがあるときの１２０ＭＨｚ部分におけるデータトーン数は、Ｆｌｏｏｒ（９９４＊３／２）＝１４９１であり得る。１６０ＭＨｚ  ＯＦＤＭＡ送信では、１１個のＤＣトーンがあるときの１２０ＭＨｚ部分におけるデータトーン数は、Ｆｌｏｏｒ（９９０＊３／２）＝１４８５であり得る。したがって、１５３６トーン送信のための統合された上限は、１４９７個のデータトーンであり得る。これは、リストされた構成のいずれかにおける、可能な最高データトーン数である。
【００７１】
[00140]図１４Ｂに、いくつかの既存のトーンプランを含む、他の可能なトーンプランに対する実現可能な１２０ＭＨｚトーンプランのいずれかからの利得を示す。たとえば、１４２０個のデータトーンを使用することは、１４９７個のデータトーンを使用することと比較して５．１４％の損失を表し得る。１４２２個のデータトーンを使用することは、１４９７個のデータトーンを使用することと比較して５．０１％の損失を表し得る。１４２４個のデータトーンを使用することは、１４９７個のデータトーンを使用することと比較して４．８８％の損失を表し得る。１４２６個のデータトーンを使用することは、１４９７個のデータトーンを使用することと比較して４．７４％の損失を表し得る。１４２８個のデータトーンを使用することは、１４９７個のデータトーンを使用することと比較して４．６１％の損失を表し得る。１４３０個のデータトーンを使用することは、１４９７個のデータトーンを使用することと比較して４．４８％の損失を表し得る。１４３２個のデータトーンを使用することは、１４９７個のデータトーンを使用することと比較して４．３４％の損失を表し得る。１４３４個のデータトーンを使用することは、１４９７個のデータトーンを使用することと比較して４．２１％の損失を表し得る。１４３６個のデータトーンを使用することは、１４９７個のデータトーンを使用することと比較して４．０７％の損失を表し得る。１４３８個のデータトーンを使用することは、１４９７個のデータトーンを使用することと比較して３．９４％の損失を表し得る。１４４０個のデータトーンを使用することは、１４９７個のデータトーンを使用することと比較して３．８１％の損失を表し得る。１４５２個のデータトーンを使用することは、１４９７個のデータトーンを使用することと比較して３．０１％の損失を表し得る。１４６４個のデータトーンを使用することは、１４９７個のデータトーンを使用することと比較して２．２０％の損失を表し得る。１４７０個のデータトーンを使用することは、１４９７個のデータトーンを使用することと比較して１．８０％の損失を表し得る。１４８５個のデータトーンを使用することは、１４９７個のデータトーンを使用することと比較して０．８０％の損失を表し得る。１４８８個のデータトーンを使用することは、１４９７個のデータトーンを使用することと比較して０．６０％の損失を表し得る。１４９１個のデータトーンを使用することは、１４９７個のデータトーンを使用することと比較して０．４０％の損失を表し得る。
【００７２】
[00141]図１５Ａに、様々な実施形態による、１７９２トーン１４０ＭＨｚトーンプランについての上限を示す。１６０ＭＨｚ  ＯＦＤＭＡ送信では、３つのＤＣトーンがあるときの１４０ＭＨｚ部分におけるデータトーン数はＦｌｏｏｒ（９９８＊７／４）＝１７４６であり得る。１６０ＭＨｚ  ＯＦＤＭＡ送信では、５つのＤＣトーンがあるときの１４０ＭＨｚ部分におけるデータトーン数はＦｌｏｏｒ（９９６＊７／４）＝１７４３であり得る。１６０ＭＨｚ  ＯＦＤＭＡ送信では、７つのＤＣトーンがあるときの１４０ＭＨｚ部分におけるデータトーン数はＦｌｏｏｒ（９９４＊７／４）＝１７３９であり得る。１６０ＭＨｚ  ＯＦＤＭＡ送信では、１１個のＤＣトーンがあるときの１４０ＭＨｚ部分におけるデータトーン数はＦｌｏｏｒ（９９０＊７／４）＝１７３２であり得る。したがって、１７９２トーン送信のための統合された上限は、１７４６個のデータトーンであり得る。これは、リストされた構成のいずれかにおける、可能な最高データトーン数である。
【００７３】
[00142]図１５Ｂに、いくつかの既存のトーンプランを含む、他の可能なトーンプランに対する実現可能な１４０ＭＨｚトーンプランのいずれかからの利得を示す。たとえば、１６６０個のデータトーンを使用することは、１７４６個のデータトーンを使用することと比較して４．９３％の損失を表し得る。１６６４個のデータトーンを使用することは、１７４６個のデータトーンを使用することと比較して４．７０％の損失を表し得る。１６６８個のデータトーンを使用することは、１７４６個のデータトーンを使用することと比較して４．４７％の損失を表し得る。１６７２個のデータトーンを使用することは、１７４６個のデータトーンを使用することと比較して４．２４％の損失を表し得る。１６８０個のデータトーンを使用することは、１７４６個のデータトーンを使用することと比較して３．７８％の損失を表し得る。１６８８個のデータトーンを使用することは、１７４６個のデータトーンを使用することと比較して３．３２％の損失を表し得る。１６９２個のデータトーンを使用することは、１７４６個のデータトーンを使用することと比較して３．０９％の損失を表し得る。１６９６個のデータトーンを使用することは、１７４６個のデータトーンを使用することと比較して２．８６％の損失を表し得る。１７００個のデータトーンを使用することは、１７４６個のデータトーンを使用することと比較して２．６３％の損失を表し得る。１７０４個のデータトーンを使用することは、１７４６個のデータトーンを使用することと比較して２．４１％の損失を表し得る。１７０８個のデータトーンを使用することは、１７４６個のデータトーンを使用することと比較して２．１８％の損失を表し得る。１７１０個のデータトーンを使用することは、１７４６個のデータトーンを使用することと比較して２．０６％の損失を表し得る。１７１２個のデータトーンを使用することは、１７４６個のデータトーンを使用することと比較して１．９５％の損失を表し得る。１７１６個のデータトーンを使用することは、１７４６個のデータトーンを使用することと比較して１．７２％の損失を表し得る。１７２０個のデータトーンを使用することは、１７４６個のデータトーンを使用することと比較して１．４９％の損失を表し得る。１７２８個のデータトーンを使用することは、１７４６個のデータトーンを使用することと比較して１．０３％の損失を表し得る。１７４０個のデータトーンを使用することは、１７４６個のデータトーンを使用することと比較して０．３４％の損失を表し得る。１７４５個のデータトーンを使用することは、１７４６個のデータトーンを使用することと比較して０．０６％の損失を表し得る。
【００７４】
[00143]図１６に、一実施形態による、直交周波数分割多元接続（ＯＦＤＭＡ）トーンプランのためのインターリービングパラメータを生成するように動作可能であるシステム１０００を示す。システム１０００は、ワイヤレスネットワーク１０５０を介して複数の他のデバイス（たとえば、宛先デバイス）１０２０、１０３０、および１０４０とワイヤレス通信するように構成された第１のデバイス（たとえば、ソースデバイス）１０１０を含む。代替実施形態では、異なる数のソースデバイス宛先デバイスがシステム１０００中に存在することができる。様々な実施形態では、ソースデバイス１０１０はＡＰ１０４（図１）を含むことができ、他のデバイス１０２０、１０３０、および１０４０はＳＴＡ１０６Ａ〜１０６Ｄ（図１）を含むことができる。システム１０００はシステム１００（図１）を含むことができる。様々な実施形態では、デバイス１０１０、１０２０、１０３０、および１０４０のいずれも、ワイヤレスデバイス２０２（図２）を含むことができる。
【００７５】
[00144]特定の実施形態では、ワイヤレスネットワーク１０５０は米国電気電子技術者協会（ＩＥＥＥ）８０２．１１ワイヤレスネットワーク（たとえば、Ｗｉ−Ｆｉネットワーク）である。たとえば、ワイヤレスネットワーク６１０５０は、ＩＥＥＥ８０２．１１規格に従って動作することができる。特定の実施形態では、ワイヤレスネットワーク１０５０は多元接続通信をサポートする。たとえば、ワイヤレスネットワーク１０５０は、宛先デバイス１０２０、１０３０、および１０４０の各々への単一のパケット１０６０の通信をサポートすることができ、ここで、単一のパケット１０６０は、宛先デバイスの各々に向けられた個々のデータ部分を含む。一例では、本明細書でさらに説明するように、パケット１０６０はＯＦＤＭＡパケットであり得る。
【００７６】
[00145]ソースデバイス１０１０は、（１つまたは複数の）多元接続パケットを生成し、それを複数の宛先デバイスに送信するように構成されたアクセスポイント（ＡＰ）または他のデバイスであり得る。特定の実施形態では、ソースデバイス１０１０は、プロセッサ１０１１（たとえば、中央処理ユニット（ＣＰＵ）、デジタル信号プロセッサ（ＤＳＰ）、ネットワーク処理ユニット（ＮＰＵ）など）と、メモリ１０１２（たとえば、ランダムアクセスメモリ（ＲＡＭ）、読取り専用メモリ（ＲＯＭ）など）と、ワイヤレスネットワーク１０５０を介してデータを送信および受信するように構成されたワイヤレスインターフェース１０１５とを含む。メモリ１０１２は、図１７のインターリービングシステム１０１４に関して説明する技法に従って、データをインターリーブするためにインターリービングシステム１０１４によって使用されるバイナリ畳み込みコード（ＢＣＣ）インターリービングパラメータ１０１３を記憶することができる。
【００７７】
[00146]本明細書で使用する「トーン」は、データがその内で通信され得る周波数または周波数のセット（たとえば、周波数範囲）を表すことができる。トーンは、代替的にサブキャリアと呼ばれることがある。したがって、「トーン」は周波数領域ユニットであり得、パケットは複数のトーンにわたることができる。トーンとは対照的に、「シンボル」は時間領域ユニットであり得、パケットは複数のシンボルにわたる（たとえば、複数のシンボルを含む）ことができ、各シンボルは特定の持続時間を有する。したがって、ワイヤレスパケットは、周波数範囲（たとえば、トーン）と時間期間（たとえば、シンボル）とにわたる２次元構造として視覚化され得る。
【００７８】
[00147]一例として、ワイヤレスデバイスは、８０メガヘルツ（ＭＨｚ）ワイヤレスチャネル（たとえば、８０ＭＨｚ帯域幅を有するチャネル）を介してパケットを受信することができる。ワイヤレスデバイスは、パケット中の５１２個のトーンを決定するために５１２点高速フーリエ変換（ＦＦＴ）を実施することができる。トーンのサブセットが「使用可能」と考えられ得、残りのトーンは「使用不可能」と考えられ得る（たとえば、ガードトーン、直流（ＤＣ）トーンなどであり得る）。例示のために、４７４個のデータトーンと２２個のパイロットトーンとを含む、５１２個のトーンのうちの４９６個が使用可能であり得る。別の例として、４７６個のデータトーンおよび２０個のパイロットトーンがあり得る。上述のチャネル帯域幅、変換、およびトーンプランは例にすぎないことに留意されたい。代替実施形態では、異なるチャネル帯域幅（たとえば、５ＭＨｚ、６ＭＨｚ、６．５ＭＨｚ、４０ＭＨｚ、８０ＭＨｚなど）、異なる変換（たとえば、２５６点ＦＦＴ、１０２４点ＦＦＴなど）、および／または異なるトーンプランが使用され得る。
【００７９】
[00148]特定の実施形態では、パケットは、１つまたは複数の空間ストリーム上で送信される様々なブロックサイズ（たとえば、サブバンドごとに様々なデータトーン数）を含むことができる。たとえば、パケットは、サブバンドごとに１２個のデータトーン、サブバンドごとに３６個のデータトーン、サブバンドごとに７２個のデータトーン、サブバンドごとに１２０個のデータトーン、サブバンドごとに１５６個のデータトーン、またはサブバンドごとに３１２個のデータトーンを含むことができる。インターリーバ深度と、インターリーブ回転インデックスと、ベースサブキャリア回転との組合せが、ブロックサイズごとに与えられ得る。
【００８０】
[00149]特定の実施形態では、インターリービングパラメータ１０１３は、パケット１０６０のどのデータトーンが個々の宛先デバイスに割り当てられるかを決定するために、多元接続パケット１０６０の生成中にインターリービングシステム１０１４によって使用され得る。たとえば、パケット１０６０は、各個々の宛先デバイス１０２０、１０３０、および１０４０に割り振られたトーンの別個のセットを含むことができる。例示のために、パケット１０６０はインターリーブされたトーン割振りを利用することができる。
【００８１】
[00150]宛先デバイス１０２０、１０３０、および１０４０はそれぞれ、プロセッサ（たとえば、プロセッサ１０２１）と、メモリ（たとえば、メモリ１０２２）と、ワイヤレスインターフェース（たとえば、ワイヤレスインターフェース１０２５）とを含むことができる。宛先デバイス１０２０、１０３０、および１０４０はそれぞれ、図１７のＭＩＭＯ検出器１１１８に関して説明するように、パケット（たとえば、単一接続パケットまたは多元接続パケット）をデインターリーブするように構成されたデインターリービングシステム１０２４をも含むことができる。一例では、メモリ１０２２は、インターリービングパラメータ１０１３と同等のインターリービングパラメータ１０２３を記憶することができる。
【００８２】
[00151]動作中、ソースデバイス１０１０は、パケット１０６０を生成し、それをワイヤレスネットワーク１０５０を介して宛先デバイス１０２０、１０３０、および１０４０の各々に送信することができる。パケット１０６０は、インターリーブされたパターンに従って各個々の宛先デバイスに割り振られたデータトーンの別個のセットを含むことができる。
【００８３】
[00152]したがって、図１６のシステム１０００は、ＩＥＥＥ８０２．１１ワイヤレスネットワーク上で通信するために、ソースデバイスおよび宛先デバイスが使用するためのＯＦＤＭＡデータトーンインターリービングパラメータを供給することができる。たとえば、インターリービングパラメータ１０１３、１０２３（またはそれの部分）は、図示のように、ソースデバイスおよび宛先デバイスのメモリに記憶され得る、ワイヤレス規格（たとえば、ＩＥＥＥ８０２．１１規格）によって規格化され得る、などである。本明細書で説明する様々なデータトーンプランはダウンリンク（ＤＬ）ＯＦＤＭＡ通信ならびにアップリンク（ＵＬ）ＯＦＤＭＡ通信の両方のために適用可能であり得ることに留意されたい。
【００８４】
[00153]たとえば、ソースデバイス１０１０（たとえば、アクセスポイント）はワイヤレスネットワーク１０５０を介して（１つまたは複数の）信号を受信することができる。（１つまたは複数の）信号はアップリンクパケットに対応することができる。パケット中で、トーンの別個のセットが、宛先デバイス（たとえば、移動局）１０２０、１０３０、および１０４０の各々に割り振られ、その宛先デバイスによって送信されたアップリンクデータを搬送することができる。
【００８５】
[00154]図１７に、ワイヤレス通信を送信および受信するために、図１６のワイヤレスデバイスなど、ワイヤレスデバイスにおいて実装され得る例示的な多入力多出力（ＭＩＭＯ）システム１１００を示す。システム１１００は、図１６の第１のデバイス１０１０と図１６の宛先デバイス１０２０とを含む。
【００８６】
[00155]第１のデバイス１０１０は、エンコーダ１１０４と、インターリービングシステム１０１４と、複数の変調器１１０２ａ〜１１０２ｃと、複数の送信（ＴＸ）回路１１１０ａ〜１１１０ｃと、複数のアンテナ１１１２ａ〜１１１２ｃとを含む。宛先デバイス１０２０は、複数のアンテナ１１１４ａ〜１１１４ｃと、複数の受信（ＲＸ）回路１１１６ａ〜１１１６ｃと、ＭＩＭＯ検出器１１１８と、デコーダ１１２０とを含む。
【００８７】
[00156]ビットシーケンスがエンコーダ１１０４に供給され得る。エンコーダ１１０４は、ビットシーケンスを符号化するように構成され得る。たとえば、エンコーダ１１０４は、ビットシーケンスに前方誤り訂正（ＦＥＣ）コードを適用するように構成され得る。ＦＥＣコードは、ブロックコード、畳み込みコード（たとえば、バイナリ畳み込みコード）などであり得る。符号化ビットシーケンスはインターリービングシステム１０１４に供給され得る。
【００８８】
[00157]インターリービングシステム１０１４は、ストリームパーサ１１０６と複数の空間ストリームインターリーバ１１０８ａ〜１１０８ｃとを含むことができる。ストリームパーサ１１０６は、エンコーダ１１０４から複数の空間ストリームインターリーバ１１０８ａ〜１１０８ｃへの符号化ビットストリームをパースするように構成され得る。
【００８９】
[00158]各インターリーバ１１０８ａ〜１１０８ｃは、周波数インターリービングを実施するように構成され得る。たとえば、ストリームパーサ１１０６は、各空間ストリームについてシンボルごとにコード化ビットのブロックを出力することができる。各ブロックは、行に書き込み、列を読み出す、対応するインターリーバ１１０８ａ〜１１０８ｃによってインターリーブされ得る。列数（Ｎｃｏｌ）またはインターリーバ深度は、データトーン数（Ｎｄａｔａ）に基づき得る。行数（Ｎｒｏｗ）は、列数（Ｎｃｏｌ）およびデータトーン数（Ｎｄａｔａ）の関数であり得る。たとえば、行数（Ｎｒｏｗ）は、列数（Ｎｃｏｌ）で除算されたデータトーン数（Ｎｄａｔａ）に等しくなり得る（たとえば、Ｎｒｏｗ＝Ｎｄａｔａ／Ｎｃｏｌ）。
【００９０】
[00159]帯域幅の各々（たとえば、５／１０／１５／２０／３０／４０／６０／８０／１００／１２０／１４０ＭＨｚの各々）のためのトーンプランは、いくつかの異なるファクタに基づいて選定され得ることに留意されたい。たとえば、上限は、送信が単一ユーザ帯域幅であるのか、特定の総帯域幅のためのＯＦＤＭＡ帯域幅の一部であるのかに少なくとも部分的に基づいて決定され得る。トーンプランはまた、ＣＦＯ要件に応じて、必要とされるＤＣトーン数に基づいて選定され得る。トーンプランはまた、ＤＬ／ＵＬスペクトルマスクを満たすために、およびＵＬ  ＯＦＤＭＡにおける異なるＳＴＡの送信間の干渉を最小限に抑えるために、必要とされるガードトーン数に基づいて選定され得る。さらに、トーンプランはまた、ＤＬ  ＯＦＤＭＡおよびＵＬ  ＯＦＤＭＡの各々のために十分なパイロットトーンがあることを保証するために必要とされるパイロットトーン数に基づいて選定され得る。概して、１６０ＭＨｚ（２０４８ＦＦＴ）トーンプランは、２つの８０ＭＨｚ（１０２４ＦＦＴ）トーンプランの複製であり得る。十分なＤＣ、ガード、およびパイロットトーン数についてのこれらの必要のために、十分な残りのトーン（上限−Ｎｄａｔａ）が残される必要がある。したがって、これはＮｄａｔａの選定につながり得る。
【００９１】
[00160]図１８は、６４トーンプラン実施形態による、様々なデータトーン数のための候補インターリーバパラメータを示すチャートである。特定の実施形態では、インターリーバ深度（たとえば、列数（Ｎｃｏｌ））はデータトーン数（Ｎｄａｔａ）の因数であり得る。様々な実施形態では、５０データトーンブロックは、２、５、１０、または２５のインターリーバ深度を有することができる。様々な実施形態では、５４データトーンブロックは、２、３、６、９、１８、または２７のインターリーバ深度を有することができる。様々な実施形態では、５６データトーンブロックは、２、４、７、８、１４、または２８のインターリーバ深度を有することができる。様々な実施形態では、５８データトーンブロックは、２または２９のインターリーバ深度を有することができる。様々な実施形態では、６０データトーンブロックは、２、３、４、５、６、１０、１２、１５、２０、または３０のインターリーバ深度を有することができる。様々な実施形態では、５０データトーンブロックは、２または３１のインターリーバ深度を有することができる。
【００９２】
[00161]２つ以上の空間ストリームがある場合、空間ストリームに周波数回転が適用され得る。周波数回転は、ベースサブキャリア回転（ＮＲＯＴ）と回転インデックスとに基づき得る。ベースサブキャリア回転（ＮＲＯＴ）および回転インデックスは、データトーン数（Ｎｄａｔａ）と空間ストリーム数（Ｎｓｓ）とに基づき得る。
【００９３】
[00162]たとえば、データトーンブロックが４つまたはそれ以下の空間ストリーム（Ｎｓｓ）を有する場合、ベースサブキャリア回転（ＮＲＯＴ）は、１〜２６のいずれかであり得る。回転インデックス（たとえば、第６の列）は、このシナリオでは［０  ２  １  ３］のビット逆転であり得る。代替的に、データトーンブロックが５つ以上の空間ストリーム（Ｎｓｓ）を有する場合、ベースサブキャリア回転（ＮＲＯＴ）は、１〜１８のいずれかであり得る。回転インデックス（たとえば、第７の列）は、いくつかの実施形態では［０  ４  ２  ６  １  ５  ３  ７］のビット逆転であり得、または回転インデックスは、他の実施形態では、隣接するストリームの平均サブキャリア距離を最大にする（または増加させる）ように選定され得る（たとえば、［０  ５  ２  ７  ３  ６  １  ４］）。本明細書では、平均サブキャリア距離を最大にするインデックスの一例として［０  ５  ２  ７  ３  ６  １  ４］の回転インデックスが使用されているが、平均サブキャリア距離を最大にする（または増加させる）任意の他の回転インデックスが使用され得る。たとえば、隣接するストリームの平均サブキャリア距離を最大にする任意の置換が使用され得、［０  ５  ２  ７  ３  ６  １  ４］は１つの例にすぎない。
【００９４】
[00163]図１９は、１２８トーンプラン実施形態による、様々なデータトーン数のための候補インターリーバパラメータを示すチャートである。特定の実施形態では、インターリーバ深度（たとえば、列数（Ｎｃｏｌ））はデータトーン数（Ｎｄａｔａ）の因数であり得る。様々な実施形態では、１１０データトーンブロックは、２、５、１０、１１、２２、または５５のインターリーバ深度を有することができる。様々な実施形態では、１１２データトーンブロックは、２、４、７、８、１４、１６、２８、または５６のインターリーバ深度を有することができる。様々な実施形態では、１１４データトーンブロックは、２、３、６、１９、３８、または５７のインターリーバ深度を有することができる。様々な実施形態では、１１６データトーンブロックは、２、４、２９、または５８のインターリーバ深度を有することができる。様々な実施形態では、１１８データトーンブロックは、２または５９のインターリーバ深度を有することができる。様々な実施形態では、１２０データトーンブロックは、２、３、４、５、６、８、１０、１２、１５、２０、２４、３０、４０、または６０のインターリーバ深度を有することができる。様々な実施形態では、１２２データトーンブロックは、２または６１のインターリーバ深度を有することができる。様々な実施形態では、１２４データトーンブロックは、２、４、３１、または６２のインターリーバ深度を有することができる。
【００９５】
[00164]２つ以上の空間ストリームがある場合、空間ストリームに周波数回転が適用され得る。周波数回転は、ベースサブキャリア回転（ＮＲＯＴ）と回転インデックスとに基づき得る。ベースサブキャリア回転（ＮＲＯＴ）および回転インデックスは、データトーン数（Ｎｄａｔａ）と空間ストリーム数（Ｎｓｓ）とに基づき得る。たとえば、データトーンブロックが４つまたはそれ以下の空間ストリーム（Ｎｓｓ）を有する場合、ベースサブキャリア回転（ＮＲＯＴ）は、１〜４２のいずれかであり得る。回転インデックス（たとえば、第６の列）は、このシナリオでは［０  ２  １  ３］のビット逆転であり得る。代替的に、データトーンブロックが５つ以上の空間ストリーム（Ｎｓｓ）を有する場合、ベースサブキャリア回転（ＮＲＯＴ）は、１〜２６のいずれかであり得る。回転インデックス（たとえば、第７の列）は、いくつかの実施形態では［０  ４  ２  ６  １  ５  ３  ７］のビット逆転であり得、または回転インデックスは、他の実施形態では、隣接するストリームの平均サブキャリア距離を最大にする（または増加させる）ように選定され得る（たとえば、［０  ５  ２  ７  ３  ６  １  ４］）。本明細書では、平均サブキャリア距離を最大にするインデックスの一例として［０  ５  ２  ７  ３  ６  １  ４］の回転インデックスが使用されているが、平均サブキャリア距離を最大にする（または増加させる）任意の他の回転インデックスが使用され得る。たとえば、隣接するストリームの平均サブキャリア距離を最大にする任意の置換が使用され得、［０  ５  ２  ７  ３  ６  １  ４］は１つの例にすぎない。
【００９６】
[00165]図２０は、１９２トーンプラン実施形態による、様々なデータトーン数のための候補インターリーバパラメータを示すチャートである。特定の実施形態では、インターリーバ深度（たとえば、列数（Ｎｃｏｌ））はデータトーン数（Ｎｄａｔａ）の因数であり得る。様々な実施形態では、１６８データトーンブロックは、２、３、４、６、７、８、１２、１４、２１、２４、２８、４２、５６、または８４のインターリーバ深度を有することができる。様々な実施形態では、１７０データトーンブロックは、２、５、１０、１７、３４、または８５のインターリーバ深度を有することができる。様々な実施形態では、１７２データトーンブロックは、２、４、４３、または８６のインターリーバ深度を有することができる。様々な実施形態では、１７４データトーンブロックは、２、３、６、２９、５８、または８７のインターリーバ深度を有することができる。様々な実施形態では、１７６データトーンブロックは、２、４、８、１１、１６、２２、４４、または８８のインターリーバ深度を有することができる。様々な実施形態では、１７８データトーンブロックは、２または８９のインターリーバ深度を有することができる。様々な実施形態では、１８０データトーンブロックは、２、３、４、５、６、９、１０、１２、１５、１８、２０、３０、３６、４５、６０、または９０のインターリーバ深度を有することができる。様々な実施形態では、１８２データトーンブロックは、２、７、１３、１４、２６、または９１のインターリーバ深度を有することができる。様々な実施形態では、１８４データトーンブロックは、２、４、８、２３、４６、または９２のインターリーバ深度を有することができる。様々な実施形態では、１８６データトーンブロックは、２、３、６、３１、６２、または９３のインターリーバ深度を有することができる。
【００９７】
[00166]２つ以上の空間ストリームがある場合、空間ストリームに周波数回転が適用され得る。周波数回転は、ベースサブキャリア回転（ＮＲＯＴ）と回転インデックスとに基づき得る。ベースサブキャリア回転（ＮＲＯＴ）および回転インデックスは、データトーン数（Ｎｄａｔａ）と空間ストリーム数（Ｎｓｓ）とに基づき得る。
【００９８】
[00167]たとえば、データトーンブロックが４つまたはそれ以下の空間ストリーム（Ｎｓｓ）を有する場合、ベースサブキャリア回転（ＮＲＯＴ）は、３２〜５７のいずれかであり得る。回転インデックス（たとえば、第６の列）は、このシナリオでは［０  ２  １  ３］のビット逆転であり得る。代替的に、データトーンブロックが５つ以上の空間ストリーム（Ｎｓｓ）を有する場合、ベースサブキャリア回転（ＮＲＯＴ）は、１〜３４のいずれかであり得る。回転インデックス（たとえば、第７の列）は、いくつかの実施形態では［０  ４  ２  ６  １  ５  ３  ７］のビット逆転であり得、または回転インデックスは、他の実施形態では、隣接するストリームの平均サブキャリア距離を最大にする（または増加させる）ように選定され得る（たとえば、［０  ５  ２  ７  ３  ６  １  ４］）。本明細書では、平均サブキャリア距離を最大にするインデックスの一例として［０  ５  ２  ７  ３  ６  １  ４］の回転インデックスが使用されているが、平均サブキャリア距離を最大にする（または増加させる）任意の他の回転インデックスが使用され得る。たとえば、隣接するストリームの平均サブキャリア距離を最大にする任意の置換が使用され得、［０  ５  ２  ７  ３  ６  １  ４］は１つの例にすぎない。
【００９９】
[00168]図２１は、２５６トーンプラン実施形態による、様々なデータトーン数のための候補インターリーバパラメータを示すチャートである。特定の実施形態では、インターリーバ深度（たとえば、列数（Ｎｃｏｌ））はデータトーン数（Ｎｄａｔａ）の因数であり得る。様々な実施形態では、２３６データトーンブロックは、２、４、５９、または１１８のインターリーバ深度を有することができる。様々な実施形態では、２３８データトーンブロックは、２、７、１４、１７、３４、または１１９のインターリーバ深度を有することができる。様々な実施形態では、２４０データトーンブロックは、２、３、４、５、６、８、１０、１２、１５、１６、２０、２４、３０、４０、４８、６０、８０、または１２０のインターリーバ深度を有することができる。様々な実施形態では、２４２データトーンブロックは、２、１１、２２、または１２１のインターリーバ深度を有することができる。様々な実施形態では、２４４データトーンブロックは、２、４、６１、または１２２のインターリーバ深度を有することができる。様々な実施形態では、２４６データトーンブロックは、２、３、６、４１、８２、または１２３のインターリーバ深度を有することができる。様々な実施形態では、２４８データトーンブロックは、２、４、８、３１、６２、または１２４のインターリーバ深度を有することができる。
【０１００】
[00169]２つ以上の空間ストリームがある場合、空間ストリームに周波数回転が適用され得る。周波数回転は、ベースサブキャリア回転（ＮＲＯＴ）と回転インデックスとに基づき得る。ベースサブキャリア回転（ＮＲＯＴ）および回転インデックスは、データトーン数（Ｎｄａｔａ）と空間ストリーム数（Ｎｓｓ）とに基づき得る。
【０１０１】
[00170]たとえば、データトーンブロックが４つまたはそれ以下の空間ストリーム（Ｎｓｓ）を有する場合、ベースサブキャリア回転（ＮＲＯＴ）は、４９〜７３のいずれかであり得る。回転インデックス（たとえば、第６の列）は、このシナリオでは［０  ２  １  ３］のビット逆転であり得る。代替的に、データトーンブロックが５つ以上の空間ストリーム（Ｎｓｓ）を有する場合、ベースサブキャリア回転（ＮＲＯＴ）は、１〜４２のいずれかであり得る。回転インデックス（たとえば、第７の列）は、いくつかの実施形態では［０  ４  ２  ６  １  ５  ３  ７］のビット逆転であり得、または回転インデックスは、他の実施形態では、隣接するストリームの平均サブキャリア距離を最大にする（または増加させる）ように選定され得る（たとえば、［０  ５  ２  ７  ３  ６  １  ４］）。本明細書では、平均サブキャリア距離を最大にするインデックスの一例として［０  ５  ２  ７  ３  ６  １  ４］の回転インデックスが使用されているが、平均サブキャリア距離を最大にする（または増加させる）任意の他の回転インデックスが使用され得る。たとえば、隣接するストリームの平均サブキャリア距離を最大にする任意の置換が使用され得、［０  ５  ２  ７  ３  ６  １  ４］は１つの例にすぎない。
【０１０２】
[00171]図２２は、３８４トーンプラン実施形態による、様々なデータトーン数のための候補インターリーバパラメータを示すチャートである。特定の実施形態では、インターリーバ深度（たとえば、列数（Ｎｃｏｌ））はデータトーン数（Ｎｄａｔａ）の因数であり得る。様々な実施形態では、３５０データトーンブロックは、２、５、７、１０、１４、２５、３５、５０、７０、または１７５のインターリーバ深度を有することができる。様々な実施形態では、３５２データトーンブロックは、２、４、８、１１、１６、２２、３２、４４、８８、または１７６のインターリーバ深度を有することができる。様々な実施形態では、３５４データトーンブロックは、２、３、６、５９、１１８、または１７７のインターリーバ深度を有することができる。様々な実施形態では、３５６データトーンブロックは、２、４、８９、または１７８のインターリーバ深度を有することができる。様々な実施形態では、３５７データトーンブロックは、３、７、１７、２１、５１、または１１９のインターリーバ深度を有することができる。様々な実施形態では、３５８データトーンブロックは、２または１７９のインターリーバ深度を有することができる。様々な実施形態では、３６０データトーンブロックは、２、３、４、５、６、８、９、１０、１２、１５、１８、２０、２４、３０、３６、４０、４５、６０、７２、９０、１２０、または１８０のインターリーバ深度を有することができる。様々な実施形態では、３６４データトーンブロックは、２、４、７、１３、１４、２６、２８、５２、９１、または１８２のインターリーバ深度を有することができる。様々な実施形態では、３６６データトーンブロックは、２、３、６、６１、１２２、または１８３のインターリーバ深度を有することができる。様々な実施形態では、３６８データトーンブロックは、２、４、８、１６、２３、４６、９２、または１８４のインターリーバ深度を有することができる。様々な実施形態では、３７０データトーンブロックは、２、５、１０、３７、７４、または１８５のインターリーバ深度を有することができる。様々な実施形態では、３７２データトーンブロックは、２、３、４、６、１２、３１、６２、９３、１２４、または１８６のインターリーバ深度を有することができる。
【０１０３】
[00172]２つ以上の空間ストリームがある場合、空間ストリームに周波数回転が適用され得る。周波数回転は、ベースサブキャリア回転（ＮＲＯＴ）と回転インデックスとに基づき得る。ベースサブキャリア回転（ＮＲＯＴ）および回転インデックスは、データトーン数（Ｎｄａｔａ）と空間ストリーム数（Ｎｓｓ）とに基づき得る。
【０１０４】
[00173]たとえば、データトーンブロックが４つまたはそれ以下の空間ストリーム（Ｎｓｓ）を有する場合、ベースサブキャリア回転（ＮＲＯＴ）は、７７〜１０５のいずれかであり得る。回転インデックス（たとえば、第６の列）は、このシナリオでは［０  ２  １  ３］のビット逆転であり得る。代替的に、データトーンブロックが５つ以上の空間ストリーム（Ｎｓｓ）を有する場合、ベースサブキャリア回転（ＮＲＯＴ）は、３３〜５８のいずれかであり得る。回転インデックス（たとえば、第７の列）は、いくつかの実施形態では［０  ４  ２  ６  １  ５  ３  ７］のビット逆転であり得、または回転インデックスは、他の実施形態では、隣接するストリームの平均サブキャリア距離を最大にする（または増加させる）ように選定され得る（たとえば、［０  ５  ２  ７  ３  ６  １  ４］）。本明細書では、平均サブキャリア距離を最大にするインデックスの一例として［０  ５  ２  ７  ３  ６  １  ４］の回転インデックスが使用されているが、平均サブキャリア距離を最大にする（または増加させる）任意の他の回転インデックスが使用され得る。たとえば、隣接するストリームの平均サブキャリア距離を最大にする任意の置換が使用され得、［０  ５  ２  ７  ３  ６  １  ４］は１つの例にすぎない。
【０１０５】
[00174]図２３は、５１２トーンプラン実施形態による、様々なデータトーン数のための候補インターリーバパラメータを示すチャートである。特定の実施形態では、インターリーバ深度（たとえば、列数（Ｎｃｏｌ））はデータトーン数（Ｎｄａｔａ）の因数であり得る。様々な実施形態では、４７０データトーンブロックは、２、５、１０、４７、９４、または２３５のインターリーバ深度を有することができる。様々な実施形態では、４７２データトーンブロックは、２、４、８、５９、１１８、または２３６のインターリーバ深度を有することができる。様々な実施形態では、４７４データトーンブロックは、２、３、６、７９、１５８、または２３７のインターリーバ深度を有することができる。様々な実施形態では、４７６データトーンブロックは、２、４、７、１４、１７、２８、３４、６８、１１９、または２３８のインターリーバ深度を有することができる。様々な実施形態では、４７８データトーンブロックは、２または２３９のインターリーバ深度を有することができる。様々な実施形態では、４８０データトーンブロックは、２、３、４、５、６、８、１０、１２、１５、１６、２０、２４、３０、３２、４０、４８、６０、８０、９６、１２０、１６０、または２４０のインターリーバ深度を有することができる。様々な実施形態では、４８４データトーンブロックは、２、４、１１、２２、４４、１２１、または２４２のインターリーバ深度を有することができる。様々な実施形態では、４８６データトーンブロックは、２、３、６、９、１８、２７、５４、８１、１６２、または２４３のインターリーバ深度を有することができる。様々な実施形態では、４８８データトーンブロックは、２、４、８、６１、１２２、または２４４のインターリーバ深度を有することができる。様々な実施形態では、４９０データトーンブロックは、２、５、７、１０、１４、３５、４９、７０、９８、または２４５のインターリーバ深度を有することができる。様々な実施形態では、４９２データトーンブロックは、２、３、４、６、１２、４１、８２、１２３、１６４、または２４６のインターリーバ深度を有することができる。様々な実施形態では、４９６データトーンブロックは、２、４、８、１６、３１、６２、１２４、または２４８のインターリーバ深度を有することができる。様々な実施形態では、４９８データトーンブロックは、２、３、６、８３、１６６、または２４９のインターリーバ深度を有することができる。
【０１０６】
[00175]２つ以上の空間ストリームがある場合、空間ストリームに周波数回転が適用され得る。周波数回転は、ベースサブキャリア回転（ＮＲＯＴ）と回転インデックスとに基づき得る。ベースサブキャリア回転（ＮＲＯＴ）および回転インデックスは、データトーン数（Ｎｄａｔａ）と空間ストリーム数（ＮＳＳ）とに基づき得る。
【０１０７】
[00176]たとえば、データトーンブロックが４つまたはそれ以下の空間ストリーム（Ｎｓｓ）を有する場合、ベースサブキャリア回転（ＮＲＯＴ）は、１０７〜１３６のいずれかであり得る。回転インデックス（たとえば、第６の列）は、このシナリオでは［０  ２  １  ３］のビット逆転であり得る。代替的に、データトーンブロックが５つ以上の空間ストリーム（Ｎｓｓ）を有する場合、ベースサブキャリア回転（ＮＲＯＴ）は、４８〜７３のいずれかであり得る。回転インデックス（たとえば、第７の列）は、いくつかの実施形態では［０  ４  ２  ６  １  ５  ３  ７］のビット逆転であり得、または回転インデックスは、他の実施形態では、隣接するストリームの平均サブキャリア距離を最大にする（または増加させる）ように選定され得る（たとえば、［０  ５  ２  ７  ３  ６  １  ４］）。本明細書では、平均サブキャリア距離を最大にするインデックスの一例として［０  ５  ２  ７  ３  ６  １  ４］の回転インデックスが使用されているが、平均サブキャリア距離を最大にする（または増加させる）任意の他の回転インデックスが使用され得る。たとえば、隣接するストリームの平均サブキャリア距離を最大にする任意の置換が使用され得、［０  ５  ２  ７  ３  ６  １  ４］は１つの例にすぎない。
【０１０８】
[00177]図２４は、７６８トーンプラン実施形態による、様々なデータトーン数のための候補インターリーバパラメータを示すチャートである。特定の実施形態では、インターリーバ深度（たとえば、列数（Ｎｃｏｌ））はデータトーン数（Ｎｄａｔａ）の因数であり得る。様々な実施形態では、７３２データトーンブロックは、２、３、４、６、１２、６１、１２２、１８３、２４４、または３６６のインターリーバ深度を有することができる。様々な実施形態では、７３８データトーンブロックは、２、３、６、９、１８、４１、８２、１２３、２４６、または３６９のインターリーバ深度を有することができる。様々な実施形態では、７４０データトーンブロックは、２、４、５、１０、２０、３７、７４、１４８、１８５、または３７０のインターリーバ深度を有することができる。様々な実施形態では、７４４データトーンブロックは、２、３、４、６、８、１２、２４、３１、６２、９３、１２４、１８６、２４８、または３７２のインターリーバ深度を有することができる。
【０１０９】
[00178]２つ以上の空間ストリームがある場合、空間ストリームに周波数回転が適用され得る。周波数回転は、ベースサブキャリア回転（ＮＲＯＴ）と回転インデックスとに基づき得る。ベースサブキャリア回転（ＮＲＯＴ）および回転インデックスは、データトーン数（Ｎｄａｔａ）と空間ストリーム数（ＮＳＳ）とに基づき得る。
【０１１０】
[00179]たとえば、データトーンブロックが４つまたはそれ以下の空間ストリーム（Ｎｓｓ）を有する場合、ベースサブキャリア回転（ＮＲＯＴ）は、１７３〜１９９のいずれかであり得る。回転インデックス（たとえば、第６の列）は、このシナリオでは［０  ２  １  ３］のビット逆転であり得る。代替的に、データトーンブロックが５つ以上の空間ストリーム（Ｎｓｓ）を有する場合、ベースサブキャリア回転（ＮＲＯＴ）は、８１〜１０５のいずれかであり得る。回転インデックス（たとえば、第７の列）は、いくつかの実施形態では［０  ４  ２  ６  １  ５  ３  ７］のビット逆転であり得、または回転インデックスは、他の実施形態では、隣接するストリームの平均サブキャリア距離を最大にする（または増加させる）ように選定され得る（たとえば、［０  ５  ２  ７  ３  ６  １  ４］）。本明細書では、平均サブキャリア距離を最大にするインデックスの一例として［０  ５  ２  ７  ３  ６  １  ４］の回転インデックスが使用されているが、平均サブキャリア距離を最大にする（または増加させる）任意の他の回転インデックスが使用され得る。たとえば、隣接するストリームの平均サブキャリア距離を最大にする任意の置換が使用され得、［０  ５  ２  ７  ３  ６  １  ４］は１つの例にすぎない。
【０１１１】
[00180]図２５Ａは、１０２４トーンプラン実施形態による、様々なデータトーン数のための候補インターリーバパラメータを示すチャートである。図２５Ｂは、１０２４トーンプラン実施形態による、様々なデータトーン数のための候補インターリーバパラメータを示す別のチャートである。特定の実施形態では、インターリーバ深度（たとえば、列数（Ｎｃｏｌ））はデータトーン数（Ｎｄａｔａ）の因数であり得る。様々な実施形態では、９３６のデータトーンブロックは、２、３、４、６、８、９、１２、１３、１８、２４、２６、３６、３９、５２、７２、７８、１０４、１１７、１５６、２３４、３１２、または４６８のインターリーバ深度を有することができ、９４８データトーンブロックは、２、３、４、６、１２、７９、１５８、２３７、３１６、または４７４のインターリーバ深度を有することができる。様々な実施形態では、９６０データトーンブロックは、２、３、４、５、６、８、１０、１２、１５、１６、２０、２４、３０、３２、４０、４８、６０、６４、８０、９６、１２０、１６０、１９２、２４０、３２０、または４８０のインターリーバ深度を有することができる。様々な実施形態では、９７２データトーンブロックは、２、３、４、６、９、１２、１８、２７、３６、５４、８１、１０８、１６２、２４３、３２４、または４８６のインターリーバ深度を有することができる。様々な実施形態では、９８０データトーンブロックは、２、４、５、７、１０、１４、２０、２８、３５、４９、７０、９８、１４０、１９６、２４５、または４９０のインターリーバ深度を有することができる。様々な実施形態では、９８４データトーンブロックは、２、３、４、６、８、１２、２４、４１、８２、１２３、１６４、２４６、３２８、または４９２のインターリーバ深度を有することができる。様々な実施形態では、９９０データトーンブロックは、２、３、５、６、９、１０、１１、１５、１８、２２、３０、３３、４５、５５、６６、９０、９９、１１０、１６５、１９８、３３０、または４９５のインターリーバ深度を有することができる。様々な実施形態では、９９６データトーンブロックは、２、３、４、６、１２、８３、１６６、２４９、３３２、または４９８のインターリーバ深度を有することができる。
【０１１２】
[00181]２つ以上の空間ストリームがある場合、空間ストリームに周波数回転が適用され得る。周波数回転は、ベースサブキャリア回転（ＮＲＯＴ）と回転インデックスとに基づき得る。ベースサブキャリア回転（ＮＲＯＴ）および回転インデックスは、データトーン数（Ｎｄａｔａ）と空間ストリーム数（Ｎｓｓ）とに基づき得る。
【０１１３】
[00182]たとえば、データトーンブロックが４つまたはそれ以下の空間ストリーム（Ｎｓｓ）を有する場合、ベースサブキャリア回転（ＮＲＯＴ）は、２２７〜２５９のいずれかであり得る。回転インデックス（たとえば、第６の列）は、このシナリオでは［０  ２  １  ３］のビット逆転であり得る。代替的に、データトーンブロックが５つ以上の空間ストリーム（Ｎｓｓ）を有する場合、ベースサブキャリア回転（ＮＲＯＴ）は、１０８〜１３５のいずれかであり得る。回転インデックス（たとえば、第７の列）は、いくつかの実施形態では［０  ４  ２  ６  １  ５  ３  ７］のビット逆転であり得、または回転インデックスは、他の実施形態では、隣接するストリームの平均サブキャリア距離を最大にする（または増加させる）ように選定され得る（たとえば、［０  ５  ２  ７  ３  ６  １  ４］）。本明細書では、平均サブキャリア距離を最大にするインデックスの一例として［０  ５  ２  ７  ３  ６  １  ４］の回転インデックスが使用されているが、平均サブキャリア距離を最大にする（または増加させる）任意の他の回転インデックスが使用され得る。たとえば、隣接するストリームの平均サブキャリア距離を最大にする任意の置換が使用され得、［０  ５  ２  ７  ３  ６  １  ４］は１つの例にすぎない。
【０１１４】
[00183]図２６は、１２８０トーンプラン実施形態による、様々なデータトーン数のための候補インターリーバパラメータを示すチャートである。特定の実施形態では、インターリーバ深度（たとえば、列数（Ｎｃｏｌ））はデータトーン数（Ｎｄａｔａ）の因数であり得る。様々な実施形態では、１２００データトーンブロックは、２、３、４、５、６、８、１０、１２、１５、１６、２０、２４、２５、３０、４０、４８、５０、６０、７５、８０、１００、１２０、１５０、２００、２４０、３００、４００、または６００のインターリーバ深度を有することができる。様々な実施形態では、１２０６データトーンブロックは、２、３、６、９、１８、６７、１３４、２０１、４０２、または６０３のインターリーバ深度を有することができる。様々な実施形態では、１２１２データトーンブロックは、２、３、４、６、１２、１０１、２０２、３０３、４０４、または６０６のインターリーバ深度を有することができる。様々な実施形態では、１２１８データトーンブロックは、２、３、６、７、１４、２１、２９、４２、５８、８７、１７４、２０３、４０６、または６０９のインターリーバ深度を有することができる。様々な実施形態では、１２２４データトーンブロックは、２、３、４、６、８、９、１２、１７、１８、２４、３４、３６、５１、６８、７２、１０２、１３６、１５３、２０４、３０６、４０８、または６１２のインターリーバ深度を有することができる。様々な実施形態では、１２３０データトーンブロックは、２、３、５、６、１０、１５、３０、４１、８２、１２３、２０５、２４６、４１０、または６１５のインターリーバ深度を有することができる。様々な実施形態では、１２３２データトーンブロックは、２、４、７、８、１１、１４、１６、２２、２８、４４、５６、７７、８８、１１２、１５４、１７６、３０８、または６１６のインターリーバ深度を有することができる。様々な実施形態では、１２３６データトーンブロックは、２、３、４、６、１２、１０３、２０６、３０９、４１２、または６１８のインターリーバ深度を有することができる。様々な実施形態では、１２４２データトーンブロックは、２、３、６、９、１８、２３、２７、４６、５４、６９、１３８、２０７、４１４、または６２１のインターリーバ深度を有することができる。
【０１１５】
[00184]２つ以上の空間ストリームがある場合、空間ストリームに周波数回転が適用され得る。周波数回転は、ベースサブキャリア回転（ＮＲＯＴ）と回転インデックスとに基づき得る。ベースサブキャリア回転（ＮＲＯＴ）および回転インデックスは、データトーン数（Ｎｄａｔａ）と空間ストリーム数（Ｎｓｓ）とに基づき得る。
【０１１６】
[00185]たとえば、データトーンブロックが４つまたはそれ以下の空間ストリーム（Ｎｓｓ）を有する場合、ベースサブキャリア回転（ＮＲＯＴ）は、２９０〜３２１のいずれかであり得る。回転インデックス（たとえば、第６の列）は、このシナリオでは［０  ２  １  ３］のビット逆転であり得る。代替的に、データトーンブロックが５つ以上の空間ストリーム（Ｎｓｓ）を有する場合、ベースサブキャリア回転（ＮＲＯＴ）は、１４０〜１６６のいずれかであり得る。回転インデックス（たとえば、第７の列）は、いくつかの実施形態では［０  ４  ２  ６  １  ５  ３  ７］のビット逆転であり得、または回転インデックスは、他の実施形態では、隣接するストリームの平均サブキャリア距離を最大にする（または増加させる）ように選定され得る（たとえば、［０  ５  ２  ７  ３  ６  １  ４］）。本明細書では、平均サブキャリア距離を最大にするインデックスの一例として［０  ５  ２  ７  ３  ６  １  ４］の回転インデックスが使用されているが、平均サブキャリア距離を最大にする（または増加させる）任意の他の回転インデックスが使用され得る。たとえば、隣接するストリームの平均サブキャリア距離を最大にする任意の置換が使用され得、［０  ５  ２  ７  ３  ６  １  ４］は１つの例にすぎない。
【０１１７】
[00186]図２７は、１５３６トーンプラン実施形態による、様々なデータトーン数のための候補インターリーバパラメータを示すチャートである。特定の実施形態では、インターリーバ深度（たとえば、列数（Ｎｃｏｌ））はデータトーン数（Ｎｄａｔａ）の因数であり得る。様々な実施形態では、１４２０データトーンブロックは、２、４、５、１０、２０、７１、１４２、２８４、３５５、または７１０のインターリーバ深度を有することができる。様々な実施形態では、１４２２データトーンブロックは、２、３、６、９、１８、７９、１５８、２３７、４７４、または７１１のインターリーバ深度を有することができる。様々な実施形態では、１４２４データトーンブロックは、２、４、８、１６、８９、１７８、３５６、または７１２のインターリーバ深度を有することができる。様々な実施形態では、１４２６データトーンブロックは、２、２３、３１、４６、６２、または７１３のインターリーバ深度を有することができる。様々な実施形態では、１４２８データトーンブロックは、２、３、４、６、７、１２、１４、１７、２１、２８、３４、４２、５１、６８、８４、１０２、１１９、２０４、２３８、３５７、４７６、または７１４のインターリーバ深度を有することができる。様々な実施形態では、１４３０データトーンブロックは、２、５、１０、１１、１３、２２、２６、５５、６５、１１０、１３０、１４３、２８６、または７１５のインターリーバ深度を有することができる。様々な実施形態では、１４３２データトーンブロックは、２、４、８、１７９、３５８、または７１６のインターリーバ深度を有することができる。様々な実施形態では、１４３４データトーンブロックは、２、３、６、２３９、４７８、または７１７のインターリーバ深度を有することができる。様々な実施形態では、１４３６データトーンブロックは、２、４、３５９、または７１８のインターリーバ深度を有することができる。様々な実施形態では、１４３８データトーンブロックは、２または７１９のインターリーバ深度を有することができる。様々な実施形態では、１４４０データトーンブロックは、２、３、４、５、６、８、９、１０、１２、１５、１６、１８、２０、２４、３０、３２、３６、４０、４５、４８、６０、７２、８０、９０、９６、１２０、１４４、１６０、１８０、２４０、２８８、３６０、４８０、または７２０のインターリーバ深度を有することができる。様々な実施形態では、１４５２データトーンブロックは、２、３、４、６、１１、１２、２２、３３、４４、６６、１２１、１３２、２４２、３６３、４８４、または７２６のインターリーバ深度を有することができる。様々な実施形態では、１４６４データトーンブロックは、２、３、４、６、８、１２、２４、６１、１２２、１８３、２４４、３６６、４８８、または７３２のインターリーバ深度を有することができる。様々な実施形態では、１４７０データトーンブロックは、２、３、５、６、７、１０、１４、１５、２１、３０、３５、４２、４９、７０、９８、１０５、１４７、２１０、２４５、２９４、４９０、または７３５のインターリーバ深度を有することができる。様々な実施形態では、１４８５データトーンブロ��クは、３、５、９、１１、１５、２７、３３、４５、５５、９９、１３５、１６５、２９７、または４９５のインターリーバ深度を有することができる。様々な実施形態では、１４８８データトーンブロックは、２、３、４、６、８、１２、１６、２４、３１、４８、６２、９３、１２４、１８６、２４８、３７２、４９６、または７４４のインターリーバ深度を有することができる。様々な実施形態では、１４９１データトーンブロックは、３、７、２１、７１、２１３、または４９７のインターリーバ深度を有することができる。
【０１１８】
[00187]２つ以上の空間ストリームがある場合、空間ストリームに周波数回転が適用され得る。周波数回転は、ベースサブキャリア回転（ＮＲＯＴ）と回転インデックスとに基づき得る。ベースサブキャリア回転（ＮＲＯＴ）および回転インデックスは、データトーン数（Ｎｄａｔａ）と空間ストリーム数（Ｎｓｓ）とに基づき得る。
【０１１９】
[00188]たとえば、データトーンブロックが４つまたはそれ以下の空間ストリーム（Ｎｓｓ）を有する場合、ベースサブキャリア回転（ＮＲＯＴ）は、３４６〜３８３のいずれかであり得る。回転インデックス（たとえば、第６の列）は、このシナリオでは［０  ２  １  ３］のビット逆転であり得る。代替的に、データトーンブロックが５つ以上の空間ストリーム（Ｎｓｓ）を有する場合、ベースサブキャリア回転（ＮＲＯＴ）は、１６７〜１８７のいずれかであり得る。回転インデックス（たとえば、第７の列）は、いくつかの実施形態では［０  ４  ２  ６  １  ５  ３  ７］のビット逆転であり得、または回転インデックスは、他の実施形態では、隣接するストリームの平均サブキャリア距離を最大にする（または増加させる）ように選定され得る（たとえば、［０  ５  ２  ７  ３  ６  １  ４］）。本明細書では、平均サブキャリア距離を最大にするインデックスの一例として［０  ５  ２  ７  ３  ６  １  ４］の回転インデックスが使用されているが、平均サブキャリア距離を最大にする（または増加させる）任意の他の回転インデックスが使用され得る。たとえば、隣接するストリームの平均サブキャリア距離を最大にする任意の置換が使用され得、［０  ５  ２  ７  ３  ６  １  ４］は１つの例にすぎない。
【０１２０】
[00189]図２８は、１７９２トーンプラン実施形態による、様々なデータトーン数のための候補インターリーバパラメータを示すチャートである。特定の実施形態では、インターリーバ深度（たとえば、列数（Ｎｃｏｌ））はデータトーン数（Ｎｄａｔａ）の因数であり得る。様々な実施形態では、１６６０データトーンブロックは、２、４、５、１０、２０、８３、１６６、３３２、４１５または８３０のインターリーバ深度を有することができる。様々な実施形態では、１６６４データトーンブロックは、２、４、８、１３、１６、２６、３２、５２、６４、１０４、１２８、２０８、４１６、または８３２のインターリーバ深度を有することができる。様々な実施形態では、１６６８データトーンブロックは、２、３、４、６、１２、１３９、２７８、４１７、５５６、または８３４のインターリーバ深度を有することができる。様々な実施形態では、１６７２データトーンブロックは、２、４、８、１１、１９、２２、３８、４４、７６、８８、１５２、２０９、４１８、または８３６のインターリーバ深度を有することができる。様々な実施形態では、１６８０データトーンブロックは、２、３、４、５、６、７、８、１０、１２、１４、１５、１６、２０、２１、２４、２８、３０、３５、４０、４２、４８、５６、６０、７０、８０、８４、１０５、１１２、１２０、１４０、１６８、２１０、２４０、２８０、３３６、４２０、５６０、または８４０のインターリーバ深度を有することができる。様々な実施形態では、１６８８データトーンブロックは、２、４、８、２１１、４２２、または８４４のインターリーバ深度を有することができる。様々な実施形態では、１６９２データトーンブロックは、２、３、４、６、９、１２、１８、３６、４７、９４、１４１、１８８、２８２、４２３、５６４、または８４６のインターリーバ深度を有することができる。様々な実施形態では、１６９６データトーンブロックは、２、４、８、１６、３２、５３、１０６、２１２、４２４、または８４８のインターリーバ深度を有することができる。様々な実施形態では、１７００データトーンブロックは、２、４、５、１０、１７、２０、２５、３４、５０、６８、８５、１００、１７０、３４０、４２５、または８５０のインターリーバ深度を有することができる。様々な実施形態では、１７０４データトーンブロックは、２、３、４、６、８、１２、２４、７１、１４２、２１３、２８４、４２６、５６８、または８５２のインターリーバ深度を有することができる。様々な実施形態では、１７０８データトーンブロックは、２、４、７、１４、２８、６１、１２２、２４４、４２７、または８５４のインターリーバ深度を有することができる。様々な実施形態では、１７１０データトーンブロックは、２、３、５、６、９、１０、１５、１８、１９、３０、３８、４５、５７、９０、９５、１１４、１７１、１９０、２８５、３４２、５７０、または８５５のインターリーバ深度を有することができる。様々な実施形態では、１７１２データトーンブロックは、２、４、８、１６、１０７、２１４、４２８、または８５６のインターリーバ深度を有することができる。様々な実施形態では、１７１６データトーンブロッ��は、２、３、４、６、１１、１２、１３、２２、２６、３３、３９、４４、５２、６６、７８、１３２、１４３、１５６、２８６、４２９、５７２、または８５８のインターリーバ深度を有することができる。様々な実施形態では、１７２０データトーンブロックは、２、４、５、８、１０、２０、４０、４３、８６、１７２、２１５、３４４、４３０、または８６０のインターリーバ深度を有することができる。様々な実施形態では、１７２８データトーンブロックは、２、３、４、６、８、９、１２、１６、１８、２４、２７、３２、３６、４８、５４、６４、７２、９６、１０８、１４４、１９２、２１６、２８８、４３２、５７６、または８６４のインターリーバ深度を有することができる。様々な実施形態では、１７４０データトーンブロックは、２、３、４、５、６、１０、１２、１５、２０、２９、３０、５８、６０、８７、１１６、１４５、１７４、２９０、３４８、４３５、５８０、または８７０のインターリーバ深度を有することができる。様々な実施形態では、１７４５データトーンブロックは、５または３４９のインターリーバ深度を有することができる。
【０１２１】
[00190]２つ以上の空間ストリームがある場合、空間ストリームに周波数回転が適用され得る。周波数回転は、ベースサブキャリア回転（ＮＲＯＴ）と回転インデックスとに基づき得る。ベースサブキャリア回転（ＮＲＯＴ）および回転インデックスは、データトーン数（Ｎｄａｔａ）と空間ストリーム数（Ｎｓｓ）とに基づき得る。たとえば、データトーンブロックが４つまたはそれ以下の空間ストリーム（Ｎｓｓ）を有する場合、ベースサブキャリア回転（ＮＲＯＴ）は、４０５〜４４７のいずれかであり得る。回転インデックス（たとえば、第６の列）は、このシナリオでは［０  ２  １  ３］のビット逆転であり得る。代替的に、データトーンブロックが５つ以上の空間ストリーム（Ｎｓｓ）を有する場合、ベースサブキャリア回転（ＮＲＯＴ）は、１９７〜２２９のいずれかであり得る。回転インデックス（たとえば、第７の列）は、いくつかの実施形態では［０  ４  ２  ６  １  ５  ３  ７］のビット逆転であり得、または回転インデックスは、他の実施形態では、隣接するストリームの平均サブキャリア距離を最大にする（または増加させる）ように選定され得る（たとえば、［０  ５  ２  ７  ３  ６  １  ４］）。本明細書では、平均サブキャリア距離を最大にするインデックスの一例として［０  ５  ２  ７  ３  ６  １  ４］の回転インデックスが使用されているが、平均サブキャリア距離を最大にする（または増加させる）任意の他の回転インデックスが使用され得る。たとえば、隣接するストリームの平均サブキャリア距離を最大にする任意の置換が使用され得、［０  ５  ２  ７  ３  ６  １  ４］は１つの例にすぎない。
【０１２２】
[00191]再び図１７を参照すると、各インターリーバ１１０８ａ〜１１０８ｃの出力（たとえば、送信ストリーム）は、対応する変調器１１０２ａ〜１１０２ｃに供給され得る。各変調器１１０２ａ〜１１０２ｃは、対応する送信ストリームを変調し、変調された送信ストリームを対応する送信回路１１１０ａ〜１１１０ｃに渡すように構成され得る。特定の実施形態では、ビット（たとえば、送信ストリーム）は、４位相シフトキーイング（ＱＰＳＫ：Quadrature Phase Shift Keying）変調、２位相シフトキーイング（ＢＰＳＫ：Binary Phase Shift Keying）変調、または直交振幅変調（ＱＡＭ：Quadrature Amplitude Modulation）（たとえば、１６ＱＡＭ、６４ＱＡＭ、２５６ＱＡＭ）を使用して変調され得る。送信回路１１１０ａ〜１１１０ｃは、対応するアンテナ１１１２ａ〜１１１２ｃを介してワイヤレスネットワーク（たとえば、ＩＥＥＥ８０２．１１ワイヤレスネットワーク）上で変調された送信ストリームを送信するように構成する得る。
【０１２３】
[00192]特定の実施形態では、アンテナ１１１２ａ〜１１１２ｃは、別個であり、空間的に分離したアンテナである。別の実施形態では、別個の信号が、異なる偏波に合成され、アンテナ１１１２〜１１１２ｃのサブセットを介して送信され得る。たとえば、別個の信号が合成され得、ここで、空間回転または空間拡散が実施され、複数の空間ストリームが単一のアンテナにマッピングされる。
【０１２４】
[00193]宛先デバイス１０２９の受信回路１１１６ａ〜１１１６ｃは、対応するアンテナ１１１４ａ〜１１１４ｃを介してインターリーブされた符号化ビットを受信することができる。受信回路１１１６ａ〜１１１６ｃの出力はＭＩＭＯ検出器１１１８に供給され、ＭＩＭＯ検出器１１１８の出力はデコーダ１１２０に供給される。特定の実施形態では、ＭＩＭＯ検出器１１１８は、インターリービングシステム１０１４の逆の動作を実施するように構成されたデインターリービングシステムを含むことができる。デコーダ１１２０は、回復不能なエラーがなければ、エンコーダ１１０４に供給された送信されたビットと同じである受信されたビットを出力することができる。
【０１２５】
[00194]以下の表１は、様々なデータトーン数（Ｎｄａｔａ）のための例示的な低密度パリティチェック（ＬＤＰＣ）トーンマッピング距離（ＤＴＭ）を示すチャートである。
【０１２６】
【表１−１】
2017529751.tif 000003
【表１−２】
2017529751.tif 000004
【表１−３】
2017529751.tif 000005
【０１２７】
[00195]概して、ＬＤＰＣトーンマッピング距離（ＤＴＭ）は、ＩＥＥＥ８０２．１１ａｃ仕様において定義されている。マッピング距離（ＤＴＭ）は、少なくとも、ＬＤＰＣコードワード長（ＬＣＷ）で除算されたＯＦＤＭシンボルごとのコード化ビット数（ＮＣＢＰＳ）と同じ大きさであり得（たとえば、ＮＣＢＰＳ／ＬＣＷ≦ＤＴＭ）、したがって、各ＬＤＰＣコードワードはトーンの全範囲をカバーする。さらに、マッピング距離（ＤＴＭ）はサブキャリア数（Ｎｄａｔａ）の整数約数であり得る。マッピング距離（ＤＴＭ）は、固定トーン処理を用いる、受信回路１１１６ａ〜１１１６ｃの高速フーリエ変換（ＦＦＴ）モジュールにおいて実装されたトーンデマッパを使用可能にするために、各帯域幅内のレートにわたって一定であり得る。
【０１２８】
[00196]したがって、表１は、所与のデータトーン数（Ｎｄａｔａ）とともに使用され得るマッピング距離（ＤＴＭ）の各々を示している。いくつかの態様では、所与のデータトーン数のための、表１にリストされているマッピング距離は、図１８〜図２８にリストされている所与のＮｄａｔａのためのＮＣＯＬ候補と同じであり得る。
【０１２９】
[00197]以下の表２は、様々なデータトーン数（Ｎｄａｔａ）のための例示的な変調およびコーディング方式（ＭＣＳ）有効性を示すチャートである。
【０１３０】
【表２−１】
2017529751.tif 000006
【表２−２】
2017529751.tif 000007
【表２−３】
2017529751.tif 000008
【表２−４】
2017529751.tif 000009
【表２−５】
2017529751.tif 000010
【表２−６】
2017529751.tif 000011
【０１３１】
[00198]チャートは、８つの空間ストリームまでの空間ストリームのためのＭＣＳ０〜ＭＣＳ９についての無効なＭＣＳシナリオを示す。ＭＣＳ有効性は、ＩＥＥＥ８０２．１１ａｃ仕様において定義されている。概して、ＭＣＳが有効であるかどうかを決定するためのルールは、サブキャリアごとのコード化ビット数が、符号化ストリーム数の整数倍でなければならないことである。さらに、符号化ストリームごとのコード化ビット数は、コードレートにおける分母の整数倍でなければならない。したがって、いくつかのＭＣＳと空間ストリームの組合せは、これらの条件が満たされないとき、無効であり得る。したがって、上記で説明した各潜在的Ｎｄａｔａ値について、様々な除外のリスティングとともに、いくつかの除外が与えられる。いくつかの態様では、最小数の除外を有するＮｄａｔａの値を選択することが有益であり得る。（２つの８０ＭＨｚ  １０２４ＦＦＴトーンプランである）様々な２０４８ＦＦＴ構成についてのＭＣＳ除外は１０２４ＦＦＴトーンプランのものとは異なることがわかり得る。したがって、２０４８ＦＦＴトーンプランについてのＭＣＳ除外が上記にリストされている。
【０１３２】
[00199]図２９に、図１のワイヤレス通信システム１００内で採用され得るワイヤレス通信の例示的な方法のためのフローチャート２９００を示す。本方法は、ＡＰ１０４（図１）、ＳＴＡ１０６Ａ〜１０６Ｄ（図１）のいずれか、図２に示されたワイヤレスデバイス２０２、デバイス１０１０、１０２０、１０３０、または１０４０（図１６）など、本明細書で説明するデバイスによって全体的にまたは部分的に実装され得る。本明細書では、図示された方法について、図１に関して上記で説明したワイヤレス通信システム１００、図２に関して上記で説明したワイヤレスデバイス２０２、図１６のシステム１０００に関して説明するが、図示された方法は、本明細書で説明する別のデバイス、または任意の他の好適なデバイスによって実装され得ることを、当業者は諒解されよう。本明細書では、図示された方法について、特定の順序に関して説明するが、様々な実施形態では、本明細書のブロックは、異なる順序で実施されるか、または省略され得、さらなるブロックが追加され得る。
【０１３３】
[00200]最初に、ブロック２９１０において、ワイヤレスデバイスがメッセージのワイヤレス通信のための６４トーンプランおよび１２８トーンプランのうちの１つから選択し、ここにおいて、６４トーンプランは、５０個のデータトーン、５４個のデータトーン、５６個のデータトーン、５８個のデータトーン、６０個のデータトーン、および６２個のデータトーンのうちの１つと、１つの直流トーン、３つの直流トーン、５つの直流トーン、７つの直流トーン、および１１個の直流トーンのうちの１つとを備え、１２８トーンプランは、１１０個のデータトーン、１１２個のデータトーン、１１４個のデータトーン、１１６個のデータトーン、１１８個のデータトーン、１２０個のデータトーン、１２２個のデータトーン、および１２４個のデータトーンのうちの１つと、１つの直流トーン、３つの直流トーン、５つの直流トーン、７つの直流トーン、および１１個の直流トーンのうちの１つとを備える。たとえば、ＡＰ１０４は、図１８および図１９に関して上記で説明したトーンプランのうちの１つから選択することができる。いくつかの態様では、選択するための手段はプロセッサであり得る。
【０１３４】
[00201]ブロック２９２０において、ワイヤレスデバイスは、６４トーンプランを選択すると、５ＭＨｚ帯域幅上での送信のためにメッセージを供給するように構成される。たとえば、ＡＰ１０４は、６４トーンプランに従って、アンテナ２１６を介した送信のためにメッセージを送信機２１０に供給することができる。様々な実施形態では、６４トーンプランは、４ｘシンボル持続時間を有する５ＭＨｚシステムに適用され得る。様々な実施形態では、他の帯域幅および／またはシンボル持続時間が使用され得る。いくつかの態様では、供給するための手段はプロセッサを含み得る。
【０１３５】
[00202]ブロック２９３０において、ワイヤレスデバイスは、１２８トーンプランを選択すると、１０ＭＨｚ帯域幅上での送信のためにメッセージを供給するように構成される。たとえば、ＡＰ１０４は、１２８トーンプランに従って、アンテナ２１６を介した送信のためにメッセージを送信機２１０に供給することができる。様々な実施形態では、１２８トーンプランは、４ｘシンボル持続時間を有する１０ＭＨｚシステムに適用され得る。様々な実施形態では、他の帯域幅および／またはシンボル持続時間が使用され得る。いくつかの態様では、供給するための手段はプロセッサを含み得る。
【０１３６】
[00203]ブロック２９４０において、ワイヤレスデバイスは符号化データをインターリーブし、符号化データは送信のためのメッセージを含む。いくつかの態様では、インターリーブするための手段はインターリーバを含む。
【０１３７】
[00204]ブロック２９５０において、ワイヤレスデバイスは、インターリーブされた符号化データに基づいて、送信のために一連のインターリーブされたビットを生成するように構成され、前記インターリーブすることは、６４トーンプランを選択すると、最高４つの空間ストリームについて、１〜２６のうちの少なくとも１つのインターリーブされた回転インデックスと、［０  ２  １  ３］のベースサブキャリア回転とを使用することと、６４トーンプランを選択すると、５つ以上の空間ストリームについて、１〜１８のうちの少なくとも１つのインターリーブされた回転インデックスと、［０  ４  ２  ６  １  ５  ３  ７］、あるいは［０  ５  ２  ７  ３  ６  １  ４］または隣接するストリームの平均サブキャリア距離を最大にするように選定された別の置換のベースサブキャリア回転とを使用することと、１２８トーンプランを選択すると、最高４つの空間ストリームについて、１〜４２のうちの少なくとも１つのインターリーブされた回転インデックスと、［０  ２  １  ３］のベースサブキャリア回転とを使用することと、１２８トーンプランを選択すると、５つ以上の空間ストリームについて、１〜２６のうちの少なくとも１つのインターリーブされた回転インデックスと、［０  ４  ２  ６  １  ５  ３  ７］、あるいは［０  ５  ２  ７  ３  ６  １  ４］または隣接するストリームの平均サブキャリア距離を最大にするように選定された別の置換のベースサブキャリア回転とを使用することとを備える。いくつかの態様では、一連のインターリーブされたビットを生成するための手段はインターリーバを含み得る。
【０１３８】
[00205]ブロック２９６０において、ワイヤレスデバイスは、１つまたは複数の空間ストリームを介して一連のインターリーブされたビットを送信するように構成される。いくつかの態様では、インターリーブされたビットを送信するための手段は送信機を含む。
【０１３９】
[00206]図３０に、図１のワイヤレス通信システム１００内で採用され得るワイヤレス通信の例示的な方法のためのフローチャート３０００を示す。本方法は、ＡＰ１０４（図１）、ＳＴＡ１０６Ａ〜１０６Ｄ（図１）のいずれか、図２に示されたワイヤレスデバイス２０２、デバイス１０１０、１０２０、１０３０、または１０４０（図１６）など、本明細書で説明するデバイスによって全体的にまたは部分的に実装され得る。本明細書では、図示された方法について、図１に関して上記で説明したワイヤレス通信システム１００、図２に関して上記で説明したワイヤレスデバイス２０２、図１６のシステム１０００に関して説明するが、図示された方法は、本明細書で説明する別のデバイス、または任意の他の好適なデバイスによって実装され得ることを、当業者は諒解されよう。本明細書では、図示された方法について、特定の順序に関して説明するが、様々な実施形態では、本明細書のブロックは、異なる順序で実施されるか、または省略され得、さらなるブロックが追加され得る。
【０１４０】
[00207]最初に、ブロック３０１０において、ワイヤレスデバイスがメッセージのワイヤレス通信のための１９２トーンプランおよび２５６トーンプランのうちの１つから選択し、ここにおいて、１９２トーンプランは、１６８個のデータトーン、１７０個のデータトーン、１７２個のデータトーン、１７４個のデータトーン、１７６個のデータトーン、１７８個のデータトーン、１８０個のデータトーン、１８２個のデータトーン、１８４個のデータトーン、および１８６個のデータトーンのうちの１つと、３つの直流トーン、５つの直流トーン、７つの直流トーン、および１１個の直流トーンのうちの１つとを備え、２５６トーンプランは、２３６個のデータトーン、２３８個のデータトーン、２４０個のデータトーン、２４２個のデータトーン、２４４個のデータトーン、２４６個のデータトーン、および２４８個のデータトーンのうちの１つと、３つの直流トーン、５つの直流トーン、７つの直流トーン、および１１個の直流トーンのうちの１つとを備える。たとえば、ＡＰ１０４は、図２０および図２１に関して上記で説明したトーンプランのうちの１つから選択することができる。いくつかの態様では、選択するための手段はプロセッサであり得る。
【０１４１】
[00208]ブロック３０２０において、ワイヤレスデバイスは、１９２トーンプランを選択すると、１５ＭＨｚ帯域幅上での送信のためにメッセージを供給するように構成される。たとえば、ＡＰ１０４は、１９２トーンプランに従って、アンテナ２１６を介した送信のためにメッセージを送信機２１０に供給することができる。様々な実施形態では、１９２トーンプランは、４ｘシンボル持続時間を有する１５ＭＨｚシステムに適用され得る。様々な実施形態では、他の帯域幅および／またはシンボル持続時間が使用され得る。いくつかの態様では、供給するための手段はプロセッサを含み得る。
【０１４２】
[00209]ブロック３０３０において、ワイヤレスデバイスは、２５６トーンプランを選択すると、２０ＭＨｚ帯域幅上での送信のためにメッセージを供給するように構成される。たとえば、ＡＰ１０４は、２５６トーンプランに従って、アンテナ２１６を介した送信のためにメッセージを送信機２１０に供給することができる。様々な実施形態では、２５６トーンプランは、４ｘシンボル持続時間を有する２０ＭＨｚシステムに適用され得る。様々な実施形態では、他の帯域幅および／またはシンボル持続時間が使用され得る。いくつかの態様では、供給するための手段はプロセッサを含み得る。
【０１４３】
[00210]ブロック３０４０において、ワイヤレスデバイスは符号化データをインターリーブし、符号化データは送信のためのメッセージを含む。いくつかの態様では、インターリーブするための手段はインターリーバを含む。
【０１４４】
[00211]ブロック３０５０において、ワイヤレスデバイスは、インターリーブされた符号化データに基づいて、送信のために一連のインターリーブされたビットを生成するように構成され、前記インターリーブすることは、１９２トーンプランを選択すると、最高４つの空間ストリームについて、３２〜５７のうちの少なくとも１つのインターリーブされた回転インデックスと、［０  ２  １  ３］のベースサブキャリア回転とを使用することと、１９２トーンプランを選択すると、５つ以上の空間ストリームについて、１〜３４のうちの少なくとも１つのインターリーブされた回転インデックスと、［０  ４  ２  ６  １  ５  ３  ７］、あるいは［０  ５  ２  ７  ３  ６  １  ４］または隣接するストリームの平均サブキャリア距離を最大にするように選定された別の置換のベースサブキャリア回転とを使用することと、２５６トーンプランを選択すると、最高４つの空間ストリームについて、４９〜７３のうちの少なくとも１つのインターリーブされた回転インデックスと、［０  ２  １  ３］のベースサブキャリア回転とを使用することと、２５６トーンプランを選択すると、５つ以上の空間ストリームについて、１〜４２のうちの少なくとも１つのインターリーブされた回転インデックスと、［０  ４  ２  ６  １  ５  ３  ７］、あるいは［０  ５  ２  ７  ３  ６  １  ４］または隣接するストリームの平均サブキャリア距離を最大にするように選定された別の置換のベースサブキャリア回転とを使用することとを備える。いくつかの態様では、一連のインターリーブされたビットを生成するための手段はインターリーバを含み得る。
【０１４５】
[00212]ブロック３０６０において、ワイヤレスデバイスは、１つまたは複数の空間ストリームを介して一連のインターリーブされたビットを送信するように構成される。いくつかの態様では、インターリーブされたビットを送信するための手段は送信機を含む。
【０１４６】
[00213]図３１に、図１のワイヤレス通信システム１００内で採用され得るワイヤレス通信の例示的な方法のためのフローチャート３１００を示す。本方法は、ＡＰ１０４（図１）、ＳＴＡ１０６Ａ〜１０６Ｄ（図１）のいずれか、図２に示されたワイヤレスデバイス２０２、デバイス１０１０、１０２０、１０３０、または１０４０（図１６）など、本明細書で説明するデバイスによって全体的にまたは部分的に実装され得る。本明細書では、図示された方法について、図１に関して上記で説明したワイヤレス通信システム１００、図２に関して上記で説明したワイヤレスデバイス２０２、図１６のシステム１０００に関して説明するが、図示された方法は、本明細書で説明する別のデバイス、または任意の他の好適なデバイスによって実装され得ることを、当業者は諒解されよう。本明細書では、図示された方法について、特定の順序に関して説明するが、様々な実施形態では、本明細書のブロックは、異なる順序で実施されるか、または省略され得、さらなるブロックが追加され得る。
【０１４７】
[00214]最初に、ブロック３１１０において、ワイヤレスデバイスがメッセージのワイヤレス通信のための３８４トーンプランおよび５１２トーンプランのうちの１つから選択し、ここにおいて、３８４トーンプランは、３５０個のデータトーン、３５２個のデータトーン、３５４個のデータトーン、３５６個のデータトーン、３５７個のデータトーン、３５８個のデータトーン、３６０個のデータトーン、３６４個のデータトーン、３６６個のデータトーン、３６８個のデータトーン、３７０個のデータトーン、および３７２個のデータトーンのうちの１つと、３つの直流トーン、５つの直流トーン、７つの直流トーン、および１１個の直流トーンのうちの１つとを備え、５１２トーンプランは、４７０個のデータトーン、４７２個のデータトーン、４７４個のデータトーン、４７６個のデータトーン、４７８個のデータトーン、４８０個のデータトーン、４８４個のデータトーン、４８６個のデータトーン、４８８個のデータトーン、４９０個のデータトーン、４９２個のデータトーン、４９６個のデータトーン、および４９８個のデータトーンのうちの１つと、３つの直流トーン、５つの直流トーン、７つの直流トーン、および１１個の直流トーンのうちの１つとを備える。たとえば、ＡＰ１０４は、図２２および図２３に関して上記で説明したトーンプランのうちの１つから選択することができる。いくつかの態様では、選択するための手段はプロセッサであり得る。
【０１４８】
[00215]ブロック３１２０において、ワイヤレスデバイスは、３８４トーンプランを選択すると、３０ＭＨｚ帯域幅上での送信のためにメッセージを供給するように構成される。たとえば、ＡＰ１０４は、３８４トーンプランに従って、アンテナ２１６を介した送信のためにメッセージを送信機２１０に供給することができる。様々な実施形態では、３８４トーンプランは、４ｘシンボル持続時間を有する３０ＭＨｚシステムに適用され得る。様々な実施形態では、他の帯域幅および／またはシンボル持続時間が使用され得る。いくつかの態様では、供給するための手段はプロセッサを含み得る。
【０１４９】
[00216]ブロック３１３０において、ワイヤレスデバイスは、５１２トーンプランを選択すると、４０ＭＨｚ帯域幅上での送信のためにメッセージを供給するように構成される。たとえば、ＡＰ１０４は、５１２トーンプランに従って、アンテナ２１６を介した送信のためにメッセージを送信機２１０に供給することができる。様々な実施形態では、５１２トーンプランは、４ｘシンボル持続時間を有する４０ＭＨｚシステムに適用され得る。様々な実施形態では、他の帯域幅および／またはシンボル持続時間が使用され得る。いくつかの態様では、供給するための手段はプロセッサを含み得る。
【０１５０】
[00217]ブロック３１４０において、ワイヤレスデバイスは符号化データをインターリーブし、符号化データは送信のためのメッセージを含む。いくつかの態様では、インターリーブするための手段はインターリーバを含む。
【０１５１】
[00218]ブロック３１５０において、ワイヤレスデバイスは、インターリーブされた符号化データに基づいて、送信のために一連のインターリーブされたビットを生成するように構成され、前記インターリーブすることは、３８４トーンプランを選択すると、最高４つの空間ストリームについて、７７〜１０５のうちの少なくとも１つのインターリーブされた回転インデックスと、［０  ２  １  ３］のベースサブキャリア回転とを使用することと、３８４トーンプランを選択すると、５つ以上の空間ストリームについて、３３〜５８のうちの少なくとも１つのインターリーブされた回転インデックスと、［０  ４  ２  ６  １  ５  ３  ７］、あるいは［０  ５  ２  ７  ３  ６  １  ４］または隣接するストリームの平均サブキャリア距離を最大にするように選定された別の置換のベースサブキャリア回転とを使用することと、５１２トーンプランを選択すると、最高４つの空間ストリームについて、１０７〜１３６のうちの少なくとも１つのインターリーブされた回転インデックスと、［０  ２  １  ３］のベースサブキャリア回転とを使用することと、５１２トーンプランを選択すると、５つ以上の空間ストリームについて、４８〜７３のうちの少なくとも１つのインターリーブされた回転インデックスと、［０  ４  ２  ６  １  ５  ３  ７］、あるいは［０  ５  ２  ７  ３  ６  １  ４］または隣接するストリームの平均サブキャリア距離を最大にするように選定された別の置換のベースサブキャリア回転とを使用することとを備える。いくつかの態様では、一連のインターリーブされたビットを生成するための手段はインターリーバを含み得る。
【０１５２】
[00219]ブロック３１６０において、ワイヤレスデバイスは、１つまたは複数の空間ストリームを介して一連のインターリーブされたビットを送信するように構成される。いくつかの態様では、インターリーブされたビットを送信するための手段は送信機を含む。
【０１５３】
[00220]図３２に、図１のワイヤレス通信システム１００内で採用され得るワイヤレス通信の例示的な方法のためのフローチャート３２００を示す。本方法は、ＡＰ１０４（図１）、ＳＴＡ１０６Ａ〜１０６Ｄ（図１）のいずれか、図２に示されたワイヤレスデバイス２０２、デバイス１０１０、１０２０、１０３０、または１０４０（図１６）など、本明細書で説明するデバイスによって全体的にまたは部分的に実装され得る。本明細書では、図示された方法について、図１に関して上記で説明したワイヤレス通信システム１００、図２に関して上記で説明したワイヤレスデバイス２０２、図１６のシステム１０００に関して説明するが、図示された方法は、本明細書で説明する別のデバイス、または任意の他の好適なデバイスによって実装され得ることを、当業者は諒解されよう。本明細書では、図示された方法について、特定の順序に関して説明するが、様々な実施形態では、本明細書のブロックは、異なる順序で実施されるか、または省略され得、さらなるブロックが追加され得る。
【０１５４】
[00221]最初に、ブロック３２１０において、ワイヤレスデバイスが、ワイヤレスデバイスにおいて、メッセージのワイヤレス通信のための７６８トーンプランおよび１０２４トーンプランのうちの１つから選択することを選択し、ここにおいて、７６８トーンプランは、７３２個のデータトーン、７３８個のデータトーン、７４０個のデータトーン、および７４４個のデータトーンのうちの１つと、３つの直流トーン、５つの直流トーン、７つの直流トーン、および１１個の直流トーンのうちの１つとを備え、１０２４トーンプランは、９３６個のデータトーン、９４８個のデータトーン、９６０個のデータトーン、９７２個のデータトーン、９８０個のデータトーン、９８４個のデータトーン、９９０個のデータトーン、および９９６個のデータトーンのうちの１つと、３つの直流トーン、５つの直流トーン、７つの直流トーン、および１１個の直流トーンのうちの１つとを備える。たとえば、ＡＰ１０４は、図２４および図２５に関して上記で説明したトーンプランのうちの１つから選択することができる。いくつかの態様では、選択するための手段はプロセッサであり得る。
【０１５５】
[00222]ブロック３２２０において、ワイヤレスデバイスは、７６８トーンプランを選択すると、６０ＭＨｚ帯域幅上での送信のためにメッセージを供給するように構成される。たとえば、ＡＰ１０４は、７６８トーンプランに従って、アンテナ２１６を介した送信のためにメッセージを送信機２１０に供給することができる。様々な実施形態では、７６８トーンプランは、４ｘシンボル持続時間を有する６０ＭＨｚシステムに適用され得る。様々な実施形態では、他の帯域幅および／またはシンボル持続時間が使用され得る。いくつかの態様では、供給するための手段はプロセッサを含み得る。
【０１５６】
[00223]ブロック３２３０において、ワイヤレスデバイスは、１０２４トーンプランを選択すると、８０ＭＨｚ帯域幅上での送信のためにメッセージを供給するように構成される。たとえば、ＡＰ１０４は、１０２４トーンプランに従って、アンテナ２１６を介した送信のためにメッセージを送信機２１０に供給することができる。様々な実施形態では、１０２４トーンプランは、４ｘシンボル持続時間を有する８０ＭＨｚシステムに適用され得る。様々な実施形態では、他の帯域幅および／またはシンボル持続時間が使用され得る。いくつかの態様では、供給するための手段はプロセッサを含み得る。
【０１５７】
[00224]ブロック３２４０において、ワイヤレスデバイスは符号化データをインターリーブし、符号化データは送信のためのメッセージを含む。いくつかの態様では、インターリーブするための手段はインターリーバを含む。
【０１５８】
[00225]ブロック３２５０において、ワイヤレスデバイスは、インターリーブされた符号化データに基づいて、送信のために一連のインターリーブされたビットを生成するように構成され、前記インターリーブすることは、７６８トーンプランを選択すると、最高４つの空間ストリームについて、１７３〜１９９のうちの少なくとも１つのインターリーブされた回転インデックスと、［０  ２  １  ３］のベースサブキャリア回転とを使用することと、７６８トーンプランを選択すると、５つ以上の空間ストリームについて、８１〜１０５のうちの少なくとも１つのインターリーブされた回転インデックスと、［０  ４  ２  ６  １  ５  ３  ７］、あるいは［０  ５  ２  ７  ３  ６  １  ４］または隣接するストリームの平均サブキャリア距離を最大にするように選定された別の置換のベースサブキャリア回転とを使用することと、１０２４トーンプランを選択すると、最高４つの空間ストリームについて、２２７〜２５９のうちの少なくとも１つのインターリーブされた回転インデックスと、［０  ２  １  ３］のベースサブキャリア回転とを使用することと、１０２４トーンプランを選択すると、５つ以上の空間ストリームについて、１０８〜１３５のうちの少なくとも１つのインターリーブされた回転インデックスと、［０  ４  ２  ６  １  ５  ３  ７］、あるいは［０  ５  ２  ７  ３  ６  １  ４］または隣接するストリームの平均サブキャリア距離を最大にするように選定された別の置換のベースサブキャリア回転とを使用することとを備える。いくつかの態様では、一連のインターリーブされたビットを生成するための手段はインターリーバを含み得る。
【０１５９】
[00226]ブロック３２６０において、ワイヤレスデバイスは、１つまたは複数の空間ストリームを介して一連のインターリーブされたビットを送信するように構成される。いくつかの態様では、インターリーブされたビットを送信するための手段は送信機を含む。
【０１６０】
[00227]図３３に、図１のワイヤレス通信システム１００内で採用され得るワイヤレス通信の例示的な方法のためのフローチャート３３００を示す。本方法は、ＡＰ１０４（図１）、ＳＴＡ１０６Ａ〜１０６Ｄ（図１）のいずれか、図２に示されたワイヤレスデバイス２０２、デバイス１０１０、１０２０、１０３０、または１０４０（図１６）など、本明細書で説明するデバイスによって全体的にまたは部分的に実装され得る。本明細書では、図示された方法について、図１に関して上記で説明したワイヤレス通信システム１００、図２に関して上記で説明したワイヤレスデバイス２０２、図１６のシステム１０００に関して説明するが、図示された方法は、本明細書で説明する別のデバイス、または任意の他の好適なデバイスによって実装され得ることを、当業者は諒解されよう。本明細書では、図示された方法について、特定の順序に関して説明するが、様々な実施形態では、本明細書のブロックは、異なる順序で実施されるか、または省略され得、さらなるブロックが追加され得る。
【０１６１】
[00228]最初に、ブロック３３１０において、ワイヤレスデバイスがメッセージのワイヤレス通信のための１２８０トーンプラン、１５３６トーンプラン、または１７９２トーンプランのうちの１つから選択し、ここにおいて、１２８０トーンプランは、１２００個のデータトーン、１２０６個のデータトーン、１２１２個のデータトーン、１２１８個のデータトーン、１２２４個のデータトーン、１２３０個のデータトーン、１２３２個のデータトーン、１２３６個のデータトーン、および１２４２個のデータトーンのうちの１つと、３つの直流トーン、５つの直流トーン、７つの直流トーン、および１１個の直流トーンのうちの１つとを備え、１５３６トーンプランは、１４２０個のデータトーン、１４２２個のデータトーン、１４２４個のデータトーン、１４２６個のデータトーン、１４２８個のデータトーン、１４３０個のデータトーン、１４３２個のデータトーン、１４３４個のデータトーン、１４３６個のデータトーン、１４３８個のデータトーン、１４４０個のデータトーン、１４５２個のデータトーン、１４６４個のデータトーン、１４７０個のデータトーン、１４８５個のデータトーン、１４８８個のデータトーン、および１４９１個のデータトーンのうちの１つと、３つの直流トーン、５つの直流トーン、７つの直流トーン、および１１個の直流トーンのうちの１つとを備え、１７９２トーンプランは、１６６０個のデータトーン、１６６４個のデータトーン、１６６８個のデータトーン、１６７２個のデータトーン、１６８０個のデータトーン、１６８８個のデータトーン、１６９２個のデータトーン、１６９６個のデータトーン、１７００個のデータトーン、１７０４個のデータトーン、１７０８個のデータトーン、１７１０個のデータトーン、１７１２個のデータトーン、１７１６個のデータトーン、１７２０個のデータトーン、１７２８個のデータトーン、１７４０個のデータトーン、および１７４５個のデータトーンのうちの１つと、３つの直流トーン、５つの直流トーン、７つの直流トーン、および１１個の直流トーンのうちの１つとを備える。たとえば、ＡＰ１０４は、図２６〜図２８に関して上記で説明したトーンプランのうちの１つから選択することができる。いくつかの態様では、選択するための手段はプロセッサであり得る。
【０１６２】
[00229]ブロック３３２０において、ワイヤレスデバイスは、１２８０トーンプランを選択すると、１００ＭＨｚ帯域幅上での送信のためにメッセージを供給するように構成される。たとえば、ＡＰ１０４は、１２８０トーンプランに従って、アンテナ２１６を介した送信のためにメッセージを送信機２１０に供給することができる。様々な実施形態では、１２８０トーンプランは、４ｘシンボル持続時間を有する１００ＭＨｚシステムに適用され得る。様々な実施形態では、他の帯域幅および／またはシンボル持続時間が使用され得る。いくつかの態様では、供給するための手段はプロセッサを含み得る。
【０１６３】
[00230]ブロック３３３０において、ワイヤレスデバイスは、１５３６トーンプランを選択すると、１２０ＭＨｚ帯域幅上での送信のためにメッセージを供給するように構成される。たとえば、ＡＰ１０４は、１５３６トーンプランに従って、アンテナ２１６を介した送信のためにメッセージを送信機２１０に供給することができる。様々な実施形態では、１５３６トーンプランは、４ｘシンボル持続時間を有する１２０ＭＨｚシステムに適用され得る。様々な実施形態では、他の帯域幅および／またはシンボル持続時間が使用され得る。いくつかの態様では、供給するための手段はプロセッサを含み得る。
【０１６４】
[00231]ブロック３３３５において、ワイヤレスデバイスは、１７９２トーンプランを選択すると、１４０ＭＨｚ帯域幅上での送信のためにメッセージを供給するように構成される。たとえば、ＡＰ１０４は、１７９２トーンプランに従って、アンテナ２１６を介した送信のためにメッセージを送信機２１０に供給することができる。様々な実施形態では、１７９２トーンプランは、４ｘシンボル持続時間を有する１４０ＭＨｚシステムに適用され得る。様々な実施形態では、他の帯域幅および／またはシンボル持続時間が使用され得る。いくつかの態様では、供給するための手段はプロセッサを含み得る。
【０１６５】
[00232]ブロック３３４０において、ワイヤレスデバイスは符号化データをインターリーブし、符号化データは送信のためのメッセージを含む。いくつかの態様では、インターリーブするための手段はインターリーバを含む。
【０１６６】
[00233]ブロック３３５０において、ワイヤレスデバイスは、インターリーブされた符号化データに基づいて、送信のために一連のインターリーブされたビットを生成するように構成され、前記インターリーブすることは、１２８０トーンプランを選択すると、最高４つの空間ストリームについて、２９０〜３２１のうちの少なくとも１つのインターリーブされた回転インデックスと、［０  ２  １  ３］のベースサブキャリア回転とを使用することと、１２８０トーンプランを選択すると、５つ以上の空間ストリームについて、１４０〜１６６のうちの少なくとも１つのインターリーブされた回転インデックスと、［０  ４  ２  ６  １  ５  ３  ７］、あるいは［０  ５  ２  ７  ３  ６  １  ４］または隣接するストリームの平均サブキャリア距離を最大にするように選定された別の置換のベースサブキャリア回転とを使用することと、１５３６トーンプランを選択すると、最高４つの空間ストリームについて、３４５〜３８３のうちの少なくとも１つのインターリーブされた回転インデックスと、［０  ２  １  ３］のベースサブキャリア回転とを使用することと、１５３６トーンプランを選択すると、５つ以上の空間ストリームについて、１６７〜１８７のうちの少なくとも１つのインターリーブされた回転インデックスと、［０  ４  ２  ６  １  ５  ３  ７］、あるいは［０  ５  ２  ７  ３  ６  １  ４］または隣接するストリームの平均サブキャリア距離を最大にするように選定された別の置換のベースサブキャリア回転とを使用することと、１７９２トーンプランを選択すると、最高４つの空間ストリームについて、４０５〜４４７のうちの少なくとも１つのインターリーブされた回転インデックスと、［０  ２  １  ３］のベースサブキャリア回転とを使用することと、１７９２トーンプランを選択すると、５つ以上の空間ストリームについて、１９７〜２２９のうちの少なくとも１つのインターリーブされた回転インデックスと、［０  ４  ２  ６  １  ５  ３  ７］、あるいは［０  ５  ２  ７  ３  ６  １  ４］または隣接するストリームの平均サブキャリア距離を最大にするように選定された別の置換のベースサブキャリア回転とを使用することとを備える。いくつかの態様では、一連のインターリーブされたビットを生成するための手段はインターリーバを含み得る。
【０１６７】
[00234]ブロック３３６０において、ワイヤレスデバイスは、１つまたは複数の空間ストリームを介して一連のインターリーブされたビットを送信するように構成される。いくつかの態様では、インターリーブされたビットを送信するための手段は送信機を含む。
【０１６８】
[00235]一実施形態では、図２９〜図３３に示された方法は、選択回路と、供給回路と、インターリービング回路とを含むことができるワイヤレスデバイスにおいて実装され得る。ワイヤレスデバイスは、本明細書で説明する簡略化されたワイヤレスデバイスよりも多くの構成要素を有することができることを、当業者は諒解されよう。本明細書で説明するワイヤレスデバイスは、特許請求の範囲内の実装形態のいくつかの顕著な特徴を説明するのに有用な構成要素のみを含む。
【０１６９】
[00236]選択回路は、メッセージのワイヤレス通信のためにトーンプランを選択することように構成され得る。一実施形態では、選択回路は、フローチャート１１００（図１７）のブロック１１１０を実装するように構成され得る。選択回路は、ＤＳＰ２２０（図２）、プロセッサ２０４（図２）、およびメモリ２０６（図２）のうちの１つまたは複数を含むことができる。いくつかの実装形態では、選択するための手段は選択回路を含むことができる。
【０１７０】
[00237]供給回路は、選択されたトーンプランに従って送信のためにメッセージを供給するように構成され得る。一実施形態では、供給回路は、フローチャート１１００（図１７）のブロック１１２０〜１１３０のいずれかを実装するように構成され得る。供給回路は、送信機２１０（図２）、トランシーバ２１４（図２）、プロセッサ２０６（図２）、ＤＳＰ２２０（図２）、およびメモリ２０４（図２）のうちの１つまたは複数を含むことができる。いくつかの実装形態では、供給するための手段は供給回路を含むことができる。
【０１７１】
[00238]インターリービング回路は、送信のためにデータをインターリーブするように構成され得る。インターリービング回路は、インターリービングシステム１０１４（図１６）、ストリームパーサ１１０６（図１７）、インターリーバ１１０８Ａ〜１１０８Ｃ（図１７）のいずれか、プロセッサ２０６（図２）、ＤＳＰ２２０（図２）、およびメモリ２０４（図２）のうちの１つまたは複数を含むことができる。いくつかの実装形態では、インターリーブするための手段はインターリービング回路を含むことができる。
【０１７２】
[00239]いくつかの態様では、４０ＭＨｚ送信など、５１２個のトーンを使用するデータ送信は、１２個のパイロットトーンではなく１０個のパイロットトーンのみを必要とし得る。さらに、いくつかの態様では、ＭＣＳ除外は、４ｘシンボル持続時間を用いる送信を使用することに基づいて計算され得る（ＩＥＥＥ８０２．１１ａｃにおいて使用されるシンボル持続時間と比較して、シンボルは、４倍長い持続時間を用いて送信され得る）。最終的に、いくつかの態様では、１６０ＭＨｚ上での送信と対応し得る、２０４８個のトーンのＦＦＴのためのトーンプランを与えることが望ましいことがある。
【０１７３】
[00240]図３４は、いくつかの異なる送信におけるデータトーン数についての上限の図である。たとえば、５１２のＦＦＴサイズを用いる送信は、３つのＤＣトーン、５つのＤＣトーン、７つのＤＣトーン、または１１個のＤＣトーンと、１１個のガードトーンと、１０個のパイロットトーンとを使用し得る。したがって、そのような送信は、そのような送信に含まれ得る様々なＤＣトーン数について、それぞれ最高４８８個のデータトーン、４８６個のデータトーン、４８４個のデータトーン、または４８０個のデータトーンを含み得る。いくつかの態様では、この表のいくつかの他の値は、図４において見つけられる値と対応し得るが、１２個のパイロットトーンではなく１０個のパイロットトーンのみを含む５１２トーン送信を反映し得る。
【０１７４】
[00241]図３５に、様々な実施形態による、３２トーン２．５ＭＨｚトーンプランについての上限を示す。概して、これらのトーン割振りは、２０ＭＨｚまたはより大きい送信など、より大きい送信の一部としてユーザに送信され得る。たとえば、単一のユーザは、２０ＭＨｚ送信の中から２．５ＭＨｚを割り振られ得る。したがって、２．５ＭＨｚを割り振られたとき、ユーザがどのくらいのデータトーンを有し得るかを決定することが望ましいであろう。
【０１７５】
[00242]２０ＭＨｚ  ＯＦＤＭＡ送信では、３つのＤＣトーンがあるときの２．５ＭＨｚ部分におけるデータトーン数は、Ｆｌｏｏｒ（２３４／８）＝２９であり得る。この計算において、２３４は、図３４に示されているように、３つのＤＣトーンをもつ２０ＭＨｚ送信におけるＮｄａｔａの上限である。したがって、２０ＭＨｚ送信の８つの２．５ＭＨｚ部分の各々は、最高１／８の端数切捨てのデータトーンを有し得る。２０ＭＨｚ  ＯＦＤＭＡ送信では、５つのＤＣトーンがあるときの２．５ＭＨｚ部分におけるデータトーン数は、Ｆｌｏｏｒ（２３２／８）＝２９であり得る。２０ＭＨｚ  ＯＦＤＭＡ送信では、７つのＤＣトーンがあるときの２．５ＭＨｚ部分におけるデータトーン数は、Ｆｌｏｏｒ（２３０／８）＝２８であり得る。
【０１７６】
[00243]４０ＭＨｚ  ＯＦＤＭＡ送信では、３つのＤＣトーンがあるときの２．５ＭＨｚ部分におけるデータトーン数は、Ｆｌｏｏｒ（４８８／１６）＝３０であり得る。４０ＭＨｚ  ＯＦＤＭＡ送信では、５つのＤＣトーンがあるときの２．５ＭＨｚ部分におけるデータトーン数は、Ｆｌｏｏｒ（４８６／１６）＝３０であり得る。４０ＭＨｚ  ＯＦＤＭＡ送信では、７つのＤＣトーンがあるときの２．５ＭＨｚ部分におけるデータトーン数は、Ｆｌｏｏｒ（４８４／１６）＝３０であり得る。４０ＭＨｚ  ＯＦＤＭＡ送信では、１１個のＤＣトーンがあるときの２．５ＭＨｚ部分におけるデータトーン数は、Ｆｌｏｏｒ（４８０／１６）＝３０であり得る。
【０１７７】
[00244]８０または１６０ＭＨｚ  ＯＦＤＭＡ送信では、３つのＤＣトーンがあるときの２．５ＭＨｚ部分におけるデータトーン数は、Ｆｌｏｏｒ（９９８／３２）＝３１であり得る。８０または１６０ＭＨｚ  ＯＦＤＭＡ送信では、５つのＤＣトーンがあるときの２．５ＭＨｚ部分におけるデータトーン数は、Ｆｌｏｏｒ（９９６／３２）＝３１であり得る。８０または１６０ＭＨｚ  ＯＦＤＭＡ送信では、７つのＤＣトーンがあるときの２．５ＭＨｚ部分におけるデータトーン数は、Ｆｌｏｏｒ（９９４／３２）＝３１であり得る。８０または１６０ＭＨｚ  ＯＦＤＭＡ送信では、１１個のＤＣトーンがあるときの２．５ＭＨｚ部分におけるデータトーン数は、Ｆｌｏｏｒ（９９０／３２）＝３０であり得る。したがって、６４トーン送信のための統合された上限は、３１個のデータトーンであり得る。これは、リストされた構成のいずれかにおける、可能な最高データトーン数である。
【０１７８】
[00245]概して、単一のデバイスが送信の２．５ＭＨｚ部分を割り当てられたとき、そのデバイスは、スペクトルの１つの３２トーン部分からデータトーンを受信し得る。したがって、その部分におけるデバイスに与えられたデータトーン数のためのインターリーバパラメータが望まれ得る。
【０１７９】
[00246]図４７は、３２トーンプラン実施形態による、様々なデータトーン数のための候補インターリーバパラメータを示すチャートである。特定の実施形態では、インターリーバ深度（たとえば、列数（Ｎｃｏｌ））はデータトーン数（Ｎｄａｔａ）の因数であり得る。様々な実施形態では、２０データトーンブロックは、２、４、５、または１０のインターリーバ深度を有することができる。様々な実施形態では、２２データトーンブロックは、２または１１のインターリーバ深度を有することができる。様々な実施形態では、２６データトーンブロックは、２または１３のインターリーバ深度を有することができる。様々な実施形態では、２８データトーンブロックは、２、４、７、または１４のインターリーバ深度を有することができる。
【０１８０】
[00247]２つ以上の空間ストリームがある場合、空間ストリームに周波数回転が適用され得る。周波数回転は、ベースサブキャリア回転（ＮＲＯＴ）と回転インデックスとに基づき得る。ベースサブキャリア回転（ＮＲＯＴ）および回転インデックスは、データトーン数（Ｎｄａｔａ）と空間ストリーム数（Ｎｓｓ）とに基づき得る。
【０１８１】
[00248]たとえば、データトーンブロックが４つまたはそれ以下の空間ストリーム（Ｎｓｓ）を有する場合、ベースサブキャリア回転（ＮＲＯＴ）は、１〜１７のいずれかであり得る。回転インデックス（たとえば、第６の列）は、このシナリオでは［０  ２  １  ３］のビット逆転であり得る。代替的に、データトーンブロックが５つ以上の空間ストリーム（Ｎｓｓ）を有する場合、ベースサブキャリア回転（ＮＲＯＴ）は、１〜１４のいずれかであり得る。回転インデックス（たとえば、第７の列）は、いくつかの実施形態では［０  ４  ２  ６  １  ５  ３  ７］のビット逆転であり得、または回転インデックスは、他の実施形態では、隣接するストリームの平均サブキャリア距離を最大にする（または増加させる）ように選定され得る（たとえば、［０  ５  ２  ７  ３  ６  １  ４］）。本明細書では、平均サブキャリア距離を最大にするインデックスの一例として［０  ５  ２  ７  ３  ６  １  ４］の回転インデックスが使用されているが、平均サブキャリア距離を最大にする（または増加させる）任意の他の回転インデックスが使用され得る。たとえば、隣接するストリームの平均サブキャリア距離を最大にする任意の置換が使用され得、［０  ５  ２  ７  ３  ６  １  ４］は１つの例にすぎない。
【０１８２】
[00249]図３６に、様々な実施形態による、６４トーン５ＭＨｚトーンプランについての上限を示す。たとえば、単一のユーザでは、１つのＤＣトーンが使用される場合、５２個のデータトーンがあり得る。３つのＤＣトーンが使用される場合、単一のユーザのために５０個のデータトーンがあり得る。５つのＤＣトーンが使用される場合、単一のユーザのために４８個のデータトーンがあり得る。７つのＤＣトーンが使用される場合、単一のユーザのために４６個のデータトーンがあり得る。異なる総帯域幅を用いるＯＦＤＭＡ送信では、使用し得るデータトーン数は異なり得る。２０ＭＨｚ  ＯＦＤＭＡ送信では、３つのＤＣトーンがあるときの５ＭＨｚ部分におけるデータトーン数は、Ｆｌｏｏｒ（２３４／４）＝５８であり得る。この計算において、２３４は、図４に示されているように、３つのＤＣトーンをもつ２０ＭＨｚ送信におけるＮｄａｔａの上限である。したがって、２０ＭＨｚ送信の４つの５ＭＨｚ部分の各々は、最高１／４の端数切捨てのデータトーンを有し得る。２０ＭＨｚ  ＯＦＤＭＡ送信では、５つのＤＣトーンがあるときの５ＭＨｚ部分におけるデータトーン数は、Ｆｌｏｏｒ（２３２／４）＝５８であり得る。２０ＭＨｚ  ＯＦＤＭＡ送信では、７つのＤＣトーンがあるときの５ＭＨｚ部分におけるデータトーン数は、Ｆｌｏｏｒ（２３０／４）＝５７であり得る。
【０１８３】
[00250]４０ＭＨｚ  ＯＦＤＭＡ送信では、３つのＤＣトーンがあるときの５ＭＨｚ部分におけるデータトーン数は、Ｆｌｏｏｒ（４８８／８）＝６１であり得る。４０ＭＨｚ  ＯＦＤＭＡ送信では、５つのＤＣトーンがあるときの５ＭＨｚ部分におけるデータトーン数は、Ｆｌｏｏｒ（４８６／８）＝６０であり得る。４０ＭＨｚ  ＯＦＤＭＡ送信では、７つのＤＣトーンがあるときの５ＭＨｚ部分におけるデータトーン数は、Ｆｌｏｏｒ（４８４／８）＝６０であり得る。４０ＭＨｚ  ＯＦＤＭＡ送信では、１１個のＤＣトーンがあるときの５ＭＨｚ部分におけるデータトーン数は、Ｆｌｏｏｒ（４８０／８）＝６０であり得る。
【０１８４】
[00251]８０または１６０ＭＨｚ  ＯＦＤＭＡ送信では、３つのＤＣトーンがあるときの５ＭＨｚ部分におけるデータトーン数は、Ｆｌｏｏｒ（９９８／１６）＝６２であり得る。８０または１６０ＭＨｚ  ＯＦＤＭＡ送信では、５つのＤＣトーンがあるときの５ＭＨｚ部分におけるデータトーン数は、Ｆｌｏｏｒ（９９６／１６）＝６２であり得る。８０または１６０ＭＨｚ  ＯＦＤＭＡ送信では、７つのＤＣトーンがあるときの５ＭＨｚ部分におけるデータトーン数は、Ｆｌｏｏｒ（９９４／１６）＝６２であり得る。８０または１６０ＭＨｚ  ＯＦＤＭＡ送信では、１１個のＤＣトーンがあるときの５ＭＨｚ部分におけるデータトーン数は、Ｆｌｏｏｒ（９９０／１６）＝６１であり得る。したがって、６４トーン送信のための統合された上限は、６２個のデータトーンであり得る。これは、リストされた構成のいずれかにおける、可能な最高データトーン数である。
【０１８５】
[00252]図３７に、様々な実施形態による、１２８トーン１０ＭＨｚトーンプランについての上限を示す。たとえば、単一のユーザでは、３つのＤＣトーンが使用される場合、１０８個のデータトーンがあり得る。５つのＤＣトーンが使用される場合、単一のユーザのために１０６個のデータトーンがあり得る。７つのＤＣトーンが使用される場合、単一のユーザのために１０４個のデータトーンがあり得る。異なる総帯域幅を用いるＯＦＤＭＡ送信では、使用し得るデータトーン数は異なり得る。２０ＭＨｚ  ＯＦＤＭＡ送信では、３つのＤＣトーンがあるときの１０ＭＨｚ部分におけるデータトーン数は、Ｆｌｏｏｒ（２３４／２）＝１１７であり得る。２０ＭＨｚ  ＯＦＤＭＡ送信では、５つのＤＣトーンがあるときの１０ＭＨｚ部分におけるデータトーン数は、Ｆｌｏｏｒ（２３２／２）＝１１６であり得る。２０ＭＨｚ  ＯＦＤＭＡ送信では、７つのＤＣトーンがあるときの１０ＭＨｚ部分におけるデータトーン数は、Ｆｌｏｏｒ（２３０／２）＝１１５であり得る。
【０１８６】
[00253]４０ＭＨｚ  ＯＦＤＭＡ送信では、３つのＤＣトーンがあるときの１０ＭＨｚ部分におけるデータトーン数は、Ｆｌｏｏｒ（４８８／４）＝１２２であり得る。４０ＭＨｚ  ＯＦＤＭＡ送信では、５つのＤＣトーンがあるときの１０ＭＨｚ部分におけるデータトーン数は、Ｆｌｏｏｒ（４８６／４）＝１２１であり得る。４０ＭＨｚ  ＯＦＤＭＡ送信では、７つのＤＣトーンがあるときの１０ＭＨｚ部分におけるデータトーン数は、Ｆｌｏｏｒ（４８４／４）＝１２０であり得る。４０ＭＨｚ  ＯＦＤＭＡ送信では、１１個のＤＣトーンがあるときの１０ＭＨｚ部分におけるデータトーン数は、Ｆｌｏｏｒ（４８０／４）＝１２０であり得る。
【０１８７】
[00254]８０または１６０ＭＨｚ  ＯＦＤＭＡ送信では、３つのＤＣトーンがあるときの１０ＭＨｚ部分におけるデータトーン数は、Ｆｌｏｏｒ（９９８／８）＝１２４であり得る。８０または１６０ＭＨｚ  ＯＦＤＭＡ送信では、５つのＤＣトーンがあるときの１０ＭＨｚ部分におけるデータトーン数は、Ｆｌｏｏｒ（９９６／８）＝１２４であり得る。８０または１６０ＭＨｚ  ＯＦＤＭＡ送信では、７つのＤＣトーンがあるときの１０ＭＨｚ部分におけるデータトーン数は、Ｆｌｏｏｒ（９９４／８）＝１２４であり得る。８０または１６０ＭＨｚ  ＯＦＤＭＡ送信では、１１個のＤＣトーンがあるときの１０ＭＨｚ部分におけるデータトーン数は、Ｆｌｏｏｒ（９９０／８）＝１２３であり得る。したがって、１２８トーン送信のための統合された上限は、１２４個のデータトーンであり得る。これは、リストされた構成のいずれかにおける、可能な最高データトーン数である。
【０１８８】
[00255]図３８に、様々な実施形態による、１９２トーン１５ＭＨｚトーンプランについての上限を示す。概して、１５ＭＨｚは、単一のユーザによって使用されないことがある。異なる総帯域幅を用いるＯＦＤＭＡ送信では、使用し得るデータトーン数は異なり得る。２０ＭＨｚ  ＯＦＤＭＡ送信では、３つのＤＣトーンがあるときの１５ＭＨｚ部分におけるデータトーン数は、Ｆｌｏｏｒ（２３４＊３／４）＝１７５であり得る。２０ＭＨｚ  ＯＦＤＭＡ送信では、５つのＤＣトーンがあるときの１５ＭＨｚ部分におけるデータトーン数は、Ｆｌｏｏｒ（２３２＊３／４）＝１７４であり得る。２０ＭＨｚ  ＯＦＤＭＡ送信では、７つのＤＣトーンがあるときの１５ＭＨｚ部分におけるデータトーン数は、Ｆｌｏｏｒ（２３０＊３／４）＝１７２であり得る。
【０１８９】
[00256]４０ＭＨｚ  ＯＦＤＭＡ送信では、３つのＤＣトーンがあるときの１５ＭＨｚ部分におけるデータトーン数は、Ｆｌｏｏｒ（４８８＊３／８）＝１８３であり得る。４０ＭＨｚ  ＯＦＤＭＡ送信では、５つのＤＣトーンがあるときの１５ＭＨｚ部分におけるデータトーン数は、Ｆｌｏｏｒ（４８６＊３／８）＝１８３であり得る。４０ＭＨｚ  ＯＦＤＭＡ送信では、７つのＤＣトーンがあるときの１５ＭＨｚ部分におけるデータトーン数は、Ｆｌｏｏｒ（４８４＊３／８）＝１８１であり得る。４０ＭＨｚ  ＯＦＤＭＡ送信では、１１個のＤＣトーンがあるときの１５ＭＨｚ部分におけるデータトーン数は、Ｆｌｏｏｒ（４８０＊３／８）＝１８０であり得る。
【０１９０】
[00257]８０または１６０ＭＨｚ  ＯＦＤＭＡ送信では、３つのＤＣトーンがあるときの１５ＭＨｚ部分におけるデータトーン数は、Ｆｌｏｏｒ（９９８＊３／１６）＝１８７であり得る。８０または１６０ＭＨｚ  ＯＦＤＭＡ送信では、５つのＤＣトーンがあるときの１５ＭＨｚ部分におけるデータトーン数は、Ｆｌｏｏｒ（９９６＊３／１６）＝１８６であり得る。８０または１６０ＭＨｚ  ＯＦＤＭＡ送信では、７つのＤＣトーンがあるときの１５ＭＨｚ部分におけるデータトーン数は、Ｆｌｏｏｒ（９９４＊３／１６）＝１８６であり得る。８０または１６０ＭＨｚ  ＯＦＤＭＡ送信では、１１個のＤＣトーンがあるときの１５ＭＨｚ部分におけるデータトーン数は、Ｆｌｏｏｒ（９９０＊３／１６）＝１８５であり得る。したがって、１９２トーン送信のための統合された上限は、１８７個のデータトーンであり得る。これは、リストされた構成のいずれかにおける、可能な最高データトーン数である。
【０１９１】
[00258]図３９に、様々な実施形態による、２５６トーン２０ＭＨｚトーンプランについての上限を示す。たとえば、単一のユーザでは、３つのＤＣトーンが使用される場合、２３４個のデータトーンがあり得る。５つのＤＣトーンが使用される場合、単一のユーザのために２３２個のデータトーンがあり得る。７つのＤＣトーンが使用される場合、単一のユーザのために２３０個のデータトーンがあり得る。異なる総帯域幅を用いるＯＦＤＭＡ送信では、使用し得るデータトーン数は異なり得る。２０ＭＨｚ  ＯＦＤＭＡ送信では、３つのＤＣトーンがあるときの２０ＭＨｚ部分（すなわち、送信全体）におけるデータトーン数は、２３４であり得る。２０ＭＨｚ  ＯＦＤＭＡ送信では、５つのＤＣトーンがあるときの２０ＭＨｚ部分におけるデータトーン数は、２３２であり得る。２０ＭＨｚ  ＯＦＤＭＡ送信では、７つのＤＣトーンがあるときの２０ＭＨｚ部分におけるデータトーン数は、２３０であり得る。
【０１９２】
[00259]４０ＭＨｚ  ＯＦＤＭＡ送信では、３つのＤＣトーンがあるときの２０ＭＨｚ部分におけるデータトーン数は、Ｆｌｏｏｒ（４８８／２）＝２４４であり得る。４０ＭＨｚ  ＯＦＤＭＡ送信では、５つのＤＣトーンがあるときの２０ＭＨｚ部分におけるデータトーン数は、Ｆｌｏｏｒ（４８６／２）＝２４３であり得る。４０ＭＨｚ  ＯＦＤＭＡ送信では、７つのＤＣトーンがあるときの２０ＭＨｚ部分におけるデータトーン数は、Ｆｌｏｏｒ（４８４／２）＝２４２であり得る。４０ＭＨｚ  ＯＦＤＭＡ送信では、１１個のＤＣトーンがあるときの２０ＭＨｚ部分におけるデータトーン数は、Ｆｌｏｏｒ（４８０／２）＝２４０であり得る。
【０１９３】
[00260]８０または１６０ＭＨｚ  ＯＦＤＭＡ送信では、３つのＤＣトーンがあるときの２０ＭＨｚ部分におけるデータトーン数は、Ｆｌｏｏｒ（９９８／４）＝２４９であり得る。８０または１６０ＭＨｚ  ＯＦＤＭＡ送信では、５つのＤＣトーンがあるときの２０ＭＨｚ部分におけるデータトーン数は、Ｆｌｏｏｒ（９９６／４）＝２４９であり得る。８０または１６０ＭＨｚ  ＯＦＤＭＡ送信では、７つのＤＣトーンがあるときの２０ＭＨｚ部分におけるデータトーン数は、Ｆｌｏｏｒ（９９４／４）＝２４８であり得る。８０または１６０ＭＨｚ  ＯＦＤＭＡ送信では、１１個のＤＣトーンがあるときの２０ＭＨｚ部分におけるデータトーン数は、Ｆｌｏｏｒ（９９０／４）＝２４７であり得る。したがって、２５６トーン送信のための統合された上限は、２４９個のデータトーンであり得る。これは、リストされた構成のいずれかにおける、可能な最高データトーン数である。
【０１９４】
[00261]図４０に、様々な実施形態による、３８４トーン３０ＭＨｚトーンプランについての上限を示す。４０ＭＨｚ  ＯＦＤＭＡ送信では、３つのＤＣトーンがあるときの３０ＭＨｚ部分におけるデータトーン数は、Ｆｌｏｏｒ（４８８＊３／４）＝３６６であり得る。４０ＭＨｚ  ＯＦＤＭＡ送信では、５つのＤＣトーンがあるときの３０ＭＨｚ部分におけるデータトーン数は、Ｆｌｏｏｒ（４８６＊３／４）＝３６４であり得る。４０ＭＨｚ  ＯＦＤＭＡ送信では、７つのＤＣトーンがあるときの３０ＭＨｚ部分におけるデータトーン数は、Ｆｌｏｏｒ（４８４＊３／４）＝３６５であり得る。４０ＭＨｚ  ＯＦＤＭＡ送信では、１１個のＤＣトーンがあるときの３０ＭＨｚ部分におけるデータトーン数は、Ｆｌｏｏｒ（４８０＊３／４）＝３６０であり得る。
【０１９５】
[00262]８０または１６０ＭＨｚ  ＯＦＤＭＡ送信では、３つのＤＣトーンがあるときの３０ＭＨｚ部分におけるデータトーン数は、Ｆｌｏｏｒ（９９８＊３／８）＝３７４であり得る。８０または１６０ＭＨｚ  ＯＦＤＭＡ送信では、５つのＤＣトーンがあるときの３０ＭＨｚ部分におけるデータトーン数は、Ｆｌｏｏｒ（９９６＊３／８）＝３７３であり得る。８０または１６０ＭＨｚ  ＯＦＤＭＡ送信では、７つのＤＣトーンがあるときの３０ＭＨｚ部分におけるデータトーン数は、Ｆｌｏｏｒ（９９４＊３／８）＝３７２であり得る。８０または１６０ＭＨｚ  ＯＦＤＭＡ送信では、１１個のＤＣトーンがあるときの３０ＭＨｚ部分におけるデータトーン数は、Ｆｌｏｏｒ（９９０＊３／８）＝３７１であり得る。したがって、３８４トーン送信のための統合された上限は、３７４個のデータトーンであり得る。これは、リストされた構成のいずれかにおける、可能な最高データトーン数である。
【０１９６】
[00263]図４１Ａに、様々な実施形態による、５１２トーン４０ＭＨｚトーンプランについての上限を示す。たとえば、単一のユーザでは、３つのＤＣトーンが使用される場合、４８８個のデータトーンがあり得る。５つのＤＣトーンが使用される場合、単一のユーザのために４８６個のデータトーンがあり得る。７つのＤＣトーンが使用される場合、単一のユーザのために４８４個のデータトーンがあり得る。１１個のＤＣトーンが使用される場合、単一のユーザのために４８０個のデータトーンがあり得る。同様に、４０ＭＨｚ総帯域幅を用いるＯＦＤＭＡ送信では、同じデータトーン数が使用され得る。
【０１９７】
[00264]８０または１６０ＭＨｚ  ＯＦＤＭＡ送信では、３つのＤＣトーンがあるときの４０ＭＨｚ部分におけるデータトーン数は、Ｆｌｏｏｒ（９９８／２）＝４９９であり得る。８０または１６０ＭＨｚ  ＯＦＤＭＡ送信では、５つのＤＣトーンがあるときの４０ＭＨｚ部分におけるデータトーン数は、Ｆｌｏｏｒ（９９６／２）＝４９８であり得る。８０または１６０ＭＨｚ  ＯＦＤＭＡ送信では、７つのＤＣトーンがあるときの４０ＭＨｚ部分におけるデータトーン数は、Ｆｌｏｏｒ（９９４／２）＝４９７であり得る。８０または１６０ＭＨｚ  ＯＦＤＭＡ送信では、１１個のＤＣトーンがあるときの４０ＭＨｚ部分におけるデータトーン数は、Ｆｌｏｏｒ（９９０／２）＝４９５であり得る。したがって、５１２トーン送信のための統合された上限は、４９９個のデータトーンであり得る。これは、リストされた構成のいずれかにおける、可能な最高データトーン数である。
【０１９８】
[00265]図４１Ｂに、いくつかの既存のトーンプランを含む、他の可能なトーンプランに対する実現可能な４０ＭＨｚトーンプランのいずれかからの利得を示す。たとえば、４７０個のデータトーンを使用することは、４６８個のデータトーンに対する０．４３％の利得を表し得る。４７２個のデータトーンを使用することは、４６８個のデータトーンに対する０．８５％の利得を表し得る。４７４個のデータトーンを使用することは、４６８個のデータトーンに対する１．２８％の利得を表し得る。４７６個のデータトーンを使用することは、４６８個のデータトーンに対する１．７１％の利得を表し得る。４７８個のデータトーンを使用することは、４６８個のデータトーンに対する２．１４％の利得を表し得る。４８０個のデータトーンを使用することは、４６８個のデータトーンに対する２．５６％の利得を表し得る。４８２個のデータトーンを使用することは、４６８個のデータトーンに対する２．９９％の利得を表し得る。４８４個のデータトーンを使用することは、４６８個のデータトーンに対する３．４２％の利得を表し得る。４８６個のデータトーンを使用することは、４６８個のデータトーンに対する３．８５％の利得を表し得る。４８８個のデータトーンを使用することは、４６８個のデータトーンに対する４．２７％の利得を表し得る。４９０個のデータトーンを使用することは、４６８個のデータトーンに対する４．７０％の利得を表し得る。４９２個のデータトーンを使用することは、４６８個のデータトーンに対する５．１３％の利得を表し得る。４９４個のデータトーンを使用することは、４６８個のデータトーンに対する５．５６％の利得を表し得る。４９６個のデータトーンを使用することは、４６８個のデータトーンに対する５．９８％の利得を表し得る。４９８個のデータトーンを使用することは、４６８個のデータトーンに対する６．４１％の利得を表し得る。
【０１９９】
[00266]図４２に、いくつかの既存のトーンプランを含む、他の可能なトーンプランに対する実現可能な６０ＭＨｚトーンプランのいずれかからの利得を示す。たとえば、７３２個のデータトーンを使用することは、４７８個のデータトーンを使用することと比較して２．１４％の損失を表し得る。７３８個のデータトーンを使用することは、４７８個のデータトーンを使用することと比較して１．３４％の損失を表し得る。７４０個のデータトーンを使用することは、４７８個のデータトーンを使用することと比較して１．０７％の損失を表し得る。７４４個のデータトーンを使用することは、４７８個のデータトーンを使用することと比較して０．５３％の損失を表し得る。７４８個のデータトーンを使用することは、他のトーンプランにおいて４７８個のデータトーンを使用することと比較して損失を表さないことがある。
【０２００】
[00267]図４３に、いくつかの既存のトーンプランを含む、他の可能なトーンプランに対する実現可能な８０ＭＨｚトーンプランのいずれかからの利得を示す。たとえば、９３６個のデータトーンを使用することは、９３６個のデータトーンに対して利得を表さないことがある。９３８個のデータトーンを使用することは、９３６個のデータトーンに対する０．２１％の利得を表し得る。９４０個のデータトーンを使用することは、９３６個のデータトーンに対する０．４３％の利得を表し得る。９４２個のデータトーンを使用することは、９３６個のデータトーンに対する０．６４％の利得を表し得る。９４４個のデータトーンを使用することは、９３６個のデータトーンに対する０．８５％の利得を表し得る。９４６個のデータトーンを使用することは、９３６個のデータトーンに対する１．０７％の利得を表し得る。９４８個のデータトーンを使用することは、９３６個のデータトーンに対する１．２８％の利得を表し得る。９５０個のデータトーンを使用することは、９３６個のデータトーンに対する１．５０％の利得を表し得る。９５２個のデータトーンを使用することは、９３６個のデータトーンに対する１．７１％の利得を表し得る。９５４個のデータトーンを使用することは、９３６個のデータトーンに対する１．９２％の利得を表し得る。９５６個のデータトーンを使用することは、９３６個のデータトーンに対する２．１４％の利得を表し得る。９５８個のデータトーンを使用することは、９３６個のデータトーンに対する２．３５％の利得を表し得る。９６０個のデータトーンを使用することは、９３６個のデータトーンに対する２．５６％の利得を表し得る。９６２個のデータトーンを使用することは、９３６個のデータトーンに対する２．７８％の利得を表し得る。９６４個のデータトーンを使用することは、９３６個のデータトーンに対する２．９９％の利得を表し得る。９６６個のデータトーンを使用することは、９３６個のデータトーンに対する３．２１％の利得を表し得る。９６８個のデータトーンを使用することは、９３６個のデータトーンに対する３．４２％の利得を表し得る。９７０個のデータトーンを使用することは、９３６個のデータトーンに対する３．６３％利得を表し得る。９７２個のデータトーンを使用することは、９３６個のデータトーンに対する３．８４％の利得を表し得る。９７４個のデータトーンを使用することは、９３６個のデータトーンに対する４．０６％の利得を表し得る。９７６個のデータトーンを使用することは、９３６個のデータトーンに対する４．２７％の利得を表し得る。９７８個のデータトーンを使用することは、９３６個のデータトーンに対する４．４９％の利得を表し得る。９８０個のデータトーンを使用することは、９３６個のデータトーンに対する４．７０％の利得を表し得る。９８２個のデータトーンを使用することは、９３６個のデータトーンに対する４．９１％の利得を表し得る。９８４個のデータトーンを使用することは、９３６個のデータトーンに対する５．１３％の利得を表し得る。９８６個のデータトーンを使用することは、９３６個のデータトーンに対する５．３４％の利得を表し得る。９８８個のデータトーンを使用するこ��は、９３６個のデータトーンに対する５．５６％の利得を表し得る。９９０個のデータトーンを使用することは、９３６個のデータトーンに対する５．７７％の利得を表し得る。９９２個のデータトーンを使用することは、９３６個のデータトーンに対する５．９８％の利得を表し得る。９９４個のデータトーンを使用することは、９３６個のデータトーンに対する６．２０％の利得を表し得る。９９６個のデータトーンを使用することは、９３６個のデータトーンに対する６．４１％の利得を表し得る。９９８個のデータトーンを使用することは、９３６個のデータトーンに対する６．６２％の利得を表し得る。
【０２０１】
[00268]図４４に、いくつかの既存のトーンプランを含む、他の可能なトーンプランに対する実現可能な１００ＭＨｚトーンプランのいずれかからの利得を示す。たとえば、１２００個のデータトーンを使用することは、１２４７個のデータトーンを使用することと比較して３．７７％の損失を表し得る。１２０３個のデータトーンを使用することは、１２４７個のデータトーンを使用することと比較して３．５３％の損失を表し得る。１２０４個のデータトーンを使用することは、１２４７個のデータトーンを使用することと比較して３．４５％の損失を表し得る。１２０６個のデータトーンを使用することは、１２４７個のデータトーンを使用することと比較して３．２９％の損失を表し得る。１２０８個のデータトーンを使用することは、１２４７個のデータトーンを使用することと比較して３．１３％の損失を表し得る。１２０９個のデータトーンを使用することは、１２４７個のデータトーンを使用することと比較して３．０５％の損失を表し得る。１２１０個のデータトーンを使用することは、１２４７個のデータトーンを使用することと比較して２．９７％の損失を表し得る。１２１２個のデータトーンを使用することは、１２４７個のデータトーンを使用することと比較して２．８１％の損失を表し得る。１２１５個のデータトーンを使用することは、１２４７個のデータトーンを使用することと比較して２．５７％の損失を表し得る。１２１６個のデータトーンを使用することは、１２４７個のデータトーンを使用することと比較して２．４９％の損失を表し得る。１２１８個のデータトーンを使用することは、１２４７個のデータトーンを使用することと比較して２．３３％の損失を表し得る。１２２０個のデータトーンを使用することは、１２４７個のデータトーンを使用することと比較して２．１７％の損失を表し得る。１２２１個のデータトーンを使用することは、１２４７個のデータトーンを使用することと比較して２．０９％の損失を表し得る。１２２４個のデータトーンを使用することは、１２４７個のデータトーンを使用することと比較して１．８４％の損失を表し得る。１２２７個のデータトーンを使用することは、１２４７個のデータトーンを使用することと比較して１．６０％の損失を表し得る。１２２８個のデータトーンを使用することは、１２４７個のデータトーンを使用することと比較して１．５２％の損失を表し得る。１２３０個のデータトーンを使用することは、１２４７個のデータトーンを使用することと比較して１．３６％の損失を表し得る。１２３２個のデータトーンを使用することは、１２４７個のデータトーンを使用することと比較して１．２０％の損失を表し得る。１２３３個のデータトーンを使用することは、１２４７個のデータトーンを使用することと比較して１．１２％の損失を表し得る。１２３６個のデータトーンを使用することは、１２４７個のデータトーンを使用することと比較して０．８８％の損失を表し得る。１２４０個のデータトーンを使用することは、１２４７個のデータトーンを使用することと比較して０．５６％の損失を表し得る。１２４２個のデータトーンを使用することは、１２４７個のデータトーンを使用することと比較して０．４０��の損失を表し得る。１２４４個のデータトーンを使用することは、１２４７個のデータトーンを使用することと比較して０．２４％の損失を表し得る。
【０２０２】
[00269]図４５に、いくつかの既存のトーンプランを含む、他の可能なトーンプランに対する実現可能な１２０ＭＨｚトーンプランのいずれかからの利得を示す。たとえば、１４２０個のデータトーンを使用することは、１４９７個のデータトーンを使用することと比較して５．１４％の損失を表し得る。１４２２個のデータトーンを使用することは、１４９７個のデータトーンを使用することと比較して５．０１％の損失を表し得る。１４２４個のデータトーンを使用することは、１４９７個のデータトーンを使用することと比較して４．８８％の損失を表し得る。１４２６個のデータトーンを使用することは、１４９７個のデータトーンを使用することと比較して４．７４％の損失を表し得る。１４２８個のデータトーンを使用することは、１４９７個のデータトーンを使用することと比較して４．６１％の損失を表し得る。１４３０個のデータトーンを使用することは、１４９７個のデータトーンを使用することと比較して４．４８％の損失を表し得る。１４３２個のデータトーンを使用することは、１４９７個のデータトーンを使用することと比較して４．３４％の損失を表し得る。１４３４個のデータトーンを使用することは、１４９７個のデータトーンを使用することと比較して４．２１％の損失を表し得る。１４３６個のデータトーンを使用することは、１４９７個のデータトーンを使用することと比較して４．０７％の損失を表し得る。１４３８個のデータトーンを使用することは、１４９７個のデータトーンを使用することと比較して３．９４％の損失を表し得る。１４４０個のデータトーンを使用することは、１４９７個のデータトーンを使用することと比較して３．８１％の損失を表し得る。１４４６個のデータトーンを使用することは、１４９７個のデータトーンを使用することと比較して３．４１％の損失を表し得る。１４５２個のデータトーンを使用することは、１４９７個のデータトーンを使用することと比較して３．０１％の損失を表し得る。１４５６個のデータトーンを使用することは、１４９７個のデータトーンを使用することと比較して２．７４％の損失を表し得る。１４５８個のデータトーンを使用することは、１４９７個のデータトーンを使用することと比較して２．６１％の損失を表し得る。１４６０個のデータトーンを使用することは、１４９７個のデータトーンを使用することと比較して２．４７％の損失を表し得る。１４６４個のデータトーンを使用することは、１４９７個のデータトーンを使用することと比較して２．２０％の損失を表し得る。１４７０個のデータトーンを使用することは、１４９７個のデータトーンを使用することと比較して１．８０％の損失を表し得る。１４７６個のデータトーンを使用することは、１４９７個のデータトーンを使用することと比較して１．４０％の損失を表し得る。１４８０個のデータトーンを使用することは、１４９７個のデータトーンを使用することと比較して１．１４％の損失を表し得る。１４８２個のデータトーンを使用することは、１４９７個のデータトーンを使用することと比較して１．００％の損失を表し得る。１４８４個のデータトーンを使用することは、１４９７個のデータトーンを使用することと比較して０．８７��の損失を表し得る。１４８８個のデータトーンを使用することは、１４９７個のデータトーンを使用することと比較して０．６０％の損失を表し得る。１４９６個のデータトーンを使用することは、１４９７個のデータトーンを使用することと比較して０．０７％の損失を表し得る。
【０２０３】
[00270]図４６に、いくつかの既存のトーンプランを含む、他の可能なトーンプランに対する実現可能な１４０ＭＨｚトーンプランのいずれかからの利得を示す。たとえば、１６６０個のデータトーンを使用することは、１７４６個のデータトーンを使用することと比較して４．９３％の損失を表し得る。１６６２個のデータトーンを使用することは、１７４６個のデータトーンを使用することと比較して４．８１％の損失を表し得る。１６６４個のデータトーンを使用することは、１７４６個のデータトーンを使用することと比較して４．７０％の損失を表し得る。１６６６個のデータトーンを使用することは、１７４６個のデータトーンを使用することと比較して４．５８％の損失を表し得る。１６６８個のデータトーンを使用することは、１７４６個のデータトーンを使用することと比較して４．４７％の損失を表し得る。１６７０個のデータトーンを使用することは、１７４６個のデータトーンを使用することと比較して４．３５％の損失を表し得る。１６７２個のデータトーンを使用することは、１７４６個のデータトーンを使用することと比較して４．２４％の損失を表し得る。１６７４個のデータトーンを使用することは、１７４６個のデータトーンを使用することと比較して４．１２％の損失を表し得る。１６７６個のデータトーンを使用することは、１７４６個のデータトーンを使用することと比較して４．０１％の損失を表し得る。１６７８個のデータトーンを使用することは、１７４６個のデータトーンを使用することと比較して３．８９％の損失を表し得る。１６８０個のデータトーンを使用することは、１７４６個のデータトーンを使用することと比較して３．７８％の損失を表し得る。１６８２個のデータトーンを使用することは、１７４６個のデータトーンを使用することと比較して３．６７％の損失を表し得る。１６８４個のデータトーンを使用することは、１７４６個のデータトーンを使用することと比較して３．５５％の損失を表し得る。１６８６個のデータトーンを使用することは、１７４６個のデータトーンを使用することと比較して３．４３％の損失を表し得る。１６８８個のデータトーンを使用することは、１７４６個のデータトーンを使用することと比較して３．３２％の損失を表し得る。１６９０個のデータトーンを使用することは、１７４６個のデータトーンを使用することと比較して３．２１％の損失を表し得る。１６９２個のデータトーンを使用することは、１７４６個のデータトーンを使用することと比較して３．０９％の損失を表し得る。１６９４個のデータトーンを使用することは、１７４６個のデータトーンを使用することと比較して２．９８％の損失を表し得る。１６９６個のデータトーンを使用することは、１７４６個のデータトーンを使用することと比較して２．８６％の損失を表し得る。１６９８個のデータトーンを使用することは、１７４６個のデータトーンを使用することと比較して２．７５％の損失を表し得る。１７００個のデータトーンを使用することは、１７４６個のデータトーンを使用することと比較して２．６３％の損失を表し得る。１７０２個のデータトーンを使用することは、１７４６個のデータトーンを使用することと比較して２．５２��の損失を表し得る。１７０４個のデータトーンを使用することは、１７４６個のデータトーンを使用することと比較して２．４１％の損失を表し得る。１７０６個のデータトーンを使用することは、１７４６個のデータトーンを使用することと比較して２．２９％の損失を表し得る。１７０８個のデータトーンを使用することは、１７４６個のデータトーンを使用することと比較して２．１８％の損失を表し得る。１７１０個のデータトーンを使用することは、１７４６個のデータトーンを使用することと比較して２．０６％の損失を表し得る。１７１２個のデータトーンを使用することは、１７４６個のデータトーンを使用することと比較して１．９５％の損失を表し得る。１７１４個のデータトーンを使用することは、１７４６個のデータトーンを使用することと比較して１．８３％の損失を表し得る。１７１６個のデータトーンを使用することは、１７４６個のデータトーンを使用することと比較して１．７２％の損失を表し得る。１７１８個のデータトーンを使用することは、１７４６個のデータトーンを使用することと比較して１．６０％の損失を表し得る。１７２０個のデータトーンを使用することは、１７４６個のデータトーンを使用することと比較して１．４９％の損失を表し得る。１７２２個のデータトーンを使用することは、１７４６個のデータトーンを使用することと比較して１．３７％の損失を表し得る。１７２４個のデータトーンを使用することは、１７４６個のデータトーンを使用することと比較して１．２６％の損失を表し得る。１７２６個のデータトーンを使用することは、１７４６個のデータトーンを使用することと比較して１．１５％の損失を表し得る。１７２８個のデータトーンを使用することは、１７４６個のデータトーンを使用することと比較して１．０３％の損失を表し得る。１７３４個のデータトーンを使用することは、１７４６個のデータトーンを使用することと比較して０．６９％の損失を表し得る。１７３６個のデータトーンを使用することは、１７４６個のデータトーンを使用することと比較して０．５７％の損失を表し得る。１７４０個のデータトーンを使用することは、１７４６個のデータトーンを使用することと比較して０．３４％の損失を表し得る。１７４６個のデータトーンを使用することは、１７４６個のデータトーンを使用することと比較して損失を表さないことがある。
【０２０４】
[00271]トーンプランはまた、２０４８個のトーンを含み得る１６０ＭＨｚ送信のために設計され得る。概して、１６０ＭＨｚ送信は２つの８０ＭＨｚ送信からなり得る。したがって、１６０ＭＨｚ２０４８ＦＦＴ送信中のデータトーン数は、８０ＭＨｚ送信中に含まれる数の２倍であり得る。たとえば、８０ＭＨｚ送信は、９３６個のデータトーン、９３８個のデータトーン、９４０個のデータトーン、９４２個のデータトーン、９４４個のデータトーン、９４６個のデータトーン、９４８個のデータトーン、９５０個のデータトーン、９５２個のデータトーン、９５４個のデータトーン、９５６個のデータトーン、９５８個のデータトーン、９６０個のデータトーン、９６２個のデータトーン、９６４個のデータトーン、９６６個のデータトーン、９６８個のデータトーン、９７０個のデータトーン、９７２個のデータトーン、９７４個のデータトーン、９７６個のデータトーン、９７８個のデータトーン、９８０個のデータトーン、９８２個のデータトーン、９８４個のデータトーン、９８６個のデータトーン、９８８個のデータトーン、９９０個のデータトーン、９９２個のデータトーン、９９４個のデータトーン、９９６個のデータトーン、および９９８個のデータトーンのうちの１つを含み得る。したがって、１６０ＭＨｚ送信は、１８７２個のデータトーン、１８７６個のデータトーン、１８８０個のデータトーン、１８８４個のデータトーン、１８８８個のデータトーン、１８９２個のデータトーン、１８９６個のデータトーン、１９００個のデータトーン、１９０４個のデータトーン、１９０８個のデータトーン、１９１２個のデータトーン、１９１６個のデータトーン、１９２０個のデータトーン、１９２４個のデータトーン、１９２８個のデータトーン、１９３２個のデータトーン、１９３６個のデータトーン、１９４０個のデータトーン、１９４４個のデータトーン、１９４８個のデータトーン、１９５２個のデータトーン、１９５６個のデータトーン、１９６０個のデータトーン、１９６４個のデータトーン、１９６８個のデータトーン、１９７２個のデータトーン、１９７６個のデータトーン、１９８０個のデータトーン、１９８４個のデータトーン、１９８８個のデータトーン、１９９２個のデータトーン、および１９９６個のデータトーンのうちの１つを含み得る。ＩＥＥＥ８０２．１１ａｃなど、Ｗｉ−Ｆｉの前のバージョンでは、１６０ＭＨｚおよび８０＋８０ＭＨｚ送信は、セグメントパーサによって２つの８０ＭＨｚ周波数セグメントに分割された。２つの８０ＭＨｚセグメントの各々は、８０ＭＨｚ送信など、１０２４ＦＦＴトーンプランを用いることになるので、ＢＣＣインターリービングおよびＬＤＰＣトーンマッピングがそれらのセグメントの各々において行われ得る。しかしながら、１６０ＭＨｚ送信におけるＢＣＣエンコーダの数およびＭＣＳ有効性は、全体の２０４８ＦＦＴ／１６０ＭＨｚトーンプランに依拠し得る。したがって、そのような２０４８ＦＦＴトーンプランについてのＭＣＳ除外は、１０２４ＦＦＴトーンプランに存在するものとは異なり得る。
【０２０５】
[00272]図４８は、３８４トーンプラン実施形態による、様々なデータトーン数のためのいくつかの候補インターリーバパラメータを示すチャートである。たとえば、これらのパラメータは、デバイスが特定の送信において３０ＭＨｚを割り振られたときに使用され得る。特定の実施形態では、インターリーバ深度（たとえば、列数（Ｎｃｏｌ））はデータトーン数（Ｎｄａｔａ）の因数であり得る。様々な実施形態では、３６２データトーンブロックは、２または１８１のインターリーバ深度を有することができる。様々な実施形態では、３７４データトーンブロックは、２、１１、１７、２２、３４、または１８７のインターリーバ深度を有することができる。
【０２０６】
[00273]２つ以上の空間ストリームがある場合、空間ストリームに周波数回転が適用され得る。周波数回転は、ベースサブキャリア回転（ＮＲＯＴ）と回転インデックスとに基づき得る。ベースサブキャリア回転（ＮＲＯＴ）および回転インデックスは、データトーン数（Ｎｄａｔａ）と空間ストリーム数（Ｎｓｓ）とに基づき得る。
【０２０７】
[00274]たとえば、データトーンブロックが４つまたはそれ以下の空間ストリーム（Ｎｓｓ）を有する場合、ベースサブキャリア回転（ＮＲＯＴ）は、７７〜１０５のいずれかであり得る。回転インデックス（たとえば、第６の列）は、このシナリオでは［０  ２  １  ３］のビット逆転であり得る。代替的に、データトーンブロックが５つ以上の空間ストリーム（Ｎｓｓ）を有する場合、ベースサブキャリア回転（ＮＲＯＴ）は、３３〜５８のいずれかであり得る。回転インデックス（たとえば、第７の列）は、いくつかの実施形態では［０  ４  ２  ６  １  ５  ３  ７］のビット逆転であり得、または回転インデックスは、他の実施形態では、隣接するストリームの平均サブキャリア距離を最大にする（または増加させる）ように選定され得る（たとえば、［０  ５  ２  ７  ３  ６  １  ４］）。本明細書では、平均サブキャリア距離を最大にするインデックスの一例として［０  ５  ２  ７  ３  ６  １  ４］の回転インデックスが使用されているが、平均サブキャリア距離を最大にする（または増加させる）任意の他の回転インデックスが使用され得る。たとえば、隣接するストリームの平均サブキャリア距離を最大にする任意の置換が使用され得、［０  ５  ２  ７  ３  ６  １  ４］は１つの例にすぎない。
【０２０８】
[00275]図４９は、５１２トーンプラン実施形態による、様々なデータトーン数のためのいくつかの候補インターリーバパラメータを示すチャートである。たとえば、これらのパラメータは、デバイスが特定の送信において４０ＭＨｚを割り振られたときに使用され得る。特定の実施形態では、インターリーバ深度（たとえば、列数（Ｎｃｏｌ））はデータトーン数（Ｎｄａｔａ）の因数であり得る。様々な実施形態では、４８２データトーンブロックは、２または２４１のインターリーバ深度を有することができる。様々な実施形態では、４９４データトーンブロックは、２、１３、１９、２６、３８、または２４７のインターリーバ深度を有することができる。
【０２０９】
[00276]２つ以上の空間ストリームがある場合、空間ストリームに周波数回転が適用され得る。周波数回転は、ベースサブキャリア回転（ＮＲＯＴ）と回転インデックスとに基づき得る。ベースサブキャリア回転（ＮＲＯＴ）および回転インデックスは、データトーン数（Ｎｄａｔａ）と空間ストリーム数（Ｎｓｓ）とに基づき得る。
【０２１０】
[00277]たとえば、データトーンブロックが４つまたはそれ以下の空間ストリーム（Ｎｓｓ）を有する場合、ベースサブキャリア回転（ＮＲＯＴ）は、１０７〜１３６のいずれかであり得る。回転インデックス（たとえば、第６の列）は、このシナリオでは［０  ２  １  ３］のビット逆転であり得る。代替的に、データトーンブロックが５つ以上の空間ストリーム（Ｎｓｓ）を有する場合、ベースサブキャリア回転（ＮＲＯＴ）は、４８〜７３のいずれかであり得る。回転インデックス（たとえば、第７の列）は、いくつかの実施形態では［０  ４  ２  ６  １  ５  ３  ７］のビット逆転であり得、または回転インデックスは、他の実施形態では、隣接するストリームの平均サブキャリア距離を最大にする（または増加させる）ように選定され得る（たとえば、［０  ５  ２  ７  ３  ６  １  ４］）。本明細書では、平均サブキャリア距離を最大にするインデックスの一例として［０  ５  ２  ７  ３  ６  １  ４］の回転インデックスが使用されているが、平均サブキャリア距離を最大にする（または増加させる）任意の他の回転インデックスが使用され得る。たとえば、隣接するストリームの平均サブキャリア距離を最大にする任意の置換が使用され得、［０  ５  ２  ７  ３  ６  １  ４］は１つの例にすぎない。
【０２１１】
[00278]図５０は、１０２４トーンプラン実施形態による、様々なデータトーン数のためのいくつかの候補インターリーバパラメータを示すチャートである。たとえば、これらのパラメータは、デバイスが特定の送信において８０ＭＨｚを割り振られたときに使用され得る。特定の実施形態では、インターリーバ深度（たとえば、列数（Ｎｃｏｌ））はデータトーン数（Ｎｄａｔａ）の因数であり得る。様々な実施形態では、データトーン数は、９３８、９４０、９４２、９４４、９４６、９５０、９５２、９５４、９５６、９６２、９６４、９６６、または９６８のうちの１つであり得る。Ｎｄａｔａのこれらの値の各々について、Ｎｃｏｌのための候補は、チャートに示されているように、Ｎｄａｔａの値の因数（すなわち、１およびＮｄａｔａ自体の値を除く、別の整数を乗算すると積としてＮｄａｔａを形成する整数）を含み得る。
【０２１２】
[00279]２つ以上の空間ストリームがある場合、空間ストリームに周波数回転が適用され得る。周波数回転は、ベースサブキャリア回転（ＮＲＯＴ）と回転インデックスとに基づき得る。ベースサブキャリア回転（ＮＲＯＴ）および回転インデックスは、データトーン数（Ｎｄａｔａ）と空間ストリーム数（Ｎｓｓ）とに基づき得る。たとえば、データトーンブロックが４つまたはそれ以下の空間ストリーム（Ｎｓｓ）を有する場合、ベースサブキャリア回転（ＮＲＯＴ）は、２２４〜２５２のいずれかであり得る。回転インデックス（たとえば、第６の列）は、このシナリオでは［０  ２  １  ３］のビット逆転であり得る。代替的に、データトーンブロックが５つ以上の空間ストリーム（Ｎｓｓ）を有する場合、ベースサブキャリア回転（ＮＲＯＴ）は、１０７〜１３１のいずれかであり得る。回転インデックス（たとえば、第７の列）は、いくつかの実施形態では［０  ４  ２  ６  １  ５  ３  ７］のビット逆転であり得、または回転インデックスは、他の実施形態では、隣接するストリームの平均サブキャリア距離を最大にする（または増加させる）ように選定され得る（たとえば、［０  ５  ２  ７  ３  ６  １  ４］）。本明細書では、平均サブキャリア距離を最大にするインデックスの一例として［０  ５  ２  ７  ３  ６  １  ４］の回転インデックスが使用されているが、平均サブキャリア距離を最大にする（または増加させる）任意の他の回転インデックスが使用され得る。たとえば、隣接するストリームの平均サブキャリア距離を最大にする任意の置換が使用され得、［０  ５  ２  ７  ３  ６  １  ４］は１つの例にすぎない。
【０２１３】
[00280]図５１は、１０２４トーンプラン実施形態による、様々なデータトーン数のためのさらなる候補インターリーバパラメータを示す追加のチャートである。たとえば、これらのパラメータは、デバイスが特定の送信において８０ＭＨｚを割り振られたときに使用され得る。特定の実施形態では、インターリーバ深度（たとえば、列数（Ｎｃｏｌ））はデータトーン数（Ｎｄａｔａ）の因数であり得る。様々な実施形態では、データトーン数は、９７０、９７４、９７６、９７８、９８２、９８６、９８８、９９２、９９４、または９９８のうちの１つであり得る。Ｎｄａｔａのこれらの値の各々について、Ｎｃｏｌのための候補は、チャートに示されているように、（１およびＮｄａｔａ以外の）Ｎｄａｔａの値の因数を含み得る。
【０２１４】
[00281]２つ以上の空間ストリームがある場合、空間ストリームに周波数回転が適用され得る。周波数回転は、ベースサブキャリア回転（ＮＲＯＴ）と回転インデックスとに基づき得る。ベースサブキャリア回転（ＮＲＯＴ）および回転インデックスは、データトーン数（Ｎｄａｔａ）と空間ストリーム数（Ｎｓｓ）とに基づき得る。たとえば、データトーンブロックが４つまたはそれ以下の空間ストリーム（Ｎｓｓ）を有する場合、ベースサブキャリア回転（ＮＲＯＴ）は、２３２〜２６０のいずれかであり得る。回転インデックス（たとえば、第６の列）は、このシナリオでは［０  ２  １  ３］のビット逆転であり得る。代替的に、データトーンブロックが５つ以上の空間ストリーム（Ｎｓｓ）を有する場合、ベースサブキャリア回転（ＮＲＯＴ）は、１１１〜１３５のいずれかであり得る。したがって、１０２４トーン送信におけるＮｄａｔａの様々な値について、ＮＲＯＴ値は、（図５０と図５１とに基づいて）４つまたはそれ以下の空間ストリームでは２２４〜２６０のいずれかであり得ることがわかり得る。さらに、５つ以上の空間ストリームがあるとき、ＮＲＯＴは１０７〜１３５のいずれかであり得る。回転インデックス（たとえば、第７の列）は、いくつかの実施形態では［０  ４  ２  ６  １  ５  ３  ７］のビット逆転であり得、または回転インデックスは、他の実施形態では、隣接するストリームの平均サブキャリア距離を最大にする（または増加させる）ように選定され得る（たとえば、［０  ５  ２  ７  ３  ６  １  ４］）。本明細書では、平均サブキャリア距離を最大にするインデックスの一例として［０  ５  ２  ７  ３  ６  １  ４］の回転インデックスが使用されているが、平均サブキャリア距離を最大にする（または増加させる）任意の他の回転インデックスが使用され得る。たとえば、隣接するストリームの平均サブキャリア距離を最大にする任意の置換が使用され得、［０  ５  ２  ７  ３  ６  １  ４］は１つの例にすぎない。
【０２１５】
[00282]図５２は、１２８０トーンプラン実施形態による、様々なデータトーン数のための候補インターリーバパラメータを示すチャートである。たとえば、これらのパラメータは、デバイスが特定の送信において１００ＭＨｚを割り振られたときに使用され得る。特定の実施形態では、インターリーバ深度（たとえば、列数（Ｎｃｏｌ））はデータトーン数（Ｎｄａｔａ）の因数であり得る。様々な実施形態では、データトーン数は、１２０３、１２０４、１２０８、１２０９、１２１０、１２１５、１２１６、１２２０、１２２１、１２２７、１２２８、１２３３、１２４０、および１２４４のうちの１つであり得る。Ｎｄａｔａのこれらの値の各々について、Ｎｃｏｌのための候補は、チャートに示されているように、（１およびＮｄａｔａ以外の）Ｎｄａｔａの値の因数を含み得る。
【０２１６】
[00283]２つ以上の空間ストリームがある場合、空間ストリームに周波数回転が適用され得る。周波数回転は、ベースサブキャリア回転（ＮＲＯＴ）と回転インデックスとに基づき得る。ベースサブキャリア回転（ＮＲＯＴ）および回転インデックスは、データトーン数（Ｎｄａｔａ）と空間ストリーム数（Ｎｓｓ）とに基づき得る。たとえば、データトーンブロックが４つまたはそれ以下の空間ストリーム（Ｎｓｓ）を有する場合、ベースサブキャリア回転（ＮＲＯＴ）は、２９０〜３２１のいずれかであり得る。回転インデックス（たとえば、第６の列）は、このシナリオでは［０  ２  １  ３］のビット逆転であり得る。代替的に、データトーンブロックが５つ以上の空間ストリーム（Ｎｓｓ）を有する場合、ベースサブキャリア回転（ＮＲＯＴ）は、１４０〜１６６のいずれかであり得る。回転インデックス（たとえば、第７の列）は、いくつかの実施形態では［０  ４  ２  ６  １  ５  ３  ７］のビット逆転であり得、または回転インデックスは、他の実施形態では、隣接するストリームの平均サブキャリア距離を最大にする（または増加させる）ように選定され得る（たとえば、［０  ５  ２  ７  ３  ６  １  ４］）。本明細書では、平均サブキャリア距離を最大にするインデックスの一例として［０  ５  ２  ７  ３  ６  １  ４］の回転インデックスが使用されているが、平均サブキャリア距離を最大にする（または増加させる）任意の他の回転インデックスが使用され得る。たとえば、隣接するストリームの平均サブキャリア距離を最大にする任意の置換が使用され得、［０  ５  ２  ７  ３  ６  １  ４］は１つの例にすぎない。
【０２１７】
[00284]図５３は、１５３６トーンプラン実施形態による、様々なデータトーン数のための候補インターリーバパラメータを示すチャートである。たとえば、これらのパラメータは、デバイスが特定の送信において１２０ＭＨｚを割り振られたときに使用され得る。特定の実施形態では、インターリーバ深度（たとえば、列数（Ｎｃｏｌ））はデータトーン数（Ｎｄａｔａ）の因数であり得る。様々な実施形態では、データトーン数は、１４４６、１４５６、１４５８、１４６０、１４７６、１４８０、１４８２、１４８４、および１４９６のうちの１つであり得る。Ｎｄａｔａのこれらの値の各々について、Ｎｃｏｌのための候補は、チャートに示されているように、（１およびＮｄａｔａ以外の）Ｎｄａｔａの値の因数を含み得る。
【０２１８】
[00285]２つ以上の空間ストリームがある場合、空間ストリームに周波数回転が適用され得る。周波数回転は、ベースサブキャリア回転（ＮＲＯＴ）と回転インデックスとに基づき得る。ベースサブキャリア回転（ＮＲＯＴ）および回転インデックスは、データトーン数（Ｎｄａｔａ）と空間ストリーム数（Ｎｓｓ）とに基づき得る。たとえば、データトーンブロックが４つまたはそれ以下の空間ストリーム（Ｎｓｓ）を有する場合、ベースサブキャリア回転（ＮＲＯＴ）は、３５１〜３８４のいずれかであり得る。回転インデックス（たとえば、第６の列）は、このシナリオでは［０  ２  １  ３］のビット逆転であり得る。代替的に、データトーンブロックが５つ以上の空間ストリーム（Ｎｓｓ）を有する場合、ベースサブキャリア回転（ＮＲＯＴ）は、１７０〜１９７のいずれかであり得る。回転インデックス（たとえば、第７の列）は、いくつかの実施形態では［０  ４  ２  ６  １  ５  ３  ７］のビット逆転であり得、または回転インデックスは、他の実施形態では、隣接するストリームの平均サブキャリア距離を最大にする（または増加させる）ように選定され得る（たとえば、［０  ５  ２  ７  ３  ６  １  ４］）。本明細書では、平均サブキャリア距離を最大にするインデックスの一例として［０  ５  ２  ７  ３  ６  １  ４］の回転インデックスが使用されているが、平均サブキャリア距離を最大にする（または増加させる）任意の他の回転インデックスが使用され得る。たとえば、隣接するストリームの平均サブキャリア距離を最大にする任意の置換が使用され得、［０  ５  ２  ７  ３  ６  １  ４］は１つの例にすぎない。
【０２１９】
[00286]図５４は、１７９２トーンプラン実施形態による、様々なデータトーン数のための候補インターリーバパラメータを示すチャートである。たとえば、これらのパラメータは、デバイスが特定の送信において１４０ＭＨｚを割り振られたときに使用され得る。特定の実施形態では、インターリーバ深度（たとえば、列数（Ｎｃｏｌ））はデータトーン数（Ｎｄａｔａ）の因数であり得る。様々な実施形態では、データトーン数は、１６６２、１６６６、１６７０、１６７４、１６７６、１６７８、１６８２、１６８４、１６８６、１６９０、１６９４、１６９８、１７０２、１７０６、１７１４、１７１８、１７２２、１７２４、１７２６、１７３４、１７３６、および１７４６のうちの１つであり得る。Ｎｄａｔａのこれらの値の各々について、Ｎｃｏｌのための候補は、チャートに示されているように、（１およびＮｄａｔａ以外の）Ｎｄａｔａの値の因数を含み得る。
【０２２０】
[00287]２つ以上の空間ストリームがある場合、空間ストリームに周波数回転が適用され得る。周波数回転は、ベースサブキャリア回転（ＮＲＯＴ）と回転インデックスとに基づき得る。ベースサブキャリア回転（ＮＲＯＴ）および回転インデックスは、データトーン数（Ｎｄａｔａ）と空間ストリーム数（Ｎｓｓ）とに基づき得る。たとえば、データトーンブロックが４つまたはそれ以下の空間ストリーム（Ｎｓｓ）を有する場合、ベースサブキャリア回転（ＮＲＯＴ）は、４０５〜４４７のいずれかであり得る。回転インデックス（たとえば、第６の列）は、このシナリオでは［０  ２  １  ３］のビット逆転であり得る。代替的に、データトーンブロックが５つ以上の空間ストリーム（Ｎｓｓ）を有する場合、ベースサブキャリア回転（ＮＲＯＴ）は、１９７〜２２９のいずれかであり得る。回転インデックス（たとえば、第７の列）は、いくつかの実施形態では［０  ４  ２  ６  １  ５  ３  ７］のビット逆転であり得、または回転インデックスは、他の実施形態では、隣接するストリームの平均サブキャリア距離を最大にする（または増加させる）ように選定され得る（たとえば、［０  ５  ２  ７  ３  ６  １  ４］）。本明細書では、平均サブキャリア距離を最大にするインデックスの一例として［０  ５  ２  ７  ３  ６  １  ４］の回転インデックスが使用されているが、平均サブキャリア距離を最大にする（または増加させる）任意の他の回転インデックスが使用され得る。たとえば、隣接するストリームの平均サブキャリア距離を最大にする任意の置換が使用され得、［０  ５  ２  ７  ３  ６  １  ４］は１つの例にすぎない。
【０２２１】
[00288]以下の表３は、様々なデータトーン数（Ｎｄａｔａ）のための例示的な低密度パリティチェック（ＬＤＰＣ）トーンマッピング距離（ＤＴＭ）を示すチャートである。
【０２２２】
【表３−１】
2017529751.tif 000012
【表３−２】
2017529751.tif 000013
【表３−３】
2017529751.tif 000014
【０２２３】
[00289]概して、ＬＤＰＣトーンマッピング距離（ＤＴＭ）は、ＩＥＥＥ８０２．１１ａｃ仕様において定義されている。マッピング距離（ＤＴＭ）は、少なくとも、ＬＤＰＣコードワード長（ＬＣＷ）で除算されたＯＦＤＭシンボルごとのコード化ビット数（ＮＣＢＰＳ）と同じ大きさであり得（たとえば、ＮＣＢＰＳ／ＬＣＷ≦ＤＴＭ）、したがって、各ＬＤＰＣコードワードはトーンの全範囲をカバーする。さらに、マッピング距離（ＤＴＭ）はサブキャリア数（Ｎｄａｔａ）の整数約数であり得る。マッピング距離（ＤＴＭ）は、固定トーン処理を用いる、受信回路１１１６ａ〜１１１６ｃの高速フーリエ変換（ＦＦＴ）モジュールにおいて実装されたトーンデマッパを使用可能にするために、各帯域幅内のレートにわたって一定であり得る。
【０２２４】
[00290]したがって、表３は、所与のデータトーン数（Ｎｄａｔａ）とともに使用され得るマッピング距離（ＤＴＭ）の各々を示している。いくつかの態様では、所与のデータトーン数のための、表３にリストされているマッピング距離は、図４７〜図５４にリストされている所与のＮｄａｔａのためのＮＣＯＬ候補と同じであり得る。
【０２２５】
[00291]以下の表４は、様々なデータトーン数（Ｎｄａｔａ）のための例示的な変調およびコーディング方式（ＭＣＳ）有効性を示すチャートである。この表のデータは、ＩＥＥＥ８０２．１１ａｃ送信において見つけられるシンボル持続時間と比較して、４ｘシンボル持続時間の使用に基づいて取得されている。
【０２２６】
【表４−１】
2017529751.tif 000015
【表４−２】
2017529751.tif 000016
【表４−３】
2017529751.tif 000017
【表４−４】
2017529751.tif 000018
【表４−５】
2017529751.tif 000019
【表４−６】
2017529751.tif 000020
【表４−７】
2017529751.tif 000021
【表４−８】
2017529751.tif 000022
【０２２７】
[00292]チャートは、８つの空間ストリームまでの空間ストリームのためのＭＣＳ０〜ＭＣＳ９についての無効なＭＣＳシナリオを示す。ＭＣＳ有効性は、ＩＥＥＥ８０２．１１ａｃ仕様において定義されている。概して、ＭＣＳが有効であるかどうかを決定するためのルールは、サブキャリアごとのコード化ビット数が、符号化ストリーム数の整数倍でなければならないことである。さらに、符号化ストリームごとのコード化ビット数は、コードレートにおける分母の整数倍でなければならない。したがって、いくつかのＭＣＳと空間ストリームの組合せは、これらの条件が満たされないとき、無効であり得る。したがって、上記で説明した各潜在的Ｎｄａｔａ値について、様々な除外のリスティングとともに、いくつかの除外が与えられる。いくつかの態様では、最小数の除外を有するＮｄａｔａの値を選択することが有益であり得る。（２つの８０ＭＨｚ  １０２４ＦＦＴトーンプランである）様々な２０４８ＦＦＴ構成についてのＭＣＳ除外は１０２４ＦＦＴトーンプランのものとは異なることがわかり得る。したがって、２０４８ＦＦＴトーンプランについてのＭＣＳ除外が上記にリストされている。
【０２２８】
[00293]図１２Ａ、図２５Ａ〜図２５Ｂ、および図５０〜図５１に関して説明したように、いくつかの実施形態では、１６０ＭＨｚのための２０４８トーンプランは、それぞれ８０ＭＨｚの帯域幅を使用する２つの複製された１０２４トーンプランを使用して構成され得る。この手法は、インターリービングがすべてのトーンにわたって実施される他の２０４８トーンプランと比較して、データトーン数を低減することができるという点で、この手法は直観に反していることがある。一方、各１０２４トーンプランのために別個のインターリーバを使用することは、ハードウェア複雑さを減少させることができることが発見されている。とはいえ、この手法による組合せ２０４８トーンプランのための様々なパラメータは、たとえば、そのような２０４８トーンプランについてのＭＣＳ除外など、構成要素である１０２４トーンプランのものとは異なることがある。図５５に示されているように、それぞれ８０ＭＨｚの帯域幅を使用する２つの複製された１０２４トーンプランを使用して構成された２０４８トーンプランに従うワイヤレス送信の１つの例示的な方法は、代替実施形態に勝る様々な予期しない利点を与えることができる。
【０２２９】
[00294]図５５に、図１のワイヤレス通信システム１００内で採用され得るワイヤレス通信の例示的な方法のためのフローチャート５５００を示す。本方法は、ＡＰ１０４（図１）、ＳＴＡ１０６Ａ〜１０６Ｄ（図１）のいずれか、図２に示されたワイヤレスデバイス２０２、および／またはデバイス１０１０、１０２０、１０３０、または１０４０（図１６）など、本明細書で説明するデバイスによって全体的にまたは部分的に実装され得る。本明細書では、図示された方法について、図１に関して上記で説明したワイヤレス通信システム１００、図２に関して上記で説明したワイヤレスデバイス２０２、図１６のシステム１０００、ならびに図３〜図１５、図１８〜図２８、および図３４〜図５４のトーンプラン詳細に関して説明するが、図示された方法は、本明細書で説明する別のデバイス、または任意の他の好適なデバイスによって実装され得ることを、当業者は諒解されよう。本明細書では、図示された方法について、特定の順序に関して説明するが、様々な実施形態では、本明細書のブロックは、異なる順序で実施されるか、または省略され得、さらなるブロックが追加され得る。
【０２３０】
[00295]最初に、ブロック５５１０において、ワイヤレスデバイスは、１９６０個のデータトーンを有する２０４８トーンプランに従ってメッセージを生成する。２０４８トーンプランは、９８０個のデータトーンをそれぞれ有する２つの同等の１０２４トーンプランを含む。たとえば、ＡＰ１０４は、図１２Ａ、図２５Ａ〜図２５Ｂ、および図５０〜図５１に関して上記で説明した１０２４トーンプランの２つの複製に従ってメッセージを生成することができる。
【０２３１】
[00296]様々な実施形態では、２０４８トーンプランに従ってメッセージを生成することは、複数のデータビットを符号化することと、符号化ビットのストリームをパースすることと、符号化ビットをインターリーブすることと、データビットを指定された数のＯＦＤＭデータトーンにマッピングすることと、ビットのパイロットシーケンスを指定された数のパイロットＯＦＤＭトーンにマッピングすることと、ヌルデータビットを指定された数の左ガードトーン、右ガードトーン、およびＤＣトーンにマッピングすることとのうちの１つまたは複数を含むことができる。たとえば、エンコーダ１１０４（図１７）はデータビットを符号化することができる。ストリームパーサ１１０６（図１７）は符号化データビットをパースすることができる。インターリーバ１１０８ａ〜１１０８ｃ（図１７）はパースされたデータをインターリーブする。各１０２４トーンプランについて、変調器１１０２ａ〜１１０８ｃ（図１７）は、データビットを９８０個のＯＦＤＭデータトーンにマッピングし、ビットのパイロットシーケンスをパイロットＯＦＤＭトーンにマッピングし、ヌルデータビットをガードトーンおよびＤＣトーンとして使用するために残りのトーンにマッピングすることができる。
【０２３２】
[00297]様々な実施形態では、２つの同等の１０２４トーンプランの各々は、２つの８０ＭＨｚセグメントの各々に対応する５つの直流トーンを含むことができる。この実施形態は、８０＋８０ＭＨｚ構成に対応することができる。様々な実施形態では、２０４８トーンプランは、１６０ＭＨｚ帯域幅に対応する２３個の直流トーンと、２つの８０ＭＨｚセグメントの各々に対応する５つの追加のヌルトーンとを備える。この実施形態は、各８０ＭＨｚ部分の内部エッジトーンがＤＣトーンとして使用され、各８０ＭＨｚ部分の中心トーンが追加のヌルトーンとして使用される、１６０ＭＨｚ構成に対応することができる。
【０２３３】
[00298]様々な実施形態では、変調およびコーディング方式（ＭＣＳ）と空間ストリーム数（Ｎｓｓ）との以下の組合せ、すなわち、ＭＣＳ３およびＮｓｓ＝５、ＭＣＳ６およびＮｓｓ＝７、ＭＣＳ７およびＮｓｓ＝２または５、ＭＣＳ８およびＮｓｓ＝８、ならびにＭＣＳ９およびＮｓｓ＝１、２、４、５、７、または８は、メッセージの送信における使用から除外される。
【０２３４】
[00299]次に、ブロック５５２０において、ワイヤレスデバイスは、２つの同等の１０２４トーンプランのうちの１つに従ってデータを２つのデータ部分に分割するためにセグメントパーシングを実施する。各部分は、２つの８０ＭＨｚ帯域幅のうちの１つを介した送信のために用いられる、たとえば、インターリービングシステム１０１４（図１６）のセグメントパーサは、送信のためにデータに対してセグメントパーシングを実施することができる。
【０２３５】
[00300]次いで、ブロック５５３０において、ワイヤレスデバイスは、２つのデータ部分の各々に対して低密度パリティチェック（ＬＤＰＣ）トーンマッピングを別々に実施する。様々な実施形態では、２つのデータ部分の各々に対してＬＤＰＣトーンマッピングを別々に実施することは、２０のＬＤＰＣトーンマッピング距離を使用することを含むことができる。
【０２３６】
[00301]いくつかの実施形態では、トーンマッピングのプロセスは、符号化データビットのコンスタレーションポイントをＯＦＤＭサブキャリアに関連付けることを含むことができる。各トーンがそれにマッピングされるＯＦＤＭサブキャリアは、示されたサブキャリア数だけ分離され得る。たとえば、そのようなマッピングは複数のデータビットを符号化することと、それらの符号化ビットを直交振幅変調（ＱＡＭ）シンボルにマッピングすることとを含むことができる。マッピングは、第１のＱＡＭシンボルを第１のデータトーンにマッピングすること、第２のＱＡＭシンボルを第（１＋ＤＴＭ）のデータトーンにマッピングすること、第３のＱＡＭシンボルを第（１＋２＊ＤＴＭ）のデータトーンにマッピングすることなどをさらに含むことができる。マッピングは、たとえば、第４９のＱＡＭシンボルが第９６０のデータトーンにマッピングされ、第５０のＱＡＭシンボルが第２のデータトーンにマッピングされ、第５１のＱＡＭシンボルが第（２＋Ｄ＿ＴＭ）のデータトーンにマッピングされるなどのように、ラップアラウンドすることができる。
【０２３７】
[00302]その後、ブロック５５４０において、ワイヤレスデバイスは、２つの８０ＭＨｚ帯域幅を含む１６０ＭＨｚ帯域幅上での送信のためにメッセージを供給する。様々な実施形態では、送信のためにメッセージを供給することは、複数のデータビットを符号化することと、符号化ビットのストリームをパースすることと、符号化ビットをインターリーブすることと、データビットを指定された数のＯＦＤＭデータトーンにマッピングすることと、ビットのパイロットシーケンスを指定された数のパイロットＯＦＤＭトーンにマッピングすることと、ヌルデータビットを指定された数の左ガードトーン、右ガードトーン、およびＤＣトーンにマッピングすることとのうちの１つまたは複数を含むことができる。たとえば、プロセッサ２０４（図２）は、２つの１０２４トーンプランの各々に従って複数のデータビットを編成することができる。エンコーダ１１０４（図１７）はデータビットを符号化することができる。ストリームパーサ１１０６（図１７）は符号化データビットをパースすることができる。インターリーバ１１０８ａ〜１１０８ｃ（図１７）はパースされたデータをインターリーブする。変調器１１０２ａ〜１１０８ｃ（図１７）は、送信機１１１０ａ〜１１１０ｃ（図１７）を介した送信のためにインターリーブされたデータを変調することができる。
【０２３８】
[00303]様々な実施形態では、本方法は、２つのデータ部分の各々を別々にインターリーブすることをさらに含むことができる。本方法は、２０４８トーンプランにおける各１０２４トーンプランについて、５つ以上の空間ストリームについて、１０８〜１３５のうちの少なくとも１つのインターリーブされた回転インデックスと、［０  ４  ２  ６  １  ５  ３  ７］、あるいは［０  ５  ２  ７  ３  ６  １  ４］または隣接するストリームの平均サブキャリア距離を最大にするように選定された別の置換のベースサブキャリア回転とを使用して、インターリーブされたデータ部分に基づいて、送信のために一連のインターリーブされたビットを生成することをさらに含むことができる。様々な実施形態では、前記インターリーブすることは、２、４、５、７、１０、１４、２０、２８、３５、４９、７０、９８、１４０、１９６、２４５、または４９０のうちの少なくとも１つのインターリーバ深度を使用することを含むことができる。いくつかの実施形態では、ＬＤＰＣトーンマッピングのみが使用され、ＢＣＣインターリービングは省略され得る。
【０２３９】
[00304]様々な実施形態では、本方法は、たとえば、図１のＳＴＡ１０６Ａ〜１０６Ｄなどの移動局上で実施され得る。送信のためにメッセージを供給することは、移動局をサービスするアクセスポイント（たとえば、図１のＡＰ１０４）に、移動局の送信機（たとえば、図２の送信機２１０）およびアンテナ（たとえば、図２のアンテナ２１６）を通してメッセージを送信することを含むことができる。様々な実施形態では、本方法は、たとえば、図１のＡＰ１０４などのアクセスポイント上で実施され得る。送信のためにメッセージを供給することは、アクセスポイントによってサービスされる移動局（たとえば、図１のＳＴＡ１０６Ａ）に、アクセスポイントの送信機（たとえば、図２の送信機２１０）およびアンテナ（たとえば、図２のアンテナ２１６）を通してメッセージを送信することを含むことができる。
【０２４０】
[00305]様々な実施形態では、図５５の方法は、図２０の方法に示された１つまたは複数のブロックを含むことができる。たとえば、本方法は、図２０のブロック２０１０に関して上記で説明したように、６４トーンプラン、１２８トーンプラン、２５６トーンプラン、５１２トーンプラン、および１０２４トーンプランのうちの１つから選択することを含むことができる。２５６トーンプラン、５１２トーンプラン、および１０２４トーンプランは、図３〜図９および図１２〜図１９に関して上記で説明した特性のいずれかを有することができる。
【０２４１】
[00306]一実施形態では、図５５に示された方法は、生成回路と、セグメントパーシング回路と、トーンマッピング回路と、供給回路とを含むことができるワイヤレスデバイスにおいて実装され得る。ワイヤレスデバイスは、本明細書で説明する簡略化されたワイヤレスデバイスよりも多くの構成要素を有することができることを、当業者は諒解されよう。本明細書で説明するワイヤレスデバイスは、特許請求の範囲内の実装形態のいくつかの顕著な特徴を説明するのに有用な構成要素のみを含む。
【０２４２】
[00307]生成回路は、２０４８トーンプランに従ってメッセージを生成するように構成され得る。一実施形態では、生成回路は、フローチャート５５００（図５５）のブロック５５１０を実装するように構成され得る。生成回路は、ＤＳＰ２２０（図２）、プロセッサ２０４（図２）、およびメモリ２０６（図２）のうちの１つまたは複数を含むことができる。いくつかの実装形態では、生成するための手段は生成回路を含むことができる。
【０２４３】
[00308]セグメントパーシング回路は、セグメントパーシングを実施するように構成され得る。一実施形態では、セグメントパーシング回路は、フローチャート５５００（図５５）のブロック５５２０を実装するように構成され得る。セグメントパーシング回路は、インターリービングシステム１０１４（図１６）、ストリームパーサ１１０６（図１７）、エンコーダ１１０４（図１７）、ＤＳＰ２２０（図２）、プロセッサ２０４（図２）、およびメモリ２０６（図２）のうちの１つまたは複数を含むことができる。いくつかの実装形態では、セグメントパーシングを実施するための手段はセグメントパーシング回路を含むことができる。
【０２４４】
[00309]トーンマッピング回路は、トーンマッピングを実施するように構成され得る。一実施形態では、トーンマッピング回路は、フローチャート５５００（図５５）のブロック５５３０を実装するように構成され得る。トーンマッピング回路は、インターリービングシステム１０１４（図１６）、ストリームパーサ１１０６（図１７）、エンコーダ１１０４（図１７）、変調器１１０２ａ〜１１０２ｃ、ＤＳＰ２２０（図２）、プロセッサ２０４（図２）、およびメモリ２０６（図２）のうちの１つまたは複数を含むことができる。いくつかの実装形態では、トーンマッピングを実施するための手段はトーンマッピング回路を含むことができる。
【０２４５】
[00310]供給回路は、送信のためにメッセージを供給するように構成され得る。一実施形態では、供給回路は、フローチャート５５００（図５５）のブロック５５４０を実装するように構成され得る。供給回路は、送信機２１０（図２）、トランシーバ２１４（図２）、プロセッサ２０４（図２）、ＤＳＰ２２０（図２）、アンテナ２１６（図２）、およびメモリ２０６（図２）のうちの１つまたは複数を含むことができる。いくつかの実装形態では、供給するための手段は供給回路を含むことができる。
【０２４６】
[00311]様々な実施形態では、ワイヤレスデバイスはマッピング回路をさらに含むことができる。マッピング回路は、低密度パリティチェック（ＬＤＰＣ）トーンマッピング距離（ＤＴＭ）を使用してメッセージのトーンをマッピングするように構成され得る。様々な実施形態では、ＤＴＭは３または６のうちの１つであり得る。マッピング回路は、ＤＳＰ２２０（図２）、プロセッサ２０４（図２）、メモリ２０６（図２）、インターリービングシステム１０１４（図１６）、インターリーバ１１０８ａ〜１１０８ｃ（図１７）、および変調器１１０２ａ〜１１０２ｃ（図１７）のうちの１つまたは複数を含むことができる。いくつかの実装形態では、マッピングするための手段は生成回路を含むことができる。
【０２４７】
[00312]様々な実施形態では、ワイヤレスデバイスは送信回路をさらに含むことができる。送信回路は、たとえば、移動局またはアクセスポイントの送信機およびアンテナを通して、メッセージを送信するように構成され得る。送信回路は、送信機２１０（図２）、トランシーバ２１４（図２）、プロセッサ２０４（図２）、ＤＳＰ２２０（図２）、アンテナ２１６（図２）、およびメモリ２０６（図２）のうちの１つまたは複数を含むことができる。いくつかの実装形態では、送信するための手段は送信回路を含むことができる。
技術を実装すること
[00313]情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０２４８】
[00314]本開示で説明した実装形態への様々な変更は当業者には容易に明らかであり得、本明細書で定義した一般原理は、本開示の趣旨または範囲から逸脱することなく他の実装形態に適用され得る。したがって、本開示は、本明細書で示した実装形態に限定されるものではなく、本明細書で開示する特許請求の範囲、原理および新規の特徴に一致する、最も広い範囲を与られるべきである。「例示的」という単語は、本明細書ではもっぱら「例、事例、または例示の働きをすること」を意味するために使用される。「例示的」として本明細書で説明したいかなる実装形態も、必ずしも他の実装形態よりも好ましいまたは有利であると解釈されるべきではない。
【０２４９】
[00315]また、別個の実装形態に関して本明細書で説明したいくつかの特徴は、単一の実装形態において組合せで実装され得る。また、逆に、単一の実装形態に関して説明した様々な特徴は、複数の実装形態において別個に、または任意の好適な部分組合せで実装され得る。その上、特徴は、いくつかの組合せで働くものとして上記で説明され、初めにそのように請求されることさえあるが、請求される組合せからの１つまたは複数の特徴は、場合によってはその組合せから削除され得、請求される組合せは、部分組合せ、または部分組合せの変形形態を対象とし得る。
【０２５０】
[00316]本明細書で使用する、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃを包含するものとする。
【０２５１】
[00317]上記で説明した方法の様々な動作は、（１つまたは複数の）様々なハードウェアおよび／またはソフトウェア構成要素、回路、および／または（１つまたは複数の）モジュールなど、それらの動作を実施することが可能な任意の好適な手段によって実施され得る。概して、図に示されたどの動作も、その動作を実施することが可能な対応する機能的手段によって実施され得る。
【０２５２】
[00318]本開示に関連して説明した様々な例示的な論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、個別ゲートまたはトランジスタ論理、個別ハードウェア構成要素、あるいは本明細書で説明した機能を実施するように設計されたそれらの任意の組合せを用いて実装または実施され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０２５３】
[00319]１つまたは複数の態様では、説明した機能は、ハードウェア、ソフトウェア、ファームウェア、またはそれらの任意の組合せで実装され得る。ソフトウェアで実装される場合、機能は、１つまたは複数の命令またはコードとして、コンピュータ可読媒体上に記憶されるか、またはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。したがって、いくつかの態様では、コンピュータ可読媒体は非一時的コンピュータ可読媒体（たとえば、有形媒体）を備えることができる。さらに、いくつかの態様では、コンピュータ可読媒体は一時的コンピュータ可読媒体（たとえば、信号）を備えることができる。上記の組合せもコンピュータ可読媒体の範囲内に含まれるべきである。
【０２５４】
[00320]本明細書で開示した方法は、説明した方法を達成するための１つまたは複数のステップまたはアクションを備える。本方法のステップおよび／またはアクションは、特許請求の範囲から逸脱することなく互いに交換され得る。言い換えれば、ステップまたはアクションの特定の順序が指定されない限り、特定のステップおよび／またはアクションの順序および／または使用は、特許請求の範囲から逸脱することなく変更され得る。
【０２５５】
[00321]さらに、本明細書で説明した方法および技法を実施するためのモジュールおよび／または他の適切な手段は、適用可能な場合にユーザ端末および／または基地局によってダウンロードされ、および／または他の方法で取得され得ることを諒解されたい。たとえば、そのようなデバイスは、本明細書で説明した方法を実施するための手段の転送を可能にするためにサーバに結合され得る。代替的に、本明細書で説明した様々な方法は、ユーザ端末および／または基地局が記憶手段をデバイスに結合するかまたは与えると様々な方法を得ることができるように、記憶手段（たとえば、ＲＡＭ、ＲＯＭ、コンパクトディスク（ＣＤ）またはフロッピーディスクなどの物理記憶媒体など）によって提供され得る。その上、本明細書で説明した方法および技法をデバイスに与えるための任意の他の好適な技法が利用され得る。
【０２５６】
[00322]上記は本開示の態様を対象とするが、本開示の他の態様およびさらなる態様は、それの基本的範囲から逸脱することなく考案され得、それの範囲は以下の特許請求の範囲によって決定される。
【図１】
2017529751.tif 000023
【図２】
2017529751.tif 000024
【図３】
2017529751.tif 000025
【図４】
2017529751.tif 000026
【図５Ａ】
2017529751.tif 000027
【図５Ｂ】
2017529751.tif 000028
【図６Ａ】
2017529751.tif 000029
【図６Ｂ】
2017529751.tif 000030
【図７Ａ】
2017529751.tif 000031
【図７Ｂ】
2017529751.tif 000032
【図８Ａ】
2017529751.tif 000033
【図８Ｂ】
2017529751.tif 000034
【図９Ａ】
2017529751.tif 000035
【図９Ｂ】
2017529751.tif 000036
【図１０Ａ】
2017529751.tif 000037
【図１０Ｂ】
2017529751.tif 000038
【図１１Ａ】
2017529751.tif 000039
【図１１Ｂ】
2017529751.tif 000040
【図１２Ａ】
2017529751.tif 000041
【図１２Ｂ】
2017529751.tif 000042
【図１３Ａ】
2017529751.tif 000043
【図１３Ｂ】
2017529751.tif 000044
【図１４Ａ】
2017529751.tif 000045
【図１４Ｂ】
2017529751.tif 000046
【図１５Ａ】
2017529751.tif 000047
【図１５Ｂ】
2017529751.tif 000048
【図１６】
2017529751.tif 000049
【図１７】
2017529751.tif 000050
【図１８】
2017529751.tif 000051
【図１９】
2017529751.tif 000052
【図２０】
2017529751.tif 000053
【図２１】
2017529751.tif 000054
【図２２】
2017529751.tif 000055
【図２３】
2017529751.tif 000056
【図２４】
2017529751.tif 000057
【図２５Ａ】
2017529751.tif 000058
【図２５Ｂ】
2017529751.tif 000059
【図２６】
2017529751.tif 000060
【図２７】
2017529751.tif 000061
【図２８】
2017529751.tif 000062
【図２９】
2017529751.tif 000063
【図３０】
2017529751.tif 000064
【図３１】
2017529751.tif 000065
【図３２】
2017529751.tif 000066
【図３３】
2017529751.tif 000067
【図３４】
2017529751.tif 000068
【図３５】
2017529751.tif 000069
【図３６】
2017529751.tif 000070
【図３７】
2017529751.tif 000071
【図３８】
2017529751.tif 000072
【図３９】
2017529751.tif 000073
【図４０】
2017529751.tif 000074
【図４１Ａ】
2017529751.tif 000075
【図４１Ｂ】
2017529751.tif 000076
【図４２】
2017529751.tif 000077
【図４３】
2017529751.tif 000078
【図４４】
2017529751.tif 000079
【図４５】
2017529751.tif 000080
【図４６】
2017529751.tif 000081
【図４７】
2017529751.tif 000082
【図４８】
2017529751.tif 000083
【図４９】
2017529751.tif 000084
【図５０】
2017529751.tif 000085
【図５１】
2017529751.tif 000086
【図５２】
2017529751.tif 000087
【図５３】
2017529751.tif 000088
【図５４】
2017529751.tif 000089
【図５５】
2017529751.tif 000090
【国際調査報告】
2017529751.tif 000091
2017529751.tif 000092
2017529751.tif 000093